(57)【要約】【課題】コミュニティサイト内においてコミュニケーションの活性化を図ることのできるサイト管理者側システムを提供する。【解決手段】コンピュータネットワークを介して接続された端末から送信されたユーザーの複数の個人情報を記憶する個人情報記憶手段と、個人情報の公開範囲が閲覧を希望するユーザーの全員であるのか、閲覧を希望するユーザーのうち所定のユーザーであるのかを記憶する公開範囲記憶手段と、該個人情報のユーザーによって許可されたユーザーを管理する許可範囲管理手段と、個人情報の閲覧を指定する閲覧指定情報を受信する閲覧指定情報受信手段と、個人情報の公開範囲を公開範囲記憶手段に基づいて判断処理する判断処理の結果、閲覧を希望するユーザーの全員である場合には第１の公開処理を行ない、閲覧を希望するユーザーのうち所定のユーザーである場合には、第２の公開処理を行なう個人情報公開手段とを有する。【選択図】図１
2010097597.tif 000002
【特許請求の範囲】
【請求項１】
コンピュータネットワークを介して接続された端末から送信されたユーザーの複数の個人情報を記憶する個人情報記憶手段と、
前記個人情報記憶手段に記憶された複数の個人情報のそれぞれの公開範囲が、閲覧を希望するユーザーの全員であるのか、または、閲覧を希望するユーザーのうち所定のユーザーであるのかを記憶する公開範囲記憶手段と、
前記公開範囲記憶手段に公開範囲が閲覧を希望するユーザーのうち所定のユーザーと記憶された所定の個人情報の公開が、該個人情報のユーザーによって許可されたユーザーを管理する許可範囲管理手段と、
コンピュータネットワークを介して接続された端末から送信され、前記個人情報記憶手段に記憶された所定のユーザーの所定の個人情報の閲覧を指定する閲覧指定情報を受信する閲覧指定情報受信手段と、
前記閲覧指定情報受信手段が受信した閲覧指定情報の指定する所定のユーザーの所定の個人情報の公開範囲を、前記公開範囲記憶手段に基づいて判断処理する判断手段と、
前記判断手段による判断処理の結果、前記閲覧指定情報受信手段が受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、前記閲覧指定情報受信手段が受信した閲覧指定情報の指定する所定のユーザーの所定の個人情報の公開範囲が、閲覧を希望するユーザーのうち所定のユーザーである場合には、前記管理手段によって公開が許可されたとして管理されているユーザーの閲覧指定情報のときに、閲覧指定情報の指定する個人情報をコンピュータネットワークを介して公開する第２の公開処理を行なう個人情報公開手段と
を有するサイト管理者側システム。
【請求項２】
コンピュータネットワークを介して接続された端末から送信された所定のメッセージを示すメッセージ情報と前記メッセージ情報の示すメッセージを公開する日時を示すスケジュール情報とを受け付ける受付手段と、
前記受付手段が受け付けたスケジュール情報の示す日時に空きがあるか否かを判断する第１の判断手段と、
前記受付手段が受け付けたメッセージ情報の示すメッセージに所定の文言が含まれているか否かを判断する第２の判断手段と、
前記第１の判断手段によってスケジュール情報の示す日時に空きがあると判断され、かつ、前記第２の判断手段によってメッセージ情報の示すメッセージに所定の文言が含まれていないと判断された場合に、前記スケジュール情報ならびにメッセージ情報を送信した端末宛に、コンピュータネットワークを介して受付の完了を示す内容のメールを配信する受付完了メール配信手段と、
前記受付完了メール配信手段によってメールが配信された後、前記スケジュール情報ならびにメッセージ情報を送信した端末に対する課金処理が完了したことを確認する課金確認手段と、
前記課金確認手段によってスケジュール情報ならびにメッセージ情報を送信した端末に対する課金処理の完了が確認されると、メッセージ情報の示すメッセージをスケジュール情報の示す日時に、所定のサイトの所定のページで公開するメッセージ公開手段と
を有するサイト管理者側システム。
【請求項３】
コンピュータネットワークを介して接続された端末から送信された所定の背景音を指定する背景音指定情報を受信する背景音指定情報受信手段と、
前記背景音指定情報受信手段が受信した背景音指定情報が指定する背景音を、前記背景音指定情報を送信した端末によって聴取可能なように再生する再生手段と、
前記再生手段によって前記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する音声情報生成手段と、
前記音声情報生成手段によって生成された音声情報を記憶する音声情報記憶手段と、
コンピュータネットワークを介して接続された端末から送信され、前記音声情報記憶手段に記憶された音声情報の公開を指示する公開指定情報に従って、音声情報をコンピュータネットワークを介して公開する音声情報公開手段と
を有するサイト管理者側システム。
【請求項４】
コンピュータネットワークを介してメールを配信する宛先たるメールアドレスを記憶するメールアドレス記憶手段と、
前記メールアドレス記憶手段に記憶されたメールアドレスの履歴を示す履歴情報を記憶する履歴情報記憶手段と、
コンピュータネットワークを介して接続された端末から配信されたメールの本文を示すメール本文情報を記憶するメール本文情報記憶手段と、
前記メール本文情報記憶手段にメール本文情報が記憶されると、前記履歴情報記憶手段に記憶された履歴に従って、前記メールアドレス記憶手段に記憶されたメールアドレスを選別し、前記メールアドレス記憶手段に記憶された複数のメールアドレスを配信先メールアドレスとして決定する配信先決定手段と、
前記配信先決定手段によって決定された配信先メールアドレスに、前記メール本文情報記憶手段に記憶されたメール本文情報が示す本文のメールを配信するメール配信手段と
を有するサイト管理者側システム。
【請求項５】
所定の商品を示す商品情報を記憶する商品情報記憶手段と、前記商品情報記憶手段に記憶された商品情報の示す所定の商品の購入を、所定のユーザーにねだる内容を示すおねだりメールを、コンピュータネットワークを介して前記所定のユーザーに配信するおねだりメール配信手段と、
前記おねだりメール配信手段によって配信されたおねだりメールを受信した所定のユーザーから、同意を示す内容の同意メールが受信されたことを確認すると、前記おねだりメールを受信した所定のユーザーに対する課金処理を行う課金手段と
を有するサイト管理者側システム。
【請求項６】
所定の商品を示す商品情報を記憶する商品情報記憶手段と、前記商品情報記憶手段に記憶された商品情報の示す所定の商品の購入を、所定のユーザーにおごる内容を示すおごりメールを、コンピュータネットワークを介して前記所定のユーザーに配信するおごりメール配信手段と、
前記おごりメール配信手段によって前記おごりメールを配信したユーザーに対する課金処理を行う課金手段と
を有するサイト管理者側システム。
【請求項７】
所定の商品を示す商品情報を該商品情報を保有するユーザー毎に記憶する保有商品情報記憶手段と、
コンピュータネットワークを介して接続された端末から送信され、前記保有商品情報記憶手段に記憶された所定の商品情報の示す商品を希望するユーザーからの商品希望情報を受信すると、該商品希望情報の示す商品の商品情報の属性を該商品希望情報のユーザーに変更する交換手段と
を有するサイト管理者側システム。
【請求項８】
コンピュータシステムにより所定のサイトの管理を行うサイト管理方法において、
コンピュータネットワークを介して接続された端末から送信されたユーザーの複数の個人情報を記憶する第１の段階と、
前記第１の段階で記憶された複数の個人情報のそれぞれの公開範囲が、閲覧を希望するユーザーの全員であるのか、または、閲覧を希望するユーザーのうち所定のユーザーであるのかを記憶する第２の段階と、
前記第２の段階で公開範囲が閲覧を希望するユーザーのうち所定のユーザーと記憶された所定の個人情報の公開が、該個人情報のユーザーによって許可されたユーザーを管理する第３の段階と、
コンピュータネットワークを介して接続された端末から送信され、前記第１の段階で記憶された所定のユーザーの所定の個人情報の閲覧を指定する閲覧指定情報を受信する第４の段階と、
前記第４の段階で受信した閲覧指定情報の指定する所定のユーザーの所定の個人情報の公開範囲を、前記第２の段階で記憶された公開範囲に基づいて判断処理する第５の段階と、前記第５の段階の判断処理の結果、前記第４の段階で受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、前記第４の段階で受信した閲覧指定情報の指定する所定のユーザーの所定の個人情報の公開範囲が、閲覧を希望するユーザーのうち所定のユーザーである場合には、前記第３の段階で公開が許可されたとして管理されているユーザーの閲覧指定情報のときに、閲覧指定情報の指定する個人情報をコンピュータネットワークを介して公開する第２の公開処理を行なう第６の段階と
を有するサイト管理方法。
【請求項９】
コンピュータシステムにより所定のサイトの管理を行うサイト管理方法において、
コンピュータネットワークを介して接続された端末から送信された所定のメッセージを示すメッセージ情報と前記メッセージ情報の示すメッセージを公開する日時を示すスケジュール情報とを受け付ける第１の段階と、
前記第１の段階で受け付けたスケジュール情報の示す日時に空きがあるか否かを判断する第２の段階と、
前記第１の段階で受け付けたメッセージ情報の示すメッセージに所定の文言が含まれているか否かを判断する第３の段階と、
前記第２の段階によってスケジュール情報の示す日時に空きがあると判断され、かつ、前記第３の段階によってメッセージ情報の示すメッセージに所定の文言が含まれていないと判断された場合に、前記スケジュール情報ならびにメッセージ情報を送信した端末宛に、コンピュータネットワークを介して受付の完了を示す内容のメールを配信する第４の段階と、
前記第４の段階でメールが配信された後、前記スケジュール情報ならびにメッセージ情報を送信した端末に対する課金処理が完了したことを確認する第５の段階と、
前記第５の段階でスケジュール情報ならびにメッセージ情報を送信した端末に対する課金処理の完了が確認されると、メッセージ情報の示すメッセージをスケジュール情報の示す日時に、所定のサイトの所定のページで公開する第６の段階と
を有するサイト管理方法。
【請求項１０】
コンピュータシステムにより所定のサイトの管理を行うサイト管理方法において、
コンピュータネットワークを介して接続された端末から送信された所定の背景音を指定する背景音指定情報を受信する第１の段階と、
前記第１の段階で受信した背景音指定情報が指定する背景音を、前記背景音指定情報を送信した端末によって聴取可能なように再生する第２の段階と、
前記第２の段階で前記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する第３の段階と、
前記第３の段階で生成された音声情報を記憶する第４の段階と、
コンピュータネットワークを介して接続された端末から送信され、前記第４の段階で記憶された音声情報の公開を指示する公開指定情報に従って、音声情報をコンピュータネットワークを介して公開する第５の段階と
を有するサイト管理方法。
【請求項１１】
コンピュータシステムにより所定のサイトの管理を行うサイト管理方法において、
コンピュータネットワークを介してメールを配信する宛先たるメールアドレスを記憶する第１の段階と、
前記第１の段階で記憶されたメールアドレスの履歴を示す履歴情報を記憶する第２の段階と、
コンピュータネットワークを介して接続された端末から配信されたメールの本文を示すメール本文情報を記憶する第３の段階と、
前記第３の段階でメール本文情報が記憶されると、前記第２の段階で記憶された履歴に従って、前記第１の段階で記憶されたメールアドレスを選別し、複数のメールアドレスを配信先メールアドレスとして決定する第４の段階と、
前記第４の段階で決定された配信先メールアドレスに、前記第３の段階で記憶されたメール本文情報が示す本文のメールを配信する第５の段階と
を有するサイト管理方法。
【請求項１２】
コンピュータシステムにより所定のサイトの管理を行うサイト管理方法において、
所定の商品を示す商品情報を記憶する第１の段階と、
前記第１の段階で記憶された商品情報の示す所定の商品の購入を、所定のユーザーにねだる内容を示すおねだりメールを、コンピュータネットワークを介して前記所定のユーザーに配信する第２の段階と、
前記第２の段階で配信されたおねだりメールを受信した所定のユーザーから、同意を示す内容の同意メールが受信されたことを確認すると、前記おねだりメールを受信した所定のユーザーに対する課金処理を行う第３の段階と
を有するサイト管理方法。
【請求項１３】
コンピュータシステムにより所定のサイトの管理を行うサイト管理方法において、
所定の商品を示す商品情報を記憶する第１の段階と、
前記第１の段階で記憶された商品情報の示す所定の商品の購入を、所定のユーザーにおごる内容を示すおごりメールを、コンピュータネットワークを介して前記所定のユーザーによって配信する第２の段階と、
前記第２の段階で前記おごりメールを配信したユーザーに対する課金処理行う第３の段階と
を有するサイト管理方法。
【請求項１４】
コンピュータシステムにより所定のサイトの管理を行うサイト管理方法において、
所定の商品を示す商品情報を該商品情報を保有するユーザー毎に記憶する第１の段階と、コンピュータネットワークを介して接続された端末から送信され、前記第１の段階で記憶された所定の商品情報の示す商品を希望するユーザーからの商品希望情報を受信すると、該商品希望情報の示す商品の商品情報の属性を該商品希望情報のユーザーに変更する第２の段階と
を有するサイト管理方法。
【請求項１５】
コンピュータシステムにより所定のサイトの管理を行うサイト管理方法において、
ネットワークを介して接続されたユーザー側端末と前記ユーザー側端末のユーザーに所定のサイトを介して所定のサービスを提供するサービス事業者側システムとを有し、
前記所定のサイトにネットワークを介して前記ユーザー側端末によりアクセスするユーザーに、前記所定のサイトのユーザーそれぞれのプロフィールを、閲覧を希望するユーザー毎に段階的に異なる内容で公開する第１のサービス、前記所定のサイトのトップページにおいて、ユーザーの個人的なメッセージを公開する第２のサービス、ユーザーが予め実際の生声で楽曲のサビ部分のみを歌唱しておくと、その後、前記所定のサイトのユーザーが聴取可能なようにその歌声を楽曲とともに公開する第３のサービス、ユーザーの音声のメッセージにＢＧＭを付加して配信する第４のサービス、ユーザーが作成した本文を不特定の複数のユーザーにランダムにメールで配信する第５のサービス、ユーザー自身が欲しいデジタルコンテンツのダウンロードを他のユーザーにねだったり、あるいは、自分で指定したユーザーにデジタルコンテンツのダウンロードをおごったりする第６のサービス、ならびに、自分が保有しているデジタルコンテンツを他のユーザーと交換する第７のサービスの７つのサービスのうちの少なくともいずれか１つのサービスが、ネットワークを介して前記サービス事業者側システムにより前記ユーザーに提供されるように前記所定のサイトを管理する
ものであるサイト管理方法。
【請求項１６】
請求項１乃至請求項７のいずれか１項に記載のサイト管理者側システムとしてコンピュータを機能させるためのプログラム。
【請求項１７】
請求項８乃至請求項１５のいずれか１項に記載のサイト管理方法をコンピュータに実行させるためのプログラム。
【発明の詳細な説明】
【発明の詳細な説明】
【技術分野】
【０００１】本発明は、サイト管理者側システムならびにサイト管理方法およびそのプログラムに関し、さらに詳細には、例えば、インターネットなどのネットワークを介してユーザーがデジタルコンテンツを交換するウェブサイトや、電子掲示板（ＢＢＳ）が設置されているウェブサイトのような、ユーザー相互のコミュニケーションが可能でコミュニティスペースとして機能するコミュニティサイトを管理する管理者が用いて好適なサイト管理者側システムならびにサイト管理方法およびそのプログラムに関する。【０００２】ここで、「デジタルコンテンツ」とは、本明細書においては、ユーザーの各種端末、例えば、携帯電話から放音される着信メロディーなどの音系のデータや、ユーザーの各種端末、例えば、携帯電話の表示画面に表示される待ち受け画面のような静止画像やあるいは動画などの画像系のデータ、あるいはユーザーの各種端末の表示画面に表示されるメッセージ文などのテキスト系のデータなどのような、ユーザーの各種端末において送受信可能な各種のデジタルデータを意味するものとする。
【背景技術】
【０００３】従来より、インターネットなどのネットワークを利用した各種コミュニティサイトがコミュニティサイトの管理者によって管理運営されているが、こうしたコミュニティサイトにおいてユーザーは、ハンドルネームを使用したり、あるいは、簡単なプロフィールのみを公開して、当該コミュニティサイトに参加することが多い。【０００４】ところで、コミュニティサイトの管理者においては、管理しているコミュニティサイトのコミュニティスペースとして機能を十分に発揮させ、当該コミュニティサイト内におけるコミュニケーションを活性化させることができれば、当該コミュニティサイトを利用するユーザーは増加し、注目度の高いデジタルコンテンツを集めることも可能になって、高価値のデジタルコンテンツを管理し収益を確保することもできる。【０００５】しかしながら、従来のようにハンドルネームと簡単なプロフィールのみでユーザーがコミュニティサイトに参加しているだけでは、現実に人間が交流したときに生起されるようなコミュニケーションの活性化を、当該コミュニティサイト内で実現することが困難であるという問題点があった。【０００６】実際、コミュニティサイトにおいて互いに交流を深めたユーザー同士は、例えば、自分の電子メールアドレスを互いに交換するなどして、コミュニティサイト外でコミュニケーションを活性化していく傾向がある。【０００７】このため、コミュニティサイトの管理者側においては、管理しているコミュニティサイト内においてコミュニケーションの活性化を図ることのできる手法の提案が望まれていた。
【発明が解決しようとする課題】
【０００８】本発明は、上記したような従来の技術の有する種々の問題点に鑑みてなされたものであり、その目的とするところは、コミュニティサイト内においてコミュニケーションの活性化を図ることのできるサイト管理者側システムならびにサイト管理方法およびそのプログラムを提供しようとするものである。
【課題を解決するための手段】
【０００９】上記目的を達成するために、本発明のうち請求項１に記載の発明は、コンピュータネットワークを介して接続された端末から送信されたユーザーの複数の個人情報を記憶する個人情報記憶手段と、上記個人情報記憶手段に記憶された複数の個人情報のそれぞれの公開範囲が、閲覧を希望するユーザーの全員であるのか、または、閲覧を希望するユーザーのうち所定のユーザーであるのかを記憶する公開範囲記憶手段と、上記公開範囲記憶手段に公開範囲が閲覧を希望するユーザーのうち所定のユーザーと記憶された所定の個人情報の公開が、該個人情報のユーザーによって許可されたユーザーを管理する許可範囲管理手段と、コンピュータネットワークを介して接続された端末から送信され、上記個人情報記憶手段に記憶された所定のユーザーの所定の個人情報の閲覧を指定する閲覧指定情報を受信する閲覧指定情報受信手段と、上記閲覧指定情報受信手段が受信した閲覧指定情報の指定する所定のユーザーの所定の個人情報の公開範囲を、上記公開範囲記憶手段に基づいて判断処理する判断手段と、上記判断手段による判断処理の結果、上記閲覧指定情報受信手段が受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、上記閲覧指定情報受信手段が受信した閲覧指定情報の指定する所定のユーザーの所定の個人情報の公開範囲が、閲覧を希望するユーザーのうち所定のユーザーである場合には、上記管理手段によって公開が許可されたとして管理されているユーザーの閲覧指定情報のときに、閲覧指定情報の指定する個人情報をコンピュータネットワークを介して公開する第２の公開処理を行なう個人情報公開手段とを有するようにしたものである。
【００１０】また、本発明のうち請求項２に記載の発明は、コンピュータネットワークを介して接続された端末から送信された所定のメッセージを示すメッセージ情報と上記メッセージ情報の示すメッセージを公開する日時を示すスケジュール情報とを受け付ける受付手段と、上記受付手段が受け付けたスケジュール情報の示す日時に空きがあるか否かを判断する第１の判断手段と、上記受付手段が受け付けたメッセージ情報の示すメッセージに所定の文言が含まれているか否かを判断する第２の判断手段と、上記第１の判断手段によってスケジュール情報の示す日時に空きがあると判断され、かつ、上記第２の判断手段によってメッセージ情報の示すメッセージに所定の文言が含まれていないと判断された場合に、上記スケジュール情報ならびにメッセージ情報を送信した端末宛に、コンピュータネットワークを介して受付の完了を示す内容のメールを配信する受付完了メール配信手段と、上記受付完了メール配信手段によってメールが配信された後、上記スケジュール情報ならびにメッセージ情報を送信した端末に対する課金処理が完了したことを確認する課金確認手段と、上記課金確認手段によってスケジュール情報ならびにメッセージ情報を送信した端末に対する課金処理の完了が確認されると、メッセージ情報の示すメッセージをスケジュール情報の示す日時に、所定のサイトの所定のページで公開するメッセージ公開手段とを有するようにしたものである。
【００１１】また、本発明のうち請求項３に記載の発明は、コンピュータネットワークを介して接続された端末から送信された所定の背景音を指定する背景音指定情報を受信する背景音指定情報受信手段と、上記背景音指定情報受信手段が受信した背景音指定情報が指定する背景音を、上記背景音指定情報を送信した端末によって聴取可能なように再生する再生手段と、上記再生手段によって上記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する音声情報生成手段と、上記音声情報生成手段によって生成された音声情報を記憶する音声情報記憶手段と、コンピュータネットワークを介して接続された端末から送信され、上記音声情報記憶手段に記憶された音声情報の公開を指示する公開指定情報に従って、音声情報をコンピュータネットワークを介して公開する音声情報公開手段とを有するようにしたものである。
【００１２】また、本発明のうち請求項４に記載の発明は、コンピュータネットワークを介してメールを配信する宛先たるメールアドレスを記憶するメールアドレス記憶手段と、上記メールアドレス記憶手段に記憶されたメールアドレスの履歴を示す履歴情報を記憶する履歴情報記憶手段と、コンピュータネットワークを介して接続された端末から配信されたメールの本文を示すメール本文情報を記憶するメール本文情報記憶手段と、上記メール本文情報記憶手段にメール本文情報が記憶されると、上記履歴情報記憶手段に記憶された履歴に従って、上記メールアドレス記憶手段に記憶されたメールアドレスを選別し、上記メールアドレス記憶手段に記憶された複数のメールアドレスを配信先メールアドレスとして決定する配信先決定手段と、上記配信先決定手段によって決定された配信先メールアドレスに、上記メール本文情報記憶手段に記憶されたメール本文情報が示す本文のメールを配信するメール配信手段とを有するようにしたものである。
【００１３】また、本発明のうち請求項５に記載の発明は、所定の商品を示す商品情報を記憶する商品情報記憶手段と、上記商品情報記憶手段に記憶された商品情報の示す所定の商品の購入を、所定のユーザーにねだる内容を示すおねだりメールを、コンピュータネットワークを介して上記所定のユーザーに配信するおねだりメール配信手段と、上記おねだりメール配信手段によって配信されたおねだりメールを受信した所定のユーザーから、同意を示す内容の同意メールが受信されたことを確認すると、上記おねだりメールを受信した所定のユーザーに対する課金処理を行う課金手段とを有するようにしたものである。
【００１４】また、本発明のうち請求項６に記載の発明は、所定の商品を示す商品情報を記憶する商品情報記憶手段と、上記商品情報記憶手段に記憶された商品情報の示す所定の商品の購入を、所定のユーザーにおごる内容を示すおごりメールを、コンピュータネットワークを介して上記所定のユーザーに配信するおごりメール配信手段と、上記おごりメール配信手段によって上記おごりメールを配信したユーザーに対する課金処理を行う課金手段とを有するようにしたものである。
【００１５】また、本発明のうち請求項７に記載の発明は、所定の商品を示す商品情報を該商品情報を保有するユーザー毎に記憶する保有商品情報記憶手段と、コンピュータネットワークを介して接続された端末から送信され、上記保有商品情報記憶手段に記憶された所定の商品情報の示す商品を希望するユーザーからの商品希望情報を受信すると、該商品希望情報の示す商品の商品情報の属性を該商品希望情報のユーザーに変更する交換手段とを有するようにしたものである。
【００１６】また、本発明のうち請求項８に記載の発明は、コンピュータシステムにより所定のサイトの管理を行うサイト管理方法において、コンピュータネットワークを介して接続された端末から送信されたユーザーの複数の個人情報を記憶する第１の段階と、上記第１の段階で記憶された複数の個人情報のそれぞれの公開範囲が、閲覧を希望するユーザーの全員であるのか、または、閲覧を希望するユーザーのうち所定のユーザーであるのかを記憶する第２の段階と、上記第２の段階で公開範囲が閲覧を希望するユーザーのうち所定のユーザーと記憶された所定の個人情報の公開が、該個人情報のユーザーによって許可されたユーザーを管理する第３の段階と、コンピュータネットワークを介して接続された端末から送信され、上記第１の段階で記憶された所定のユーザーの所定の個人情報の閲覧を指定する閲覧指定情報を受信する第４の段階と、上記第４の段階で受信した閲覧指定情報の指定する所定のユーザーの所定の個人情報の公開範囲を、上記第２の段階で記憶された公開範囲に基づいて判断処理する第５の段階と、上記第５の段階の判断処理の結果、上記第４の段階で受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、上記第４の段階で受信した閲覧指定情報の指定する所定のユーザーの所定の個人情報の公開範囲が、閲覧を希望するユーザーのうち所定のユーザーである場合には、上記第３の段階で公開が許可されたとして管理されているユーザーの閲覧指定情報のときに、閲覧指定情報の指定する個人情報をコンピュータネットワークを介して公開する第２の公開処理を行なう第６の段階とを有するようにしたものである。
【００１７】また、本発明のうち請求項９に記載の発明は、コンピュータシステムにより所定のサイトの管理を行うサイト管理方法において、コンピュータネットワークを介して接続された端末から送信された所定のメッセージを示すメッセージ情報と上記メッセージ情報の示すメッセージを公開する日時を示すスケジュール情報とを受け付ける第１の段階と、上記第１の段階で受け付けたスケジュール情報の示す日時に空きがあるか否かを判断する第２の段階と、上記第１の段階で受け付けたメッセージ情報の示すメッセージに所定の文言が含まれているか否かを判断する第３の段階と、上記第２の段階によってスケジュール情報の示す日時に空きがあると判断され、かつ、上記第３の段階によってメッセージ情報の示すメッセージに所定の文言が含まれていないと判断された場合に、上記スケジュール情報ならびにメッセージ情報を送信した端末宛に、コンピュータネットワークを介して受付の完了を示す内容のメールを配信する第４の段階と、上記第４の段階でメールが配信された後、上記スケジュール情報ならびにメッセージ情報を送信した端末に対する課金処理が完了したことを確認する第５の段階と、上記第５の段階でスケジュール情報ならびにメッセージ情報を送信した端末に対する課金処理の完了が確認されると、メッセージ情報の示すメッセージをスケジュール情報の示す日時に、所定のサイトの所定のページで公開する第６の段階とを有するようにしたものである。
【００１８】また、本発明のうち請求項１０に記載の発明は、コンピュータシステムにより所定のサイトの管理を行うサイト管理方法において、コンピュータネットワークを介して接続された端末から送信された所定の背景音を指定する背景音指定情報を受信する第１の段階と、上記第１の段階で受信した背景音指定情報が指定する背景音を、上記背景音指定情報を送信した端末によって聴取可能なように再生する第２の段階と、上記第２の段階で上記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する第３の段階と、上記第３の段階で生成された音声情報を記憶する第４の段階と、コンピュータネットワークを介して接続された端末から送信され、上記第４の段階で記憶された音声情報の公開を指示する公開指定情報に従って、音声情報をコンピュータネットワークを介して公開する第５の段階とを有するようにしたものである。
【００１９】また、本発明のうち請求項１１に記載の発明は、コンピュータシステムにより所定のサイトの管理を行うサイト管理方法において、コンピュータネットワークを介してメールを配信する宛先たるメールアドレスを記憶する第１の段階と、上記第１の段階で記憶されたメールアドレスの履歴を示す履歴情報を記憶する第２の段階と、コンピュータネットワークを介して接続された端末から配信されたメールの本文を示すメール本文情報を記憶する第３の段階と、上記第３の段階でメール本文情報が記憶されると、上記第２の段階で記憶された履歴に従って、上記第１の段階で記憶されたメールアドレスを選別し、複数のメールアドレスを配信先メールアドレスとして決定する第４の段階と、上記第４の段階で決定された配信先メールアドレスに、上記第３の段階で記憶されたメール本文情報が示す本文のメールを配信する第５の段階とを有するようにしたものである。
【００２０】また、本発明のうち請求項１２に記載の発明は、コンピュータシステムにより所定のサイトの管理を行うサイト管理方法において、所定の商品を示す商品情報を記憶する第１の段階と、上記第１の段階で記憶された商品情報の示す所定の商品の購入を、所定のユーザーにねだる内容を示すおねだりメールを、コンピュータネットワークを介して上記所定のユーザーに配信する第２の段階と、上記第２の段階で配信されたおねだりメールを受信した所定のユーザーから、同意を示す内容の同意メールが受信されたことを確認すると、上記おねだりメールを受信した所定のユーザーに対する課金処理を行う第３の段階とを有するようにしたものである。
【００２１】また、本発明のうち請求項１３に記載の発明は、コンピュータシステムにより所定のサイトの管理を行うサイト管理方法において、所定の商品を示す商品情報を記憶する第１の段階と、上記第１の段階で記憶された商品情報の示す所定の商品の購入を、所定のユーザーにおごる内容を示すおごりメールを、コンピュータネットワークを介して上記所定のユーザーによって配信する第２の段階と、上記第２の段階で上記おごりメールを配信したユーザーに対する課金処理行う第３の段階とを有するようにしたものである。
【００２２】また、本発明のうち請求項１４に記載の発明は、コンピュータシステムにより所定のサイトの管理を行うサイト管理方法において、所定の商品を示す商品情報を該商品情報を保有するユーザー毎に記憶する第１の段階と、コンピュータネットワークを介して接続された端末から送信され、上記第１の段階で記憶された所定の商品情報の示す商品を希望するユーザーからの商品希望情報を受信すると、該商品希望情報の示す商品の商品情報の属性を該商品希望情報のユーザーに変更する第２の段階とを有するようにしたものである。
【００２３】また、本発明のうち請求項１５に記載の発明は、コンピュータシステムにより所定のサイトの管理を行うサイト管理方法において、ネットワークを介して接続されたユーザー側端末と上記ユーザー側端末のユーザーに所定のサイトを介して所定のサービスを提供するサービス事業者側システムとを有し、上記所定のサイトにネットワークを介して上記ユーザー側端末によりアクセスするユーザーに、上記所定のサイトのユーザーそれぞれのプロフィールを、閲覧を希望するユーザー毎に段階的に異なる内容で公開する第１のサービス、上記所定のサイトのトップページにおいて、ユーザーの個人的なメッセージを公開する第２のサービス、ユーザーが予め実際の生声で楽曲のサビ部分のみを歌唱しておくと、その後、上記所定のサイトのユーザーが聴取可能なようにその歌声を楽曲とともに公開する第３のサービス、ユーザーの音声のメッセージにＢＧＭを付加して配信する第４のサービス、ユーザーが作成した本文を不特定の複数のユーザーにランダムにメールで配信する第５のサービス、ユーザー自身が欲しいデジタルコンテンツのダウンロードを他のユーザーにねだったり、あるいは、自分で指定したユーザーにデジタルコンテンツのダウンロードをおごったりする第６のサービス、ならびに、自分が保有しているデジタルコンテンツを他のユーザーと交換する第７のサービスの７つのサービスのうちの少なくともいずれか１つのサービスが、ネットワークを介して上記サービス事業者側システムにより上記ユーザーに提供されるように上記所定のサイトを管理するものであるようにしたものである。
【００２４】また、本発明のうち請求項１６に記載の発明は、請求項１乃至請求項７のいずれか１項に記載のサイト管理者側システムとしてコンピュータを機能させるためのプログラムとしたものである。
【００２５】また、本発明のうち請求項１７に記載の発明は、請求項８乃至請求項１５のいずれか１項に記載のサイト管理方法をコンピュータに実行させるためのプログラムとしたものである。
【００２６】従って、本発明のうち請求項１乃至請求項１７に記載の発明によれば、コミュニティサイト内においてコミュニケーションの活性化を図ることができる。
【発明を実施するための形態】
【００２７】以下、添付の図面を参照しながら、本発明によるサイト管理者側システムならびにサイト管理方法およびそのプログラムの実施の形態の一例を詳細に説明する。
【００２８】まず、はじめに、本発明によるサイト管理者側システムの理解を容易にするために、図１を参照しながら、その概要について説明する。
【００２９】本発明によるサイト管理者側システム１０は、コミュニティサイトを介してデジタルコンテンツの配信などの各種サービスを行う事業者などのサービス事業者側システム１２と、課金処理などを行う基幹サービス事業者などのインフラ／課金事業者側システム１４とが、インターネットなどのネットワーク１６を介して接続されている。
【００３０】そして、このサイト管理者側システム１０には、ネットワーク１６を介して、コミュニティサイトの閲覧などが可能なユーザーのユーザー側端末１８が接続可能なものである。
【００３１】ここで、サービス事業者側システム１２とインフラ／課金事業者側システム１４とユーザー側端末１８とは、それぞれネットワーク１６を介して通信可能なコンピュータシステムにより構築されており、ネットワーク１６を介して各種のデジタルデータの送受信が可能となされている。
【００３２】そして、ユーザー側端末１８は、当然のことながら、ネットワーク１６に接続してサービス事業者側システム１２が配信するデジタルコンテンツを閲覧することが可能であるとともに、ネットワーク１６を介してサービス事業者側システム１２が配信するデジタルコンテンツをダウンロードすることが可能であり、ネットワーク１６を介してウェブサイトにデジタルコンテンツをアップロードすることが可能なものとする。
【００３３】こうしたユーザー側端末１８としては、例えば、携帯電話、パーソナルコンピュータ、ＰＤＡのような小型情報携帯端末、家庭用ゲーム端末あるいはその他家電タイプの端末などを用いることができる。
【００３４】なお、ユーザー側端末１８は、図１においては説明の都合上１台しか図示されていないが、後述するコミュニティサイト１０００の利用者の総数などに応じて、任意の数のユーザー側端末１８がサイト管理者側システム１０に接続可能なものである。
【００３５】また、サービス事業者側システム１２は、各種デジタルデータをそれぞれ記憶する複数のデータベースからなるデータベースサーバ１２−１と、電子メールの送受信を行うメールサーバー１２−２と、電話回線接続に対応するＣＴＩサーバーなどの音声サーバー１２−３と、ウェブメールの管理などを行なうウェブメールサーバ１２−４と、ウェブページの管理などを行うウェブサーバー１２−５とを有して構成されている。なお、音声サーバー１２−３には楽曲再生用の音声ボードと音声録音用の音声ボードとが備えられている。
【００３６】一方、インフラ／課金事業者側システム１４は、電子メールの送受信を行うメールサーバー１４−１と、課金処理などを行う課金サーバー１４−２とを有して構成されている。
【００３７】これらデータベースサーバ１２−１、メールサーバー１２−２、音声サーバー１２−３、ウェブメールサーバー１２−４、ウェブサーバー１２−５、メールサーバー１４−１ならびに課金サーバー１４−２はいずれも、他のサーバーやユーザー側端末１８とネットワーク１６を介して各種デジタルデータの送信ならびに受信を行なう通信手段と、通信手段によって送信ならびに受信された各種デジタルデータを記憶する記憶手段と、記憶手段にデジタルデータを記憶させる処理など全体の制御を行なう制御手段とを有して構成されている。
【００３８】以上の構成において、本発明によるサイト管理者側システム１０の動作について説明する。
【００３９】ここで、この実施の形態においては、サイト管理者側システム１０によって、図２に示すコミュニティサイトの運営が実現されるものとする。図２には、コミュニティサイト１０００のデジタルコンテンツの全体像を模式的に示した説明図が示されている。ユーザーはユーザー側端末１８を用いネットワーク１６を介してこのコミュニティサイト１０００にアクセスすることによって、サイト管理者側システム１０により提供されるプロフィールサービス１００２、電光掲示板サービス１００４、カラオケハウスサービス１００６、ボイスメールサービス１００８、ランダムメールサービス１０１０ならびにショップサービス１０１２を利用可能なものである。
【００４０】なお、この実施の形態においては、本発明の理解を容易にするために、ユーザー側端末１８として携帯電話を用いた場合を例にして説明する。
【００４１】また、上記したサイト管理者側システム１０により提供される各種サービス（図２参照）を利用可能なユーザーについては、ユーザー側端末１８としての携帯電話とサイト管理者側システム１０との間で、ネットワーク１６を介して各種デジタルデータや電子メールの送受信などを行うために必要な各種処理が既になされているものとする。
【００４２】即ち、ユーザーは予め、サイト管理者側システム１０により提供される各種サービスを利用可能な、サイト管理者側システム１０のデジタルコンテンツの配信サービスに加入する。そして、ユーザーはユーザー側端末１８たる携帯電話によってコミュニティサイト１０００にアクセスして所定の入力作業を行って入会し、その退会処理を行うまでの間は、所定の個別識別番号（ＩＤ）を有する会員として認証された状態でサイト管理者側システム１０により提供される各種サービスを利用可能なものである。
【００４３】以下、サイト管理者側システム１０により提供される（１）プロフィールサービス１００２、（２）電光掲示板サービス１００４、（３）カラオケハウスサービス１００６、（４）ボイスメールサービス１００８、（５）ランダムメールサービス１０１０、（６）ショップサービス１０１２を順次説明することとする。
【００４４】なお、ユーザー側端末１８とサイト管理者側システム１０との間のデジタルコンテンツの配信サービス、即ち、ユーザー側端末１８からサイト管理者側システム１０へのデジタルコンテンツの配信の要求に応じて、サイト管理者側システム１０からユーザー側端末１８にデジタルコンテンツをダウンロードして、ダウンロードしたデジタルコンテンツをユーザー側端末１８に保存する処理に関しては、従来より公知の技術を用いることができるので、その詳細な構成ならびに作用の説明は省略する。
【００４５】（１）プロフィールサービス１００２
図３乃至図１３を参照しながら、コミュニティサイト１０００（図２参照）を介して、サイト管理者側システム１０により提供されるプロフィールサービス１００２について説明する。
【００４６】このプロフィールサービス１００２は、ユーザーによって予め登録されたコミュニティサイト１０００において使用するユーザーそれぞれのプロフィールを、閲覧を希望するユーザー全員に一様に公開するのではなく、閲覧を希望するユーザー毎に段階的に異なる内容で公開するものである。
【００４７】なお、図９、図１０ならびに図１３には、プロフィールサービス１００２において、ユーザー側端末１８たる携帯電話の表示部に表示される画面の一例を示す説明図が示されている。
【００４８】（１−１）プロフィールサービスの利用登録手順
図３を参照しながら、プロフィールサービスの利用登録手順を説明すると、まず、既に会員としての地位を有し個別識別番号（ＩＤ）を有しているユーザーのユーザー側端末１８たる携帯電話とサイト管理者側システム１０のデータベースサーバ１２−１とを、ネットワーク１６を介して接続し（図３における矢印（Ａ１）参照）、携帯電話の表示部にプロフィールサービスの利用登録画面の表紙を表示し、プロフィールサービスの利用登録の確認を行う。
【００４９】そして、ユーザーが利用登録に同意しない場合には、プロフィールサービスの利用登録を中止し、携帯電話の表示部にはプロフィールサービスの利用登録不可能の案内画面１０１を表示する（図３における矢印（Ａ２）参照）。
【００５０】一方、ユーザーが利用登録に同意する場合には、利用登録に同意したユーザーの個別識別番号（ＩＤ）と利用同意の情報とをデータベースサーバ１２−１の利用者管理データベース１２ａに記録する（図３における矢印（Ａ３）参照）。ここで、利用者管理データベース１２ａは、所定のサービスを利用するユーザーの個別識別番号（ＩＤ）とその利用同意を示す情報とを記録して、サイト管理者側システム１０により提供される各種サービスを利用するユーザーに関する状況の管理を行うためのデータベースである。
【００５１】続いて、利用登録に同意したユーザーのユーザー側端末１８たる携帯電話の表示部に、電子メールの送信フォーム画面１０２を自動的に起動して表示する（図３における矢印（Ａ４）参照）。ここで表示される電子メールの送信フォーム画面１０２においては、既にサイト管理者側システム１０宛の電子メールアドレスが指定されており、ユーザーは送信を選択するだけでよい。
【００５２】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための利用同意確認電子メールを、インフラ／課金事業者側システム１４のメールサーバ１４−１に送信する（図３における矢印（Ａ５）参照）。この利用同意確認電子メールは、メールサーバー１４−１によってユーザー側端末１８たる携帯電話に送信される（図３における矢印（Ａ６）参照）。
【００５３】（１−２）テキスト系のデータからなる個人情報の登録手順
上記（１−１）に示したプロフィールサービスの利用登録手順に続いて、利用同意確認電子メールにより配信された指定ＵＲＬに、ユーザーが携帯電話をネットワーク１６を介して接続すると（図４における矢印（Ａ７）参照）、携帯電話の表示部にプロフィールサービスの利用登録完了画面１０３を表示し、個人情報の登録開始を行う。
【００５４】この個人情報の登録開始に際して、まず、サイト管理者側システム１０のデータベースサーバ１２−１は、利用者管理データベース１２ａに記録された利用者の個別識別番号（ＩＤ）を取得する。そして、取得した利用者の個別識別番号（ＩＤ）を、データベースサーバ１２−１の個人情報管理データベース１２ｂに記録する（レコード追加／登録する）。
【００５５】ここで、個人情報管理データベース１２ｂは、個人情報を記録して、プロフィールサービスを利用するユーザーの個別識別番号（ＩＤ）毎に１レコードの管理を行うためのデータベースである。従って、データベースサーバ１２−１により個人情報管理データベース１２ｂにレコード追加／登録がなされると、プロフィールサービスの利用登録が完了したユーザーに対応させて、そのユーザーの個人情報を記録するエリアが個人情報管理データベース１２ｂに確保されるものである。
【００５６】次に、データベースサーバ１２−１は、携帯電話の表示部の画面を、利用登録完了画面１０３から個人情報入力画面１０４へ切り換える（図４における矢印（Ａ８）参照）。そこで、携帯電話の表示部に表示された個人情報入力画面１０４を参照しながら、ユーザーがテキスト系のデータからなる個人情報の入力を行うと、テキスト系のデータからなる個人情報が、データベースサーバ１２−１によって個人情報管理データベース１２ｂに記録される。
【００５７】図９には、テキスト系のデータの個人情報を登録する処理のときに、ユーザー側端末１８たる携帯電話の表示部に表示される画面、即ち、個人情報入力画面の一例を示す説明図が示されている。この図に示す個人情報入力画面は、個人情報入力画面１０４ａ→個人情報入力画面１０４ｂ→個人情報入力画面１０４ｃと遷移する。そして、個人情報入力画面１０４ａ，１０４ｂ，１０４ｃにはそれぞれ、テキスト系のデータからなる個人情報を構成する各種の管理項目に対応するテキスト入力用エリアが設けられている。
【００５８】従って、ユーザーが個人情報入力画面１０４ａ，１０４ｂ，１０４ｃの各テキスト入力用エリアに文字や数字などのテキストを入力すると、図１１に示すようなテキスト系のデータからなる個人情報が個人情報管理データベース１２ｂに記録される。
【００５９】ここで、個人情報管理データベース１２ｂに記録されるテキスト系のデータからなる個人情報を構成する各種の管理項目データとしては、例えば、個別識別番号（ＩＤ）、ハンドルネーム、性別、生年月日、年齢、星座、血液型、性格、仕事・職業、所在地、体型、ライフスタイル、好きなもの、嫌いなもの、タバコ、お酒、好きなアーティスト、趣味、自己紹介、ＰＲ用メッセージなどがある。また、個人情報入力画面１０４ｂにおいて選択されたアバターに関する情報も、個人情報管理データベース１２ｂに記録される。
【００６０】（１−３）音系のデータからなる個人情報の登録手順
データベースサーバ１２−１により、テキスト系のデータからなる個人情報を登録する処理が終了すると、音系のデータからなる個人情報を登録する処理が行われる（図４における矢印（Ａ９）参照）。
【００６１】音系のデータからなる個人情報の登録に際して、まず、サイト管理者側システム１０のデータベースサーバ１２−１は、携帯電話の表示部にユーザーの電話番号を取得するための画面１０５を表示する（図５における矢印（Ａ１０）参照）。ここで、画面１０５の所定のエリアをユーザーが選択すると、音系のデータからなる個人情報の登録準備をするための電話番号を音声サーバー１２−３が選択決定して、携帯電話の表示部に選択決定された電話番号を通知する画面１０６を表示する（図５における矢印（Ａ１１）参照）。
【００６２】この後、音声サーバー１２−３は、ユーザーのユーザー側端末１８たる携帯電話とサイト管理者側システム１０のデータベースサーバ１２−１とのネットワーク１６を介した接続を終了させ（図５における矢印（Ａ１２）参照）、画面１０６に表示された音系のデータからなる個人情報の登録準備するための電話番号で携帯電話から自動的に電話回線接続を行う（図５における矢印（Ａ１３）参照）。
【００６３】そして、ユーザー側端末１８たる携帯電話からの着信を確認した音声サーバー１２−３は、着信番号の取得処理を行い（図５における矢印（Ａ１４）参照）、ユーザー側端末１８からのトーン発信を待ち（図５における矢印（Ａ１５）参照）、ユーザー側端末１８へ電話回線接続を行う（図５における矢印（Ａ１６）参照）。この後、ユーザー側端末１８からのトーン発信により電話回線接続が行われると（図５における矢印（Ａ１７）参照）、音声サーバー１２−３はトーン取得処理を行う。（図５における矢印（Ａ１８）参照）。
【００６４】こうして、トーン取得処理により音声サーバー１２−３がユーザーのユーザー側端末１８から着信番号とトーンとを取得すると、データベースサーバ１２−１の利用者管理データベース１２ａから取得した着信番号ならびにトーンに一致するレコードを検索し、さらに機能ＩＤを取得する（図５における矢印（Ａ１９）参照）。そして、取得した着信番号ならびにトーンに一致するレコ−ドに、画面１０６に表示された音系のデータからなる個人情報を登録するための電話番号を示すデータを追加して、利用者管理データベース１２ａの記録内容を更新する（図５における矢印（Ａ２０）参照）。
【００６５】それから、音声サーバー１２−３は電話回線を通じて携帯電話に登録完了を伝える音声のガイダンスを流し（図５における矢印（Ａ２１）参照）、電話回線接続を終了させる（図５における矢印（Ａ２２）参照）。そして、データベースサーバ１２−１によりネットワーク１６を介して、ユーザーのユーザー側端末１８たる携帯電話とサイト管理者側システム１０のデータベースサーバ１２−１とを接続させ（図５における矢印（Ａ２３）参照）、携帯電話の表示部に、利用登録完了画面１０７を表示する。
【００６６】この利用登録完了画面１０７から、携帯電話の表示部は、音系のデータからなる個人情報を登録するために選択決定された電話番号を通知する画面１０８に切り換わる（図６における矢印（Ａ２４）参照）。
【００６７】この後、音声サーバー１２−３は、ユーザーのユーザー側端末１８たる携帯電話とサイト管理者側システム１０のデータベースサーバ１２−１とのネットワーク１６を介した接続を終了させ（図６における矢印（Ａ２５）参照）、画面１０８に表示された音系のデータからなる個人情報を登録するための電話番号で携帯電話から自動的に電話回線接続を行う（図６における矢印（Ａ２６）参照）。
【００６８】そして、ユーザー側端末１８たる携帯電話からの着信を確認した音声サーバー１２−３は、着信番号の取得処理を行う（図６における矢印（Ａ２７）参照）。それから、データベースサーバ１２−１の利用者管理データベース１２ａから、取得した着信番号に一致するレコードを検索し（図６における矢印（Ａ２８）参照）、さらに機能ＩＤを取得する（図６における矢印（Ａ２９）参照）。この後、音声サーバー１２−３は予め音声管理データベース１２ｃに記録されていたデータに基づいて、ユーザーに録音開始を伝えるガイダンスを音声で流す（図６における矢印（Ａ３０）参照）。
【００６９】この録音開始を伝える音声のガイダンスを聴取したユーザーは、ユーザー側端末１８たる携帯電話から音声を入力する（図６における矢印（Ａ３１）参照）。そして、入力されたユーザーの音声は、音声サーバー１２−３の音声録音用の音声ボードによって所定の形式の録音データに変換されて、音系のデータからなる個人情報として音声管理データベース１２ｃに記録される。
【００７０】ここで、音声管理データベース１２ｃは、音系のデータからなる個人情報や、各種ガイダンスの音声や楽曲などを記録して、音・音声・音楽など各種音系のデータの管理を行うためのデータベースである。
【００７１】この後、音声サーバー１２−３は携帯電話からの「♯」のプッシュ入力を確認すると、予め音声管理データベース１２ｃに記録されていたデータに基づいて、ユーザーに録音終了を伝えるガイダンスを音声で流す（図７における矢印（Ａ３２）参照）。一方、音声サーバー１２−３は携帯電話からの「♯」以外のプッシュ入力を確認すると、予め音声管理データベース１２ｃに記録されていたデータに基づいて、ユーザーに誤ったキー操作を伝えるアナウンスを音声で流す（図７における矢印（Ａ３３）参照）。
【００７２】ここで、音声サーバー１２−３により録音終了のガイダンスがなされた後、携帯電話からの「２」のプッシュ入力を確認した場合には、録音した音声を再生し（図７における矢印（Ａ３４）参照）、その後再び録音終了のガイダンスを行なう（図７における矢印（Ａ３５）参照）。また、ここで、音声サーバー１２−３により録音終了のガイダンスがなされた後、携帯電話からの「１」のプッシュ入力を確認した場合には、録音のやり直しのため再び録音開始のガイダンスを行なう（図７における矢印（Ａ３６）参照）。
【００７３】そして、音声サーバー１２−３により録音終了のガイダンスがなされた後、携帯電話からの「♯」のプッシュ入力を確認すると、予め音声管理データベース１２ｃに記録されていたデータに基づいて、ユーザーに録音終了を伝えるガイダンスを音声で流し（図７における矢印（Ａ３７）参照）、電話回線接続を終了させる（図７における矢印（Ａ３８）参照）。
【００７４】電話回線接続終了の後、ユーザーのユーザー側端末１８たる携帯電話とサイト管理者側システム１０のデータベースサーバ１２−１とをネットワーク１６を介して接続させ（図７における矢印（Ａ３９）参照）、データベースサーバー１２−１により、携帯電話の表示部には、録音完了画面１０９が表示される。
【００７５】なお、録音されたユーザーの音声、即ち、音系のデータからなる個人情報は音声管理データベース１２ｃに記録されているが、この音系のデータからなる個人情報に関しては、音声公開選択画面１１０において公開するか否かの選択がユーザーにより可能となされている（図７における矢印（Ａ４０）参照）。
【００７６】具体的には、ユーザーが音声公開選択画面１１０の「みんなに公開」のエリアを選択すると、音系のデータからなる個人情報の閲覧を希望するユーザーの全員に公開するためのフラグが個人情報管理データベース１２ｂに登録され、音系のデータからなる個人情報の公開範囲は、閲覧を希望するユーザーの全員となる。
【００７７】一方、ユーザーが音声公開選択画面１１０の「許可した人だけ」のエリアを選択すると、音系のデータからなる個人情報の閲覧を希望するユーザーのうち所定のユーザーに公開するためのフラグが個人情報管理データベース１２ｂに登録され、音系のデータからなる個人情報の公開範囲は、閲覧を希望するユーザーのうち所定のユーザーとなる。
【００７８】（１−４）画像系のテータからなる個人情報の登録手順
音系のデータからなる個人情報を登録する処理が終了すると、画像系のデータからなる個人情報の登録に関して、ユーザーの自動エントリー処理が行われる（図８における矢印（Ａ４１）参照）。
【００７９】そして、ユーザー側端末１８たる携帯電話の表示部に、電子メールの送信フォーム画面１１１を自動的に起動して表示する（図８における矢印（Ａ４２）参照）。ここで表示される電子メールの送信フォーム画面１１１においては、既にサイト管理者側システム１０宛の電子メールアドレスが指定されており、ユーザーは送信を選択するだけでよい。
【００８０】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための画像登録用電子メールを、インフラ／課金事業者側システム１４のメールサーバ１４−１に送信する（図８における矢印（Ａ４３）参照）。この画像登録用電子メールは、メールサーバー１４−１によってユーザー側端末１８たる携帯電話に送信される（図８における矢印（Ａ４４）参照）。
【００８１】ユーザーは、画像登録用電子メールにより配信された指定ＵＲＬ宛に、カメラ付き携帯電話などでユーザー自身を撮影した画像を送信する（図８における矢印（Ａ４５）参照）。すると、データベースサーバ１２−１は、送信された画像のデータを、画像系のデータからなる個人情報として個人情報管理データベース１２ｂに記録し、携帯電話の表示部に画像登録完了画面１１２を表示する（図８における矢印（Ａ４６）参照）。
【００８２】なお、登録されたユーザー自身を示す画像、即ち、画像系のデータからなる個人情報は個人情報管理データベース１２ｂに記録されているが、この画像系のデータからなる個人情報に関しては、音系のデータからなる個人情報と同様に、画像公開選択画面１１３において公開するか否かの選択がユーザーにより可能となされている（図８における矢印（Ａ４７）参照）。
【００８３】具体的には、ユーザーが画像公開選択画面１１３の「みんなに公開」のエリアを選択すると、画像系のデータからなる個人情報の閲覧を希望するユーザーの全員に公開するためのフラグが個人情報管理データベース１２ｂに登録され、画像系のデータからなる個人情報の公開範囲は、閲覧を希望するユーザーの全員となる。
【００８４】一方、ユーザーが画像公開選択画面１１３の「許可した人だけ」のエリアを選択すると、画像系のデータからなる個人情報の閲覧を希望するユーザーのうち所定のユーザーに公開するためのフラグが個人情報管理データベース１２ｂに登録され、画像系のデータからなる個人情報の公開範囲は、閲覧を希望するユーザーのうち所定のユーザーとなる。
【００８５】（１−５）個人情報の公開手順
上記（１−２）に記載したようにしてテキスト系のデータからなる個人情報が記録され、上記（１−３）に記載したようにして音系のデータからなる個人情報が記録され、上記（１−４）に記載したようにして画像系のデータからなる個人情報が記録されると、図１１に示すように、サイト管理者側システム１０には所定のユーザー（例えば、ユーザーＡ）の複数の個人情報が記憶されることになる。
【００８６】そして、個人情報管理データベース１２ｂによって、音系のデータからなる個人情報ならびに画像系のデータからなる個人情報の公開範囲が管理されている。例えば、図１１に示す個人情報のユーザーＡによって、音系のデータからなる個人情報ならびに画像系のデータからなる個人情報の公開範囲は、閲覧を希望するユーザーのうち所定のユーザーとなされている。なお、テキスト系のデータからなる個人情報の公開範囲は予め、閲覧を希望するユーザーの全員となされている。
【００８７】ここで、サイト管理者側システム１０により、コミュニティサイト１０００のユーザーＡは、コミュニティサイト１０００の他のユーザー、例えばユーザーＢ、ユーザーＣならびにユーザーＤとの間で、コミュニティサイト１０００内において電子メールやウェブメールを介して暗号化された公開鍵の授受が可能となされている（図１２参照）。
【００８８】例えば、ユーザーＡがユーザーＢに対して、ユーザーＡの音系のデータからなる個人情報の公開をユーザーＢに許可する公開鍵となる電子メールを、コミュニティサイト１０００内において送信する。そして、この電子メールを受信したユーザーＢから公開鍵の受信確認を示す電子メールがユーザーＡに対して返信される。こうしたユーザーＡとユーザーＢとの間の公開鍵の授受は、サービス事業者側システム１２により管理され、公開範囲が閲覧を希望するユーザーのうち所定のユーザーとなされているユーザーＡの音系のデータからなる個人情報の公開に関して、ユーザーＢはユーザーＡによって許可されたユーザーとして管理される。
【００８９】また、ユーザーＡがユーザーＣに対して、ユーザーＡの音系のデータからなる個人情報ならびに画像系のデータからなる個人情報の公開をユーザーＣに許可する公開鍵となる電子メールを、コミュニティサイト１０００内において送信する。そして、この電子メールを受信したユーザーＣから公開鍵の受信確認を示す電子メールがユーザーＡに対して返信される。こうしたユーザーＡとユーザーＣとの間の公開鍵の授受は、サービス事業者側システム１２により管理され、公開範囲が閲覧を希望するユーザーのうち所定のユーザーとなされているユーザーＡの音系のデータからなる個人情報ならびに画像系のデータからなる個人情報の公開に関して、ユーザーＣはユーザーＡによって許可されたユーザーとして管理される。
【００９０】そして、ユーザーＡとユーザーＤとの間では、公開鍵の授受がなされていない。こうした場合に、サービス事業者側システム１２によってユーザーＤに対するユーザーＡの個人情報の公開が制限され、ユーザーＡとの間で公開鍵が授受されていないユーザーＤには、ユーザーＡの個人情報のうちのテキスト系のデータからなる個人情報だけが公開可能であって（図１３に示す画面１１４参照）、ユーザーＡの音系のデータからなる個人情報ならびに画像系のデータからなる個人情報を公開することはできない（図１３に示す画面１１５ならびに画面１１６参照）。
【００９１】また、ユーザＢの場合には、ユーザーＡの個人情報のうちのテキスト系のデータからなる個人情報と音系のデータからなる個人情報とは公開可能であって（図１３に示す画面１１４ならびに画面１１７参照）、ユーザーＡの画像系のデータからなる個人情報を公開することはできない（図１３に示す画面１１６参照）。
【００９２】そして、ユーザＣの場合には、ユーザーＡの個人情報の全て、即ち、ユーザーＡのテキスト系のデータからなる個人情報と音系のデータからなる個人情報と画像系のデータからなる個人情報が公開可能である（図１３に示す画面１１８参照）。
【００９３】こうしてプロフィールサービス１００２によれば、コミュニティサイト１０００を利用するユーザーは、自身と同じくこのコミュニティサイト１０００を利用する他のユーザーのプロフィールを段階的に閲覧することができるので、公開鍵の授受が進むようにコミュニティサイト１００内でユーザー同士のコミュニケーションが活性化される。
【００９４】（２）電光掲示板サービス１００４
図１４乃至図２１を参照しながら、コミュニティサイト１０００（図２参照）を介して、サイト管理者側システム１０により提供される電光掲示板サービス１００４について説明する。
【００９５】この電光掲示板サービス１００４は、あたかも人通りの多い街頭の大型ビジョンで個人的なメッセージを公開するように、コミュニティサイト１０００にアクセスするユーザーの多くが閲覧するトップページにおいて、ユーザーの個人的なメッセージを公開するものである。
【００９６】なお、図２０ならびに図２１には、電光掲示板サービス１００４において、ユーザー側端末１８たる携帯電話の表示部に表示される画面の一例を示す説明図が示されている。
【００９７】（２−１）電光掲示板サービスの利用登録手順
図１４を参照しながら、電光掲示板サービスの利用登録手順を説明すると、まず、既に会員としての地位を有し個別識別番号（ＩＤ）を有しているユーザーのユーザー側端末１８たる携帯電話とサイト管理者側システム１０のデータベースサーバ１２−１とを、ネットワーク１６を介して接続し（図１４における矢印（Ｂ１）参照）、携帯電話の表示部に電光掲示板サービスの表紙画面２０１を表示する。
【００９８】ここで、電光掲示板サービスの表紙画面２０１のサービス説明のエリアをユーザーが選択すると、携帯電話の表示部の画面が電光掲示板サービスの表紙画面２０１からサービス説明の画面２０２に切り換わる（図１４における矢印（Ｂ２）参照）。また、電光掲示板サービスの表紙画面２０１のサービス予約のエリアをユーザーが選択すると、携帯電話の表示部の画面が電光掲示板サービスの表紙画面２０１からサービス予約の説明の画面２０３に切り換わる（図１４における矢印（Ｂ３）参照）。なお、サービス説明の画面２０２ならびにサービス予約の説明の画面２０３から再び電光掲示板サービスの表紙画面２０１に切り換えることも可能である（図１４における矢印（Ｂ４）（Ｂ５）参照）。
【００９９】そして、電光掲示板サービスの表紙画面２０１の利用規約のエリアをユーザーが選択した場合ならびにサービス予約の説明の画面２０３のサービス開始のエリアをユーザーが選択した場合には、携帯電話の表示部には利用規約に同意するか同意しないかの選択画面２０４が表示される（図１４における矢印（Ｂ６）（Ｂ７）参照）。
【０１００】そして、ユーザーが利用規約に同意しない場合には、電光掲示板サービスの利用登録を中止し、携帯電話の表示部には電光掲示板サービスの利用登録不可能の案内画面２０５を表示し（図１４における矢印（Ｂ８）参照）、その後、電光掲示板サービスの表紙画面２０１に戻る（図１４における矢印（Ｂ９）参照）。
【０１０１】一方、ユーザーが利用規約に同意する場合には、利用規約に同意したユーザーの個別識別番号（ＩＤ）と利用同意の情報とをデータベースサーバ１２−１の利用者管理データベース１２ａに記録する（図１４における矢印（Ｂ１０）参照）。
【０１０２】続いて、利用規約に同意したユーザーのユーザー側端末１８たる携帯電話の表示部に、電子メールの送信フォーム画面２０６を自動的に起動して表示する（図１４における矢印（Ｂ１１）参照）。ここで表示される電子メールの送信フォーム画面２０６においては、既にサイト管理者側システム１０宛の電子メールアドレスが指定されており、ユーザーは送信を選択するだけでよい。
【０１０３】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための利用同意確認電子メールを、インフラ／課金事業者側システム１４のメールサーバ１４−１に送信する（図１４における矢印（Ｂ１２）参照）。この利用同意確認電子メールは、メールサーバー１４−１によってユーザー側端末１８たる携帯電話に送信される（図１４における矢印（Ｂ１３）参照）。
【０１０４】（２−２）仮予約の手順
上記（２−１）に示した電光掲示板サービスの利用登録手順に続いて、利用同意確認電子メールにより配信された指定ＵＲＬに、ユーザーが携帯電話をネットワーク１６を介して接続すると（図１５における矢印（Ｂ１４）参照）、携帯電話の表示部に電光掲示板サービスの利用登録完了画面２０７が表示される。
【０１０５】そして、サイト管理者側システム１０のデータベースサーバ１２−１は、携帯電話の表示部の表示を利用登録完了画面２０７からスケジュール予約画面２０８に切り換える（図１５における矢印（Ｂ１５）参照）。
【０１０６】ここで、スケジュール予約画面２０８の所定のエリアに、ユーザーが特定の個人などに対して伝えたいメッセージの公開を希望する日付を西暦年月日で入力すると、データベースサーバ１２−１は、予約管理データベース１２ｄから対応する日付の予約状況を読み出して、携帯電話の表示部にユーザーが希望した日付の予約状況を示す予約状況画面２０９を表示する（図１５における矢印（Ｂ１６）参照）。なお、予約管理データベース１２ｄは、スケジュール情報やメッセージ情報を記録して、日付時間ごとに予約状況などの管理を行うためのデータベースである。
【０１０７】ユーザーが予約状況画面２０９の希望する日付の時間別予約状況を閲覧し、希望する時間を選択すると、データベースサーバ１２−１は、ユーザーのユーザー側端末１８たる携帯電話の表示部に、電子メールの送信フォーム画面２１０を自動的に起動して表示する（図１５における矢印（Ｂ１７）参照）。そして、ユーザーの携帯電話によって電子メールの送信が選択されると、携帯電話からリターンメールがサイト管理者側システム１０のメールサーバ１２−２送信される。
【０１０８】このリターンメールを受信したメールサーバ１２−２は、指定ＵＲＬを配信するためのメッセージ入力用電子メールを、インフラ／課金事業者側システム１４のメールサーバ１４−１に送信する（図１５における矢印（Ｂ１８）参照）。このメッセージ入力用電子メールは、メールサーバー１４−１によってユーザー側端末１８たる携帯電話に送信される（図１５における矢印（Ｂ１９）参照）。
【０１０９】そして、メッセージ入力用電子メールにより配信された指定ＵＲＬに、ユーザーが携帯電話をネットワーク１６を介して接続すると（図１５における矢印（Ｂ２０）参照）、携帯電話の表示部に電光掲示板サービスのメッセージ入力画面２１１が表示される。ユーザーはメッセージ入力画面２１１の所定のエリアにテキストでメッセージを入力し、所定のエリアを選択して入力内容を確定する（図１５における矢印（Ｂ２１）参照）。
【０１１０】すると、データベースサーバ１２−１は、ユーザーによって選択されたメッセージの公開を希望する日時を示すスケジュール情報と、メッセージ入力画面２１１で入力されたテキストのメッセージの内容を示すメッセージ情報とを、予約管理データベース１２ｄに記録する。そして、スケジュール情報の示す希望日時に空きがあるか否かを判断するマッチング処理を行なう（図１６における矢印（Ｂ２２）参照）。
【０１１１】このマッチング処理の結果、スケジュール情報の示す希望日時が既に仮予約済みであって、希望日時に空きがないと判断された場合には、データベースサーバ１２−１は、携帯電話の表示部に電光掲示板サービスの仮予約不可能の案内画面２１２を表示して（図１６における矢印（Ｂ２３）参照）、仮予約不可能処理を完了させる。そして、仮予約不可能の案内画面２１２をスケジュール予約画面２０８に戻す（図１６における矢印（Ｂ２４）参照）。
【０１１２】一方、マッチング処理の結果、スケジュール情報の示す希望日時には仮予約がなされておらず、希望日時に空きがあると判断された場合には、データベースサーバ１２−１は、携帯電話の表示部に電光掲示板サービスの仮予約完了の案内画面２１３を表示する（図１６における矢印（Ｂ２５）参照）。この仮予約完了の案内画面２１３の表示とともに、メールサーバ１２−２は、仮予約完了を通知するための仮予約完了電子メールを、インフラ／課金事業者側システム１４のメールサーバ１４−１に送信する（図１６における矢印（Ｂ２６）参照）。この仮予約完了電子メールは、メールサーバー１４−１によってユーザー側端末１８たる携帯電話に送信される（図１６における矢印（Ｂ２７）参照）。
【０１１３】なお、このマッチング処理の結果は、予約管理データベース１２ｄに記録された対応するスケジュール情報ならびにメッセージ情報に反映され、仮予約不可能の場合にはデータの削除などが行われ、仮予約完了の場合には仮予約完了を示すフラグの設定などがなされる。
【０１１４】（２−３）メッセージ情報の検閲手順
上記（２−２）に示した仮予約の手順に続いて、データベースサーバ１２−１は、仮予約によって取得され予約管理データベース１２ｄに記録されたメッセージ情報の示すメッセージの内容を自動検閲する処理を行う（図１７における矢印（Ｂ２８）参照）。具体的には、データベースサーバ１２−１が保持するワードチェックプログラムの禁止ワード辞書を用いて、メッセージ情報の示すメッセージの内容たるテキストをワードチェックプログラムとマッチングさせる処理を行う。
【０１１５】こうしたデータベースサーバ１２−１による自動検閲処理の結果、メッセージ情報の示すメッセージの内容たるテキストに、禁止ワード辞書に対応する所定の文言が含まれていると判断された場合には（図１７における矢印（Ｂ２９）参照）、メールサーバ１２−２は、仮予約解除を通知するための仮予約解除電子メールを、メールサーバー１４−１を介してユーザー側端末１８たる携帯電話に送信する（図１７における矢印（Ｂ３０）（Ｂ３１）参照）。また、データベースサーバ１２−１は、自動検閲処理の結果を予約管理データベース１２ｄに記録された対応するスケジュール情報ならびにメッセージ情報に反映し、データの削除などを行う（図１７における矢印（Ｂ２９）参照）。
【０１１６】一方、データベースサーバ１２−１による自動検閲処理の結果、メッセージ情報の示すメッセージの内容たるテキストに、禁止ワード辞書に対応する所定の文言が含まれていないと判断された場合には、メッセージ情報の示すメッセージの内容を作業者による有人検閲する（図１７における矢印（Ｂ３２）参照）。
【０１１７】こうした作業者による有人検閲の結果、メッセージ情報の示すメッセージの内容たるテキストに所定の文言が含まれているなどして、メッセージが公開不適格であると判断された場合には（図１８における矢印（Ｂ３３）参照）、メールサーバ１２−２によって、仮予約解除を通知するための仮予約解除電子メールを、メールサーバー１４−１を介してユーザー側端末１８たる携帯電話に送信する（図１８における矢印（Ｂ３４）（Ｂ３５）参照）。また、データベースサーバ１２−１によって、有人検閲の結果を予約管理データベース１２ｄに記録された対応するスケジュール情報ならびにメッセージ情報に反映し、データの削除などを行う（図１８における矢印（Ｂ３３）参照）。
【０１１８】一方、作業者による有人検閲の結果、メッセージ情報の示すメッセージの内容たるテキストに所定の文言が含まれておらず、メッセージが公開適格であると判断された場合には、メールサーバ１２−２によって、公開決定を通知するための公開決定電子メールを、メールサーバー１４−１を介してユーザー側端末１８たる携帯電話に送信する（図１８における矢印（Ｂ３６）（Ｂ３７）参照）。また、データベースサーバ１２−１によって、有人検閲の結果を予約管理データベース１２ｄに記録された対応するスケジュール情報ならびにメッセージ情報に反映し、公開決定を示すフラグの設定などを行う（図１８における矢印（Ｂ３８）参照）。
【０１１９】なお、メールサーバ１２−２によってユーザー側端末１８たる携帯電話に送信された公開決定電子メールは、既に予約管理データベース１２ｄに記録されたスケジュール情報の示す日時にメッセージ情報の示すメッセージを公開することを通知するとともに、データベースサーバ１２−１によって発行された本予約番号（図１８における矢印（Ｂ３９）参照）の通知や本申し込みならびに課金登録のための指定ＵＲＬの配信も兼ねている。
【０１２０】（２−４）公開の手順
上記（２−３）のメッセージ情報の検閲によって公開決定電子メールが送信されたユーザーは、公開決定電子メールにより配信された指定ＵＲＬに、ネットワーク１６を介して携帯電話を所定の期間内に接続する（図１９における矢印（Ｂ４０）参照）。すると、携帯電話の表示部には本予約画面２１４が表示され、ユーザーは予約内容の確認を行う。
【０１２１】それから、サイト管理者側システム１０のデータベースサーバ１２−１は、携帯電話の表示部に課金登録画面２１５を表示する（図１９における矢印（Ｂ４１）参照）。この課金登録画面２１５においてユーザーは課金処理のために必要なパスワードなどの各種情報の入力を行う。この際、データベースサーバ１２−１によって発行された本予約番号を誤るなどして入力した情報に間違いがある場合には、携帯電話の表示部には入力エラー画面２１６が表示され（図１９における矢印（Ｂ４２）参照）、その後、課金登録画面２１５に戻る（図１９における矢印（Ｂ４３）参照）。
【０１２２】そして、ユーザーにより課金登録画面２１５において入力された課金処理のための各種情報は、課金決済事業者側システム１４の課金処理などを行う課金サーバー１４−２に送信され（図１９における矢印（Ｂ４４）参照）、課金サーバー１４−２は課金管理データベース１４ａを用いて課金処理を行う。
【０１２３】この課金サーバー１４−２による課金管理データベース１４ａを用いた課金処理の結果は、課金サーバー１４−２からデータベースサーバ１２−１に送信される。そして、課金処理の結果が課金不可能であった場合には、データベースサーバ１２−１により、携帯電話の表示部には課金エラー画面２１７が表示され（図１９における矢印（Ｂ４５）参照）、その後、課金登録画面２１５に戻る（図１９における矢印（Ｂ４６）参照）。一方、課金処理の結果が課金可能で課金処理を終了した場合には、データベースサーバ１２−１により、携帯電話の表示部には課金登録完了画面２１８が表示される（図１９における矢印（Ｂ４７）参照）なお、公開決定電子メールが送信されたユーザーが、公開決定電子メールにより配信された指定ＵＲＬに、ネットワーク１６を介して携帯電話を所定の期間内に接続しなかった場合、即ち、当該所定の期間経過後に公開決定電子メールにより配信された指定ＵＲＬに接続した場合（図１９における矢印（Ｂ４８）参照）には、データベースサーバ１２−１により、携帯電話の表示部には期限切れ画面２１９が表示される。そして、データベースサーバ１２−１は、予約管理データベース１２ｄに記録された対応するスケジュール情報ならびにメッセージ情報の削除などを行う。つまり、本予約番号が発行されていても、ユーザーが所定の期間内に課金登録処理を行わないと、予約管理データベース１２ｄに記録された本予約日などは自動的に解除されるようになされている。
【０１２４】そして、スケジュール情報の示す日時になると、上記したようにして仮予約→本予約→課金処理終了となったユーザーのメッセージ、例えば、図２１に示す「すみれ、お誕生日おめでとう！慎吾より」は、データベースサーバ１２−１によって予約管理データベース１２ｄから読み出されて、コミュニティサイト１０００のトップページにおいて公開される。
【０１２５】こうして電光掲示板サービス１００４によれば、コミュニティサイト１０００のトップページに多くのユーザーにアピール可能な仕掛けが用意できるので、コミュニティサイト１０００に対する関心が高まって利用するユーザーが増加し、コミュニティサイト１００内でユーザー同士のコミュニケーションが活性化される。
【０１２６】（３）カラオケハウスサービス１００６
図２２乃至図３１を参照しながら、コミュニティサイト１０００（図２参照）を介して、サイト管理者側システム１０により提供されるカラオケハウスサービス１００６について説明する。
【０１２７】このカラオケハウスサービス１００６は、ユーザーが予め実際の生声で楽曲のサビ部分のみを歌唱しておくと、その後、コミュニティサイト１０００の多くのユーザーが聴取可能なようにその歌声を楽曲とともに公開するものである。
【０１２８】なお、図２８、図２９ならびに図３０には、カラオケハウスサービス１００６において、ユーザー側端末１８たる携帯電話の表示部に表示される画面の一例を示す説明図が示されている。
【０１２９】（３−１）カラオケハウスサービスの利用登録手順
図２２にはカラオケハウスサービスの利用登録手順を示す説明図が示されているが、このカラオケハウスサービス利用登録手順（図２２における矢印（Ｃ１）〜（Ｃ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１３０】そして、カラオケハウスサービスの利用登録をすると、ユーザーのユーザー側端末１８たる携帯電話には、メールサーバー１２−２からメールサーバー１４−１を介して利用同意確認電子メールが送信される（図２２における矢印（Ｃ１２）（Ｃ１３）参照）。
【０１３１】（３−２）歌唱準備の手順
上記（３−１）に示したカラオケハウスサービスの利用登録手順に続いて、ユーザーがカラオケで歌唱するための準備処理として、ユーザーの歌声である音系のデータをサイト管理者側システム１０が記録するための各種準備処理が行われる（図２３参照）。
【０１３２】ここで、この歌唱準備の手順（図２３における矢印（Ｃ１４）〜（Ｃ２７）参照）は、上記（１−３）音系のデータからなる個人情報の登録手順で記載した手順（図５における矢印（Ａ１０）〜（Ａ２３）参照）と対応する処理が行われるので、当該記載を援用し詳細な説明を省略することとする。
【０１３３】（３−３）楽曲の選択手順
上記（３−２）歌唱準備の手順によって携帯電話の表示部に利用登録完了画面３０９が表示されたユーザーはその後、ユーザー側端末１８たる携帯電話とサイト管理者側システム１０のデータベースサーバ１２−１とを、ネットワーク１６を介して接続し（図２４における矢印（Ｃ２８）参照）、携帯電話の表示部にサービス利用画面３１０を表示する。
【０１３４】ここで、データベースサーバ１２−１は、利用者管理データベース１２ａの記録に基づいて、個別識別番号（ＩＤ）などからカラオケハウスサービスの利用登録が完了したユーザーであるか否かの判断処理を行なう。この判断処理の結果、カラオケハウスサービスの利用登録が完了していないユーザーであると判断された場合には、携帯電話の表示部に利用未登録の案内画面３１１を表示し（図２４における矢印（Ｃ２９）参照）、その後、上記（３−１）カラオケハウスサービスの利用登録が可能なように画面を切り換える（図２４における矢印（Ｃ３０）参照）。
【０１３５】一方、カラオケハウスサービスの利用登録が完了しているユーザーであると判断された場合には、データベースサーバ１２−１は、楽曲管理データベース１２ｅに記憶されている種々の楽曲を示す楽曲データの一覧である楽曲名リストを、楽曲選択画面３１２においてユーザーに提示する（図２４における矢印（Ｃ３１）参照）。
【０１３６】そして、ユーザーは楽曲選択画面３１２において所定の楽曲を選択し（図２４における矢印（Ｃ３２）参照）、楽曲詳細画面３１３において楽曲の歌手名や歌詞などの詳細を確認した後、所定の楽曲を自分が歌唱するカラオケとして決定できる。こうしてユーザーによって楽曲が決定されると、データベースサーバ１２−１はユーザーの歌唱用のカラオケとなる楽曲を指定するデータを利用者管理データベース１２ａに記録して、利用者管理データベース１２ａの記録内容を更新する（図２４における矢印（Ｃ３３）参照）。
【０１３７】（３−４）カラオケの歌唱の登録手順
上記（３−３）楽曲の選択によってユーザーの歌唱用のカラオケとなる楽曲が決定すると、ユーザーの歌声を録音するカラオケの歌唱登録の処理のために、サイト管理者側システム１０のデータベースサーバ１２−１は、携帯電話の表示部に音系のデータからなるユーザーの歌声を登録するために選択決定された電話番号を通知する画面３１４を表示する（図２５における矢印（Ｃ３４）参照）。
【０１３８】この後、音声サーバー１２−３は、ユーザーのユーザー側端末１８たる携帯電話とサイト管理者側システム１０のデータベースサーバ１２−１とのネットワーク１６を介した接続を終了させ（図２５における矢印（Ｃ３５）参照）、画面３１４に表示された音系のデータからなるユーザーの歌声を登録するための電話番号で携帯電話から自動的に電話回線接続を行う（図２５における矢印（Ｃ３６）参照）。
【０１３９】そして、ユーザー側端末１８たる携帯電話からの着信を確認した音声サーバー１２−３は、着信番号の取得処理を行う（図２５における矢印（Ｃ２７）参照）。それから、データベースサーバ１２−１の利用者管理データベース１２ａから、取得した着信番号に一致するレコードを検索し（図２５における矢印（Ｃ３８）参照）、さらに機能ＩＤを取得する（図２５における矢印（Ｃ３９）参照）。
【０１４０】この後、音声サーバー１２−３は、上記（３−３）に記載したようにして楽曲選択時に楽曲管理データベース１２ｅから選択されたユーザーの歌唱用のカラオケとなる楽曲の楽曲データを楽曲管理データベース１２ｅから取得する（図２５における矢印（Ｃ４０）参照）。そして、音声サーバー１２−３は予め音声管理データベース１２ｃに記録されていた楽曲データに基づいて、ユーザーに録音開始を伝えるガイダンスを音声で流す（図２５における矢印（Ｃ４１）参照）。
【０１４１】この録音開始を伝える音声のガイダンスを聴取したユーザーは、ユーザー側端末１８たる携帯電話で音声サーバー１２−３によって提供されたカラオケの楽曲を聴取しながら、この楽曲にあわせて歌唱してユーザーの歌声を入力する（図２５における矢印（Ｃ４２）参照）。
【０１４２】より詳細には、図３１に示すように、音声サーバー１２−３は利用者管理データベース１２ａの記録されているユーザーの歌唱用のカラオケとなる楽曲を指定するデータに基づいて、楽曲管理データベース１２ｅから楽曲データを楽曲再生用の音声ボートへ呼び出す。
【０１４３】そして、ユーザーの歌声を登録するための電話番号で携帯電話から自動的に電話回線接続が行なわれ（図２５における矢印（Ｃ３６）参照）、音声録音のリクエストがなされると、音声サーバー１２−３は楽曲再生用の音声ボートによって、楽曲管理データベース１２ｅから呼び出して再生待ちとなっていた楽曲データの楽曲を再生する。こうして再生された楽曲に合わせて歌唱したユーザーの歌声は、音声サーバー１２−３の音声録音用の音声ボードによって録音される。
【０１４４】ここで、音声サーバー１２−３はサンプリングプログラムによって重ね合わせ処理を実行し、この重ね合わせ処理によって生成された音声データを録音用ワークディスクに書き込む。
【０１４５】より詳細には、重ね合わせ処理においては、楽曲再生用の音声ボートによって再生されている楽曲データに、音声録音用の音声ボードによって録音された音声のサンプリングデータを追加して、１つの録音データとしての音声データを生成するものである。ここで、楽曲データをベースになるデータとし、楽曲データのデータサンプリングや周波数に合わせて、音声録音のデータのボリュームや再生レベルを調整して楽曲データに追加している。このため、生成された音声データ（例えば、ｗａｖｅデータ）を音楽的にも高品質なデータとすることができ、後述するようにして公開するサービスレベルに耐えうるものになっている。
【０１４６】なお、こうした異なる２つの音声ボードの音系のデータを従来の手法で重ね合わせると、音楽再生の速度において位相のずれが発生してしまったり、それぞれの音のサンプリングレートが異なるために、バランスのとれた音楽的に品質の高いデータを得ることはできないものである。
【０１４７】そして、重ね合わせ処理によって生成され録音用ワークディスクに書き込まれた音声データは、重ね合わせ処理が終了した後、データベースサーバー１２−１の音声管理データベース１２ｃに音声情報として記録される。
【０１４８】この後、音声サーバー１２−３は携帯電話からの「♯」のプッシュ入力を確認すると、予め音声管理データベース１２ｃに記録されていたデータに基づいて、ユーザーに録音終了を伝えるガイダンスを音声で流す（図２６における矢印（Ｃ４３）参照）。一方、音声サーバー１２−３は携帯電話からの「♯」以外のプッシュ入力を確認すると、予め音声管理データベース１２ｃに記録されていたデータに基づいて、ユーザーに誤ったキー操作を伝えるアナウンスを音声で流す（図２６における矢印（Ｃ４４）参照）。
【０１４９】ここで、音声サーバー１２−３により録音終了のガイダンスがなされた後、携帯電話からの「２」のプッシュ入力を確認した場合には、録音した音声を再生し（図２６における矢印（Ｃ４５）参照）、その後再び録音終了のガイダンスを行なう（図２６における矢印（Ｃ４６）参照）。また、ここで、音声サーバー１２−３により録音終了のガイダンスがなされた後、携帯電話からの「１」のプッシュ入力を確認した場合には、録音のやり直しのため再び録音開始のガイダンスを行なう（図２６における矢印（Ｃ４７）参照）。
【０１５０】そして、音声サーバー１２−３により録音終了のガイダンスがなされた後、携帯電話からの「♯」のプッシュ入力を確認すると、予め音声管理データベース１２ｃに記録されていたデータに基づいて、ユーザーに録音終了を伝えるガイダンスを音声で流し（図２６における矢印（Ｃ４８）参照）、電話回線接続を終了させる（図２６における矢印（Ｃ４９）参照）。
【０１５１】電話回線接続終了の後、ユーザーのユーザー側端末１８たる携帯電話とサイト管理者側システム１０のデータベースサーバ１２−１とをネットワーク１６を介して接続させ（図２６における矢印（Ｃ５０）参照）、データベースサーバー１２−１により、携帯電話の表示部には、録音完了画面３１５が表示される。
【０１５２】そして、データベースサーバ１２−１は音声管理データベース１２ｃに記録されたユーザーのカラオケ歌唱を示す音声情報を、コミュニティサイト１０００を介して配信するための配信登録処理を行なう（図２６における矢印（Ｃ５１）参照）。
【０１５３】（３−５）カラオケの歌唱の公開手順
上記（３−４）カラオケの歌唱の登録によって、データベースサーバー１２−１の音声管理データベース１２ｃに記録されていたユーザーのカラオケ歌唱、即ち、楽曲と歌声とが重ね合わされた録音データたる音声情報の内容を作業者による有人検閲する（図２７における（Ｃ５２）参照）。
【０１５４】こうした作業者による有人検閲の結果、音声情報の示すユーザーの歌声に所定の言葉が含まれているなどして、ユーザーのカラオケ歌唱が公開不適格であると判断された場合には（図２７における矢印（Ｃ５３）参照）、メールサーバ１２−２によって、配信登録解除を通知するための配信登録解除電子メールを、メールサーバー１４−１を介して、ユーザー側端末１８たる携帯電話に送信する（図２７における矢印（Ｃ５４）（Ｃ５５）参照）。また、データベースサーバ１２−１によって、有人検閲の結果を音声管理データベース１２ｃに記録された音声情報に反映し、データの削除などを行う（図２７における矢印（Ｃ５３）参照）。
【０１５５】一方、作業者による有人検閲の結果、音声情報の示すユーザーの歌声に所定の言葉が含まれておらず、ユーザーのカラオケ歌唱が公開適格であると判断された場合には、メールサーバ１２−２によって、公開決定を通知するための公開決定電子メールを、メールサーバー１４−１を介してユーザー側端末１８たる携帯電話に送信する（図２７における矢印（Ｃ５６）（Ｃ５７）参照）。また、データベースサーバ１２−１によって、有人検閲の結果を音声管理データベース１２ｃに記録された音声情報に反映し、公開決定を示すフラグの設定などを行う（図２７における矢印（Ｃ５８）参照）。
【０１５６】そして、コミュニティサイト１０００を利用するユーザーが、例えば、図２８に示すサービス利用画面３１０の「カラオケを聴く」のエリアを選択すると、音声管理データベース１２ｃに記録された音声情報が配信されて、ユーザーのカラオケでの歌声を、携帯電話などのユーザー側端末１８で背景の楽曲とともに聴取することができる。
【０１５７】こうしてカラオケハウスサービス１００６によれば、コミュニティサイト１０００を利用するユーザーのカラオケでの歌声を、多くの他のユーザーが聴取でき、さらには、カラオケを聴取したユーザーによる人気投票やファンレターメールの送信などのコミュニケーションの拡大を図ることも可能であり、コミュニティサイト１０００内でユーザー同士のコミュニケーションが活性化される。
【０１５８】（４）ボイスメールサービス１００８
図３２乃至図３８を参照しながら、コミュニティサイト１０００（図２参照）を介して、サイト管理者側システム１０により提供されるボイスメールサービス１００８について説明する。
【０１５９】このボイスメールサービス１００８は、ユーザーの音声のメッセージにＢＧＭを付加して配信するものである。
【０１６０】なお、図３７ならびに図３８には、ボイスメールサービス１００８において、ユーザー側端末１８たる携帯電話の表示部に表示される画面の一例を示す説明図が示されている。
【０１６１】（４−１）ボイスメールサービスの利用登録手順
図３２にはボイスメールサービスの利用登録手順を示す説明図が示されているが、このボイスメールサービス利用登録手順（図３２における矢印（Ｄ１）〜（Ｄ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１６２】そして、ボイスメールサービスの利用登録をすると、ユーザーのユーザー側端末１８たる携帯電話には、メールサーバー１２−２からメールサーバー１４−１を介して利用同意確認電子メールが送信される（図３２における矢印（Ｄ１２）（Ｄ１３）参照）。
【０１６３】（４−２）ボイスメール作成準備の手順
上記（４−１）に示したボイスメールサービスの利用登録手順に続いて、ユーザーがボイスメールを作成するための準備処理として、ユーザーの声である音系のデータをサイト管理者側システム１０が記録するための各種準備処理が行われる（図３３参照）。
【０１６４】ここで、このボイスメール作成準備の手順（図３３における矢印（Ｄ１４）〜（Ｄ２７）参照）は、上記（１−３）音系のデータからなる個人情報の登録手順で記載した手順（図５における矢印（Ａ１０）〜（Ａ２３）参照）と対応する処理が行われるので、当該記載を援用し詳細な説明を省略することとする。
【０１６５】（４−３）ボイスメールの配信先の決定手順
上記（４−１）ならびに（４−２）によって、ボイスメールサービスの利用登録が完了すると、ユーザー側端末１８たる携帯電話とサイト管理者側システム１０のデータベースサーバ１２−１とを、ネットワーク１６を介して接続し（図３４における矢印（Ｄ２８）参照）、携帯電話の表示部に送信先入力画面４１０を表示する。そして、ユーザーはこの送信先入力画面４１０の所定のエリアに、ボイスメールを配信する相手としてコミュニティサイト１０００を利用するユーザーを入力する。
【０１６６】すると、こうしたボイスメールサービス１００８に際してのユーザー間の電子メールの送受信はサービス事業者側システム１２によって管理され、データベースサーバー１２−１は、送信先入力画面４１０においてボイスメールの配信先として設定されたユーザーを示すデータを、メール管理データベース１２ｆに記録する（図３４における矢印（Ｄ２９）参照）。
【０１６７】ここで、メール管理データベース１２ｆは、コミュニティサイト１０００における各種サービスに際して、ユーザーのメールアドレスと対応させてユーザー間で送受信される電子メールやウェブメールの管理を行なうためのデータベースである。
【０１６８】（４−４）ボイスメールのＢＧＭの選択手順
上記（４−３）によってボイスメールの配信先を決定すると、ユーザーの携帯電話の表示部にサービス利用画面４１１を表示する。
【０１６９】ここで、データベースサーバ１２−１は、利用者管理データベース１２ａの記録に基づいて、個別識別番号（ＩＤ）などからボイスメールサービスの利用登録が完了したユーザーであるか否かの判断処理を行なう。この判断処理の結果、ボイスメールサービスの利用登録が完了していないユーザーであると判断された場合には、携帯電話の表示部に利用未登録の案内画面４１２を表示し（図３４における矢印（Ｄ３０）参照）、その後、上記（４−１）ボイスメールサービスの利用登録が可能なように画面を切り換える（図３４における矢印（Ｄ３１）参照）。
【０１７０】一方、ボイスメールサービスの利用登録が完了しているユーザーであると判断された場合には、データベースサーバ１２−１は、楽曲管理データベース１２ｅに記憶されている種々の楽曲を示す楽曲データの一覧である楽曲名リストを、楽曲選択画面４１３においてユーザーに提示する（図３４における矢印（Ｄ３２）参照）。
【０１７１】そして、ユーザーは楽曲選択画面４１３において所定の楽曲を選択し（図３４における矢印（Ｄ３３）参照）、楽曲詳細画面４１４において楽曲の歌手名や歌詞などの詳細を確認した後、所定の楽曲を自分の音声メッセージのＢＧＭとして決定できる。こうしてユーザーによって楽曲が決定されると、データベースサーバ１２−１はユーザーの音声メッセージのＢＧＭとなる楽曲を指定するデータを利用者管理データベース１２ａに記録して、利用者管理データベース１２ａの記録内容を更新する（図３４における矢印（Ｄ３４）参照）。
【０１７２】（４−５）ボイスメールの音声メッセージの登録手順
上記（４−４）ボイスメールのＢＧＭとなる楽曲が決定すると、ユーザーの音声メッセージを録音するボイスメールの音声メッセージの登録の処理が行なわれる（図３５ならびに図３６参照）。
【０１７３】ここで、このボイスメールの音声メッセージの登録の手順（図３５における矢印（Ｄ３５）〜図３６における矢印（Ｄ５１）参照）は、上記（３−４）カラオケの歌唱の登録手順で記載した手順（図２５における矢印（Ｃ３４）〜図２６における矢印（Ｃ５０）参照）と対応する処理が行われるので、当該記載を援用し詳細な説明を省略することとする。
【０１７４】ユーザーが、ユーザー側端末１８たる携帯電話で音声サーバー１２−３によって提供されたＢＧＭを聴取しながら、このＢＧＭを背景に話をしてユーザーの音声のメッセージを入力すると（図３５における矢印（Ｄ４３）参照）、図３１に示した重ね合わせ処理によって、データベースサーバー１２−１の音声管理データベース１２ｃには、ＢＧＭ付きの音声メッセージ、即ち、楽曲と音声とが重ね合わされた録音データたる音声情報が記録される。
【０１７５】（４−６）ボイスメールの配信手順
上記（４−５）ボイスメールの音声メッセージの登録によって、データベースサーバー１２−１の音声管理データベース１２ｃに記録された音声情報の内容は作業者によって有人検閲なされる。なお、この音声情報の有人検閲に関する手順は、上記（３−５）カラオケの歌唱の公開手順で記載した手順（図２７における矢印（Ｃ５２）〜（Ｃ５８）参照）と対応する処理が行われるので、当該記載を援用し詳細な説明を省略することとする。
【０１７６】そして、作業者による有人検閲の結果、音声情報の示すユーザーのＢＧＭ付きの音声メッセージに所定の言葉が含まれていない場合には、メール管理データベース１２ｆに記録されたユーザーに、ＢＧＭ付きの音声メッセージが配信される（図３８に示す画面４１７→画面４１８→画面４１９参照）。
【０１７７】こうしてボイスメールサービス１００８によれば、コミュニティサイト１０００を利用するユーザーはＢＧＭ付きの音声メッセージの配信が受けられるので、単なるテキストだけでの電子メールとは異なり、コミュニティサイト１００内でユーザー同士のコミュニケーションが活性化される。
【０１７８】（５）ランダムメールサービス１０１０
図３９乃至図４６を参照しながら、コミュニティサイト１０００（図２参照）を介して、サイト管理者側システム１０により提供されるランダムメールサービス１０１０について説明する。
【０１７９】このランダムメールサービス１０１０は、ユーザーが作成したテキスト系のデータ（このランダムメールサービス１０１０においては本文と称する。）を、不特定の複数のユーザーにランダムに電子メールやウェブメールとして配信するものである。
【０１８０】なお、図４５には、ランダムメールサービス１０１０において、ユーザー側端末１８たる携帯電話の表示部に表示される画面の一例を示す説明図が示されている。
【０１８１】（５−１）ランダムメールサービスの利用登録手順
図３９にはランダムメールサービスの利用登録手順を示す説明図が示されているが、このランダムメールサービス利用登録手順（図３９における矢印（Ｅ１）〜（Ｅ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１８２】そして、ランダムメールサービスの利用登録をすると、ユーザーのユーザー側端末１８たる携帯電話には、メールサーバー１２−２からメールサーバー１４−１を介して、指定ＵＲＬを配信するための利用同意確認電子メールが送信される（図３９における矢印（Ｅ１２）（Ｅ１３）参照）。
【０１８３】（５−２）ランダムメールの本文の登録手順
上記（５−１）に示したランダムメールサービスの利用登録手順に続いて、利用同意確認電子メールにより配信された指定ＵＲＬに、ユーザーが携帯電話をネットワーク１６を介して接続すると（図４０における矢印（Ｅ１４）参照）、携帯電話の表示部にランダムメールサービスの利用登録完了画面５０７が表示される。
【０１８４】そして、サイト管理者側システム１０のデータベースサーバ１２−１は、携帯電話の表示部の表示を利用登録完了画面５０７からメール作成画面５０８に切り換える（図４０における矢印（Ｅ１５）参照）。
【０１８５】ここで、メール作成画面５０８の所定のエリアに、ユーザーがランダムメールによって他のユーザーに伝えたい内容を、即ち、本文をテキストで入力すると、データベースサーバ１２−１によって、本文を示すテキスト系のデータがメール管理データベース１２ｆに記録される（図４０における矢印（Ｅ１６）参照）。
【０１８６】この後、データベースサーバ１２−１は、メール管理データベース１２ｆに記録された本文でランダムにメールを配信するための配信登録処理を行なう（図４０における矢印（Ｅ１７）参照）。そして、携帯電話の表示部に配信登録完了画面５０９が表示されるとともに、メールサーバ１２−２は配信登録完了を通知するための配信登録完了電子メールを、インフラ／課金事業者側システム１４のメールサーバ１４−１に送信する（図４０における矢印（Ｅ１８）参照）。この配信登録完了電子メールは、メールサーバー１４−１によってユーザー側端末１８たる携帯電話に送信される（図４０における矢印（Ｅ１９）参照）。
【０１８７】（５−３）ランダムメールの本文の検閲手順
上記（５−２）ランダムメールの本文の登録によって、メール管理データベース１２ｆに記録された電子メールなどの本文の内容は自動検閲処理がなされる（図４１参照）。
【０１８８】ここで、この電子メールの本文の内容を自動検閲する手順（図４１における矢印（Ｅ２１）〜（Ｅ２４）参照）は、上記（２−３）メッセージ情報の検閲手順で記載した手順（図１７における矢印（Ｂ２９）〜（Ｂ３２）参照）と対応する処理が行われるので、当該記載を援用し詳細な説明を省略することとする。
【０１８９】そして、データベースサーバ１２−１による自動検閲処理の結果、メール管理データベース１２ｆに記録された電子メールの本文の内容たるテキストに、禁止ワード辞書に対応する所定の文言が含まれていないと判断された場合には、電子メールの本文の内容を作業者による有人検閲する（図４１における矢印（Ｅ２４）参照）。
【０１９０】ここで、この電子メールの本文の内容を有人検閲する手順（図４２における矢印（Ｅ２５）〜（Ｅ３０）参照）は、上記（２−３）メッセージ情報の検閲手順で記載した手順（図１８における矢印（Ｂ３３）〜（Ｂ３８）参照）と対応する処理が行われるので、当該記載を援用し詳細な説明を省略することとする。
【０１９１】そして、メールサーバ１２−２によって、メールサーバー１４−１を介してユーザー側端末１８たる携帯電話に送信された配信確定電子メール（図４２における矢印（Ｅ２８）（Ｅ２９）参照）は、既にメール管理データベース１２ｆに記録された本文でランダムに電子メールなどを配信することを通知するとともに、データベースサーバ１２−１によって発行された配信確定番号（図４２における矢印（Ｅ３１）参照）の通知や課金登録のための指定ＵＲＬの配信も兼ねている。
【０１９２】（５−４）ランダムメールの配信のための課金登録手順
上記（５−３）のランダムメールの本文の検閲によって配信確定電子メールが送信されたユーザーは、配信確定電子メールにより配信された指定ＵＲＬにおいて課金登録を行なう（図４３参照）。
【０１９３】ここで、この課金登録の手順（図４３における矢印（Ｅ３２）〜（Ｅ４０）参照）は、上記（２−４）公開の手順で記載した手順（図１９における矢印（Ｂ４０）〜（Ｂ４８）参照）と対応する処理が行われるので、当該記載を援用し詳細な説明を省略することとする。
【０１９４】（５−５）ランダムメールの配信手順
上記（５−４）によって課金処理を終了し課金登録完了画面５１４が表示されると（図４３における矢印（Ｅ３９）参照）、データベースサーバ１２−１により、ランダムメールの配信先を決定する処理が行なわれる（図４４における矢印（Ｅ４１）参照）。
【０１９５】まず、データベースサーバ１２−１は属性・条件抽出プログラムを実行して、利用者管理データベース１２ａの記録内容に基づき、コミュニティサイト１０００を利用するユーザーの属性などのデータを抽出する。例えば、図４６（ａ）に示すようなユーザーのプロフィールなどが、個人情報管理データベース１２ｂから抽出される。
【０１９６】また、データベースサーバ１２−１は利用履歴抽出プログラムを実行して、メール管理データベース１２ｆの記録内容に基づき、コミュニティサイト１０００を利用するユーザーのコミュニティサイト１０００における電子メールやウェブメールに関するデータを抽出する。例えば、図４６（ｂ）（ｃ）に示すようなユーザーの電子メールやウェブメールの利用履歴や利用履歴のログなどが、個人情報管理データベース１２ｂから抽出される。
【０１９７】こうして属性・条件抽出プログラムによって抽出されたユーザーの属性などの情報と、利用履歴抽出プログラムによって抽出された電子メールやウェブメールの利用履歴などの情報とをデータベースサーバ１２−１はマージして、複数のメールの配信先を示すメール配信先情報を生成する。この際、例えば、ユーザーの属性に基づいてサイト管理者側システム１０のデジタルコンテンツの配信サービスに加入して間もない新規加入のユーザーを選択すれば、新規加入のユーザーにランダムメールを優先的に配信することができる。また、利用履歴に基づいて累積でのメール配信数が所定の数値以下のユーザーを選択すれば、コミュニティサイト１０００における電子メールなどの送受信機会の少ないユーザーにランダムメールを優先的に配信することができる。
【０１９８】そして、生成されたメール配信先情報は、データベースサーバ１２−１によってメール管理データベース１２ｆに記録される（図４４における矢印（Ｅ４２）参照）。この後、メールサーバー１２−２は、メール管理データベース１２ｆに記録されたメール配信先情報の示す複数の配信先に、メール管理データベース１２ｆに記録された本文の内容の電子メール（以下「誰か読んで電子メール」と称する。）を送信する（図４４における矢印（Ｅ４３）（Ｅ４４）参照）。この誰か読んで電子メールを受信したユーザーは、携帯電話にメール管理データベース１２ｆに記録された本文の電子メールを表示できる（図４５に示す画面５１６参照）。
【０１９９】なお、メールサーバー１２−２は、メール管理データベース１２ｆに記録されたメール配信先情報の示す複数の配信先に、ランダムメールの配信先として決定したことを通知し指定ＵＲＬの配信するための誰か読んでメール配信通知電子メールを送信する（図４４における矢印（Ｅ４５）（Ｅ４６）参照）。この誰か読んでメール配信通知電子メールを受信したユーザーは、誰か読んでメール配信通知電子メールにより配信された指定ＵＲＬに携帯電話をネットワーク１６を介して接続すると（図４４における矢印（Ｅ４７）参照）、ウェブメールサーバ１２−４によって、携帯電話の表示部にメール管理データベース１２ｆに記録された本文の内容を閲覧することがきる。
【０２００】こうしてランダムメールサービス１０１０によれば、コミュニティサイト１０００を利用するユーザーは１通のメールを作成する手順で、コミュニティサイト１０００を利用する複数のユーザーに、同じ内容の電子メールやウェブメールをランダムに配信できるので、送信先を予め設定して行う通常の電子メールのやりとりとは異なり、コミュニティサイト１００内でユーザー同士のコミュニケーションが活性化される。
【０２０１】（６）ショップサービス１０１２
図４７乃至図５８を参照しながら、コミュニティサイト１０００（図２参照）を介して、サイト管理者側システム１０により提供されるショップサービス１０１２について説明する。
【０２０２】このショップサービス１０１２は、ユーザー自身が欲しい商品、例えば、携帯電話の着信メロディーをダウンロードできるだけでなく、他のユーザーに自分の欲しい着信メロディーのダウンロードをねだったり、あるいは、自分で指定したユーザーに着信メロディーのダウンロードをおごったりすることができるものである。
【０２０３】なお、図４８乃至図５５には、ショップサービス１０１２において、ユーザー側端末１８たる携帯電話の表示部に表示される画面の一例を示す説明図が示されている。
【０２０４】例えば、既に会員としての地位を有し個別識別番号（ＩＤ）を有しているユーザーが、ユーザー側端末１８たる携帯電話とサイト管理者側システム１０のサービス事業者側システム１２とを、ネットワーク１６を介して接続し、携帯電話からサービス事業者側システム１２に対して、ユーザ自身が欲しい商品、即ち、デジタルコンテンツである着信メロディーのダウンロードの要求をする（図４８に示す画面６０１→画面６０２→画面６０３→画面６０４→画面６０５→画面６０６→画面６０７参照）。すると、サイト管理者側システム１０によって管理可能なデータベースに記録されている種々の商品を示す商品情報に基づいて、サービス事業者側システム１２からユーザーの携帯電話へ着信メロディーがダウンロードされて保存される。
【０２０５】また、ユーザーはネットワーク１６を介して各種占いを利用することもでき（図４９乃至図５２参照）、こうしたコミュニティサイト１０００におけるデジタルコンテンツの閲覧やダウンロードをユーザー自身が行なった場合には、インフラ／課金事業者側システム１４によってユーザー自身に課金処理がなされる（図４７のステップＦ１，Ｆ２，Ｆ３参照）。
【０２０６】ここで、ユーザーＡがコミュニティサイト１０００におけるデジタルコンテンツの閲覧やダウンロードを希望するときに、当該デジタルコンテンツの閲覧やダウンロードをコミュニティサイト１０００の他のユーザーＢにねだる、即ち、デジタルコンテンツの閲覧やダウンロードはユーザーＡ自身が行なうが、インフラ／課金事業者側システム１４による課金処理はユーザーＢになされるようにすることができる。
【０２０７】具体的は、コミュニティサイト１０００内において、所定のユーザーＡがねだる内容を示すおねだり電子メール（図５３における画面６０８参照）をユーザーＢに送信し（図４７のステップＦ１，Ｆ４，Ｆ５，Ｆ６，Ｆ７参照）、おねだり電子メールを受信したユーザーＢは（図４７のステップＦ８参照）、ユーザーＡにおねだり許可の電子メール（図４７のステップＦ１１参照）かあるいはおねだり拒否の電子メール（図４７のステップＦ９参照）を返信する。すると、こうしたショップサービス１０１２に際してのユーザー間の電子メールの送受信はサービス事業者側システム１２によって管理され、サービス事業者側システム１２はおねだり許可の電子メールの送信によって、ユーザーＡのユーザーＢに対するおねだりが成立したと判断し、インフラ／課金事業者側システム１４によってユーザーＢに対する課金処理を実行させる（図４７のステップＦ１２参照）。
【０２０８】また、コミュニティサイト１０００におけるデジタルコンテンツの閲覧やダウンロードがユーザーＢによって行なわれることをユーザーＡが希望するときに、当該デジタルコンテンツの閲覧やダウンロードをコミュニティサイト１０００のユーザーＢにユーザーＡがおごる、即ち、デジタルコンテンツの閲覧やダウンロードはユーザーＢが行なうが、インフラ／課金事業者側システム１４による課金処理はユーザーＡ自身になされるようにすることができる。
【０２０９】具体的は、ショップサービス１０１２においてユーザーＡがユーザーＢにおごる商品として、例えば、着信メロディーを選択すると（図４７のステップＦ１，Ｆ１８，Ｆ１９，Ｆ２０参照）、サービス事業者側システム１２はユーザーＡのユーザーＢに対するおごりが成立したと判断し、インフラ／課金事業者側システム１４によってユーザーＡに対する課金処理を実行させる（図４７のステップＦ２１参照）。
【０２１０】それから、コミュニティサイト１０００内において、ユーザーＡがおごる内容を示すおごり電子メール（図５４における画面６０９参照）をユーザーＢに送信し（図４７のステップＦ２２参照）、おごり電子メールをユーザーＢが受信する（図４７のステップＦ２３参照）。すると、こうしたショップサービス１０１２に際してのユーザー間の電子メールの送受信はサービス事業者側システム１２によって管理され、おごり電子メールを受信したユーザーＢは、ユーザーＡによっておごられたデジタルコンテンツの閲覧やダウンロードを行なえる（図４７のステップＦ２４，Ｆ２５ならびに図５５に示す画面６１０→画面６１１参照）。
【０２１１】さらに、サービス事業者側システム１２は、このショップサービス１０１２によって、コミュニティサイト１０００のユーザーがデジタルコンテンツをダウンロードした履歴などを含む利用状況を管理するためのパーソナルデータベース１２ｇを有している。そして、こうしたサービス事業者側システム１２の管理のもと、ショップサービス１０１２によってユーザーが既にダウンロードしたデジタルコンテンツを、ユーザー同士が互いに交換するサービスがコミュニティサイト１０００において提供される（図５６参照）。
【０２１２】より詳細には、サービス事業者側システム１２は、コミュニティサイト１０００内に、ユーザーが保有するデジタルコンテンツであって他のユーザーに譲ってもよいデジタルコンテンツを保管する保管エリア１０００ａを設置し、一方で、コミュニティサイト１０００のユーザー同士がデジタルコンテンツを交換する交換エリア１０００ｂを設置する。また、保管エリア１０００ａに保管されているデジタルコンテンツの一覧をユーザーに公開するための一覧エリア１０００ｃも設置する（図５７参照）。
【０２１３】そして、デジタルコンテンツとして所定の着信メロディーＭが欲しいユーザーＡは、一覧エリア１０００ｃを閲覧して着信メロディーＭがあるか否かを確認する。ここで、ユーザーＡが欲しい着信メロディーＭを保管エリア１０００ａに保管しているユーザーＢがいれば、交換エリア１０００ｂにおいてユーザーＡとユーザーＢとが着信メロディーＭの交換を行う。
【０２１４】こうしてコミュニティサイト１０００内においてユーザー同士でデジタルコンテンツの交換が成立すると、サービス事業者側システム１２は、保管エリア１０００ａに保管されていたデジタルコンテンツの属性を変更するとともに、デジタルコンテンツの交換を成立させたユーザー同士に対して、ショップサービス１０１２において利用可能なポイントを付与する。
【０２１５】こうして、ユーザーは、欲しいデジタルデータを新たにコミュニティサイト１０００を介してダウンロードするのではなく、既にダウンロードして保管しているユーザーから譲り受けることができる。
【０２１６】なお、図５８に示すように、サービス事業者側システム１２によって、ユーザーＡのデジタルコンテンツの取得を希望する内容に基づいてマッチング処理を行い、そのマッチング処理の結果に基づいて自動的に、ユーザーＡとユーザーＢとの交換を成立させるようにしてもよい。さらには、このショップサービス１０１２において利用可能なポイントを、交換エリア１０００ｂにおいてユーザー同士で授受することも可能である。
【０２１７】こうしてショップサービス１０１２によれば、コミュニティサイト１０００を利用するユーザー同士が、欲しいデジタルデータを他のユーザーにねだったり、あるいは、デジタルデータを他のユーザーにおごったりすることができ、さらに、ユーザー自身が保有しているデジタルデータの交換を行ったりできるので、コミュニティサイト１００内でユーザー同士のコミュニケーションが活性化される。
【０２１８】なお、上記した実施の形態は、以下に示す（１）乃至（５）のように変形してもよい。
【０２１９】（１）上記した実施の形態においては、本発明によるサイト管理者側システム１０により提供される各種サービス（図２参照）を利用可能なユーザーについては、ユーザーは予め、サイト管理者側システム１０のデジタルコンテンツの配信サービスに加入するようにしたが、これに限られるものではないことは勿論であり、加入制ではなく、全てのユーザー側端末１８が、本発明によるサイト管理者側システム１０により提供される各種サービス（図２参照）を利用可能な環境である場合には、全てのユーザー側端末１８を保有するユーザーに対して、サイト管理者側システム１０により各種サービスを提供するようにしてもよい。
【０２２０】また、サイト管理者側システム１０によりサービス毎に加入制であったり、あるいは、全てのユーザーに提供可能としてもよい。
【０２２１】（２）上記した実施の形態においては、本発明によるサイト管理者側システム１０のサービス事業者側システム１２とインフラ／課金事業者側システム１４とが、それぞれ個別の事業者によって構築されるように図示されているが、これに限られるものではないことは勿論であり、サービス事業者側システム１２とインフラ／課金事業者側システム１４とが同一の事業者によって構築されるようにしてもよいことは勿論である。さらに、サービス事業者側システム１２とインフラ／課金事業者側システム１４との関係は、各種処理を連携して自動的に行うようにしてもよい。
【０２２２】（３）上記した実施の形態においては、プロフィールサービス１００２において、テキスト系のデータからなる個人情報の公開範囲は予め、閲覧を希望するユーザーの全員となされているようにしたが、これに限られるものではないことは勿論であり、例えば、図５９に示すようにして、テキスト系のデータからなる個人情報を構成する各種の管理項目データ毎に公開範囲を設定可能なようにしてもよい。
【０２２３】（４）上記した実施の形態においては、例えば、電光掲示板サービス１００４において、コミュニティサイト１０００のトップページで公開されるのは、テキストのメッセージであるようにしたが、これに限られるものではないことは勿論であり、静止画像やあるいは動画などの画像がコミュニティサイト１０００のトップページで公開されるようにしてもよい。
【０２２４】このように、本発明によるサイト管理者側システム１０におけるサデジタルコンテンツは、音系のデータや画像系のデータ、あるいはテキスト系のデータなどをそれぞれ相互に変更して使用可能なものである。
【０２２５】（５）上記した実施の形態ならびに上記した（１）乃至（４）に示す変形例は、適宜に組み合わせるようにしてもよい。
【発明の効果】
【０２２６】本発明は、以上説明したように構成されているので、コミュニティサイト内においてコミュニケーションの活性化を図ることができるようになるという優れた効果を奏する。
【図面の簡単な説明】
【図１】本発明によるサイト管理者側システムの実施の形態の一例の全体の構成を表すブロック図である。
【図２】コミュニティサイトのデジタルコンテンツの全体像を模式的に示した説明図である。
【図３】本発明によるサイト管理者側システムにより提供されるプロフィールサービスを利用する際における、プロフィールサービスの利用登録手順を示す処理フローである。
【図４】本発明によるサイト管理者側システムにより提供されるプロフィールサービスを利用する際における、テキスト系のデータからなる個人情報の登録手順を示す処理フローである。
【図５】本発明によるサイト管理者側システムにより提供されるプロフィールサービスを利用する際における、音系のデータからなる個人情報の登録手順を示す処理フローである。
【図６】本発明によるサイト管理者側システムにより提供されるプロフィールサービスを利用する際における、音系のデータからなる個人情報の登録手順を示す処理フローである。
【図７】本発明によるサイト管理者側システムにより提供されるプロフィールサービスを利用する際における、音系のデータからなる個人情報の登録手順を示す処理フローである。
【図８】本発明によるサイト管理者側システムにより提供されるプロフィールサービスを利用する際における、画像系のデータからなる個人情報の登録手順を示す処理フローである。
【図９】本発明によるサイト管理者側システムにより提供されるプロフィールサービスにおいて、ユーザー側端末たる携帯電話の表示部に表示される画面の一例を示す説明図である。
【図１０】本発明によるサイト管理者側システムにより提供されるプロフィールサービスにおいて、ユーザー側端末たる携帯電話の表示部に表示される画面の一例を示す説明図である。
【図１１】本発明によるサイト管理者側システムにより提供されるプロフィールサービスにおける個人情報の構成の一例を示す説明図である。
【図１２】本発明によるサイト管理者側システムにより提供されるプロフィールサービスの概要を示す説明図である。
【図１３】本発明によるサイト管理者側システムにより提供されるプロフィールサービスにおいて、ユーザー側端末たる携帯電話の表示部に表示される画面の一例を示す説明図である。
【図１４】本発明によるサイト管理者側システムにより提供される電光掲示板サービスを利用する際における、電光掲示板サービスの利用登録手順を示す処理フローである。
【図１５】本発明によるサイト管理者側システムにより提供される電光掲示板サービすを利用する際における、仮予約の手順を示す処理フローである。
【図１６】本発明によるサイト管理者側システムにより提供される電光掲示板サービスを利用する際における、仮予約の手順を示す処理フローである。
【図１７】本発明によるサイト管理者側システムにより提供される電光掲示板サービスを利用する際における、メッセージ情報の検閲手順を示す処理フローである。
【図１８】本発明によるサイト管理者側システムにより提供される電光掲示板サービスを利用する際における、メッセージ情報の検閲手順を示す処理フローである。
【図１９】本発明によるサイト管理者側システムにより提供される電光掲示板サービスを利用する際における、公開の手順を示す処理フローである。
【図２０】本発明によるサイト管理者側システムにより提供される電光掲示板サービスにおいて、ユーザー側端末たる携帯電話の表示部に表示される画面の一例を示す説明図である。
【図２１】本発明によるサイト管理者側システムにより提供される電光掲示板サービスにおいて、ユーザー側端末たる携帯電話の表示部に表示される画面の一例を示す説明図である。
【図２２】本発明によるサイト管理者側システムにより提供されるカラオケハウスサービスを利用する際における、カラオケハウスサービスの利用登録手順を示す処理フローである。
【図２３】本発明によるサイト管理者側システムにより提供されるカラオケハウスサービスを利用する際における、歌唱準備の手順を示す処理フローである。
【図２４】本発明によるサイト管理者側システムにより提供されるカラオケハウスサービスを利用する際における、楽曲の選択手順を示す処理フローである。
【図２５】本発明によるサイト管理者側システムにより提供されるカラオケハウスサービスを利用する際における、カラオケの歌唱の登録手順を示す処理フローである。
【図２６】本発明によるサイト管理者側システムにより提供されるカラオケハウスサービスを利用する際における、カラオケの歌唱の登録手順を示す処理フローである。
【図２７】本発明によるサイト管理者側システムにより提供されるカラオケハウスサービスを利用する際における、カラオケの歌唱の公開手順を示す処理フローである。
【図２８】本発明によるサイト管理者側システムにより提供されるカラオケハウスサービスにおいて、ユーザー側端末たる携帯電話の表示部に表示される画面の一例を示す説明図である。
【図２９】本発明によるサイト管理者側システムにより提供されるカラオケハウスサービスにおいて、ユーザー側端末たる携帯電話の表示部に表示される画面の一例を示す説明図である。
【図３０】本発明によるサイト管理者側システムにより提供されるカラオケハウスサービスにおいて、ユーザー側端末たる携帯電話の表示部に表示される画面の一例を示す説明図である。
【図３１】本発明によるサイト管理者側システムにより提供されるカラオケハウスサービスにおける重ね合わせ処理を示す説明図である。
【図３２】本発明によるサイト管理者側システムにより提供されるボイスメールサービスを利用する際における、ボイスメールサービスの利用登録手順を示す処理フローである。
【図３３】本発明によるサイト管理者側システムにより提供されるボイスメールサービスを利用する際における、ボイスメール作成準備の手順を示す処理フローである。
【図３４】本発明によるサイト管理者側システムにより提供されるボイスメールサービスを利用する際における、ボイスメールの配信先の決定手順ならびにボイスメールのＢＧＭの選択手順を示す処理フローである。
【図３５】本発明によるサイト管理者側システムにより提供されるボイスメールサービスを利用する際における、ボイスメールの音声メッセージの登録手順を示す処理フローである。
【図３６】本発明によるサイト管理者側システムにより提供されるボイスメールサービスを利用する際における、ボイスメールの音声メッセージの登録手順を示す処理フローである。
【図３７】本発明によるサイト管理者側システムにより提供されるボイスメールサービスにおいて、ユーザー側端末たる携帯電話の表示部に表示される画面の一例を示す説明図である。
【図３８】本発明によるサイト管理者側システムにより提供されるボイスメールサービスにおいて、ユーザー側端末たる携帯電話の表示部に表示される画面の一例を示す説明図である。
【図３９】本発明によるサイト管理者側システムにより提供されるランダムメールサービスを利用する際における、ランダムメールサービスの利用登録手順を示す処理フローである。
【図４０】本発明によるサイト管理者側システムにより提供されるランダムメールサービスを利用する際における、ランダムメールの本文の登録手順を示す処理フローである。
【図４１】本発明によるサイト管理者側システムにより提供されるランダムメールサービスを利用する際における、ランダムメールの本文の検閲手順を示す処理フローである。
【図４２】本発明によるサイト管理者側システムにより提供されるランダムメールサービスを利用する際における、ランダムメールの本文の検閲手順を示す処理フローである。
【図４３】本発明によるサイト管理者側システムにより提供されるランダムメールサービスを利用する際における、ランダムメールの配信のための課金登録手順を示す処理フローである。
【図４４】本発明によるサイト管理者側システムにより提供されるランダムメールサービスを利用する際における、ランダムメールの配信手順を示す処理フローである。
【図４５】本発明によるサイト管理者側システムにより提供されるランダムメールサービスにおいて、ユーザー側端末たる携帯電話の表示部に表示される画面の一例を示す説明図である。
【図４６】本発明によるサイト管理者側システムにより提供されるランダムメールサービスにおいて、ランダムメールの配信先を決定する処理に用いられるデータを示す説明図である。
【図４７】本発明によるサイト管理者側システムにより提供されるショップサービスの概要を示す説明図である。
【図４８】本発明によるサイト管理者側システムにより提供されるショップサービスにおいて、ユーザー側端末たる携帯電話の表示部に表示される画面の一例を示す説明図である。
【図４９】本発明によるサイト管理者側システムにより提供されるショップサービスにおいて、ユーザー側端末たる携帯電話の表示部に表示される画面の一例を示す説明図である。
【図５０】本発明によるサイト管理者側システムにより提供されるショップサービスにおいて、ユーザー側端末たる携帯電話の表示部に表示される画面の一例を示す説明図である。
【図５１】本発明によるサイト管理者側システムにより提供されるショップサービスにおいて、ユーザー側端末たる携帯電話の表示部に表示される画面の一例を示す説明図である。
【図５２】本発明によるサイト管理者側システムにより提供されるショップサービスにおいて、ユーザー側端末たる携帯電話の表示部に表示される画面の一例を示す説明図である。
【図５３】本発明によるサイト管理者側システムにより提供されるショップサービスにおいて、ユーザー側端末たる携帯電話の表示部に表示される画面の一例を示す説明図である。
【図５４】本発明によるサイト管理者側システムにより提供されるショップサービスにおいて、ユーザー側端末たる携帯電話の表示部に表示される画面の一例を示す説明図である。
【図５５】本発明によるサイト管理者側システムにより提供されるショップサービスにおいて、ユーザー側端末たる携帯電話の表示部に表示される画面の一例を示す説明図である。
【図５６】本発明によるサイト管理者側システムにより提供されるショップサービスにおけるデジタルデータの交換の概要を示す説明図である。
【図５７】本発明によるサイト管理者側システムにより提供されるショップサービスにおけるデジタルデータの交換の概要を示す説明図である。
【図５８】本発明によるサイト管理者側システムにより提供されるショップサービスにおけるデジタルデータの交換の概要を示す説明図である。
【図５９】本発明によるサイト管理者側システムにより提供されるプロフィールサービスにおける個人情報の構成の他の例を示す説明図である。
【符号の説明】１０  サイト管理者側システム
１２  サービス事業者側システム
１４  インフラ／課金事業者側システム
１６  ネットワーク
１８  ユーザー側端末
【図面の簡単な説明】
【図１】本発明によるサイト管理者側システムの実施の形態の一例の全体の構成を表すブロック図である。
【図２】コミュニティサイトのデジタルコンテンツの全体像を模式的に示した説明図である。
【図３】本発明によるサイト管理者側システムにより提供されるプロフィールサービスを利用する際における、プロフィールサービスの利用登録手順を示す処理フローである。
【図４】本発明によるサイト管理者側システムにより提供されるプロフィールサービスを利用する際における、テキスト系のデータからなる個人情報の登録手順を示す処理フローである。
【図５】本発明によるサイト管理者側システムにより提供されるプロフィールサービスを利用する際における、音系のデータからなる個人情報の登録手順を示す処理フローである。
【図６】本発明によるサイト管理者側システムにより提供されるプロフィールサービスを利用する際における、音系のデータからなる個人情報の登録手順を示す処理フローである。
【図７】本発明によるサイト管理者側システムにより提供されるプロフィールサービスを利用する際における、音系のデータからなる個人情報の登録手順を示す処理フローである。
【図８】本発明によるサイト管理者側システムにより提供されるプロフィールサービスを利用する際における、画像系のデータからなる個人情報の登録手順を示す処理フローである。
【図９】本発明によるサイト管理者側システムにより提供されるプロフィールサービスにおいて、ユーザー側端末たる携帯電話の表示部に表示される画面の一例を示す説明図である。
【図１０】本発明によるサイト管理者側システムにより提供されるプロフィールサービスにおいて、ユーザー側端末たる携帯電話の表示部に表示される画面の一例を示す説明図である。
【図１１】本発明によるサイト管理者側システムにより提供されるプロフィールサービスにおける個人情報の構成の一例を示す説明図である。
【図１２】本発明によるサイト管理者側システムにより提供されるプロフィールサービスの概要を示す説明図である。
【図１３】本発明によるサイト管理者側システムにより提供されるプロフィールサービスにおいて、ユーザー側端末たる携帯電話の表示部に表示される画面の一例を示す説明図である。
【図１４】本発明によるサイト管理者側システムにより提供される電光掲示板サービスを利用する際における、電光掲示板サービスの利用登録手順を示す処理フローである。
【図１５】本発明によるサイト管理者側システムにより提供される電光掲示板サービすを利用する際における、仮予約の手順を示す処理フローである。
【図１６】本発明によるサイト管理者側システムにより提供される電光掲示板サービスを利用する際における、仮予約の手順を示す処理フローである。
【図１７】本発明によるサイト管理者側システムにより提供される電光掲示板サービスを利用する際における、メッセージ情報の検閲手順を示す処理フローである。
【図１８】本発明によるサイト管理者側システムにより提供される電光掲示板サービスを利用する際における、メッセージ情報の検閲手順を示す処理フローである。
【図１９】本発明によるサイト管理者側システムにより提供される電光掲示板サービスを利用する際における、公開の手順を示す処理フローである。
【図２０】本発明によるサイト管理者側システムにより提供される電光掲示板サービスにおいて、ユーザー側端末たる携帯電話の表示部に表示される画面の一例を示す説明図である。
【図２１】本発明によるサイト管理者側システムにより提供される電光掲示板サービスにおいて、ユーザー側端末たる携帯電話の表示部に表示される画面の一例を示す説明図である。
【図２２】本発明によるサイト管理者側システムにより提供されるカラオケハウスサービスを利用する際における、カラオケハウスサービスの利用登録手順を示す処理フローである。
【図２３】本発明によるサイト管理者側システムにより提供されるカラオケハウスサービスを利用する際における、歌唱準備の手順を示す処理フローである。
【図２４】本発明によるサイト管理者側システムにより提供されるカラオケハウスサービスを利用する際における、楽曲の選択手順を示す処理フローである。
【図２５】本発明によるサイト管理者側システムにより提供されるカラオケハウスサービスを利用する際における、カラオケの歌唱の登録手順を示す処理フローである。
【図２６】本発明によるサイト管理者側システムにより提供されるカラオケハウスサービスを利用する際における、カラオケの歌唱の登録手順を示す処理フローである。
【図２７】本発明によるサイト管理者側システムにより提供されるカラオケハウスサービスを利用する際における、カラオケの歌唱の公開手順を示す処理フローである。
【図２８】本発明によるサイト管理者側システムにより提供されるカラオケハウスサービスにおいて、ユーザー側端末たる携帯電話の表示部に表示される画面の一例を示す説明図である。
【図２９】本発明によるサイト管理者側システムにより提供されるカラオケハウスサービスにおいて、ユーザー側端末たる携帯電話の表示部に表示される画面の一例を示す説明図である。
【図３０】本発明によるサイト管理者側システムにより提供されるカラオケハウスサービスにおいて、ユーザー側端末たる携帯電話の表示部に表示される画面の一例を示す説明図である。
【図３１】本発明によるサイト管理者側システムにより提供されるカラオケハウスサービスにおける重ね合わせ処理を示す説明図である。
【図３２】本発明によるサイト管理者側システムにより提供されるボイスメールサービスを利用する際における、ボイスメールサービスの利用登録手順を示す処理フローである。
【図３３】本発明によるサイト管理者側システムにより提供されるボイスメールサービスを利用する際における、ボイスメール作成準備の手順を示す処理フローである。
【図３４】本発明によるサイト管理者側システムにより提供されるボイスメールサービスを利用する際における、ボイスメールの配信先の決定手順ならびにボイスメールのＢＧＭの選択手順を示す処理フローである。
【図３５】本発明によるサイト管理者側システムにより提供されるボイスメールサービスを利用する際における、ボイスメールの音声メッセージの登録手順を示す処理フローである。
【図３６】本発明によるサイト管理者側システムにより提供されるボイスメールサービスを利用する際における、ボイスメールの音声メッセージの登録手順を示す処理フローである。
【図３７】本発明によるサイト管理者側システムにより提供されるボイスメールサービスにおいて、ユーザー側端末たる携帯電話の表示部に表示される画面の一例を示す説明図である。
【図３８】本発明によるサイト管理者側システムにより提供されるボイスメールサービスにおいて、ユーザー側端末たる携帯電話の表示部に表示される画面の一例を示す説明図である。
【図３９】本発明によるサイト管理者側システムにより提供されるランダムメールサービスを利用する際における、ランダムメールサービスの利用登録手順を示す処理フローである。
【図４０】本発明によるサイト管理者側システムにより提供されるランダムメールサービスを利用する際における、ランダムメールの本文の登録手順を示す処理フローである。
【図４１】本発明によるサイト管理者側システムにより提供されるランダムメールサービスを利用する際における、ランダムメールの本文の検閲手順を示す処理フローである。
【図４２】本発明によるサイト管理者側システムにより提供されるランダムメールサービスを利用する際における、ランダムメールの本文の検閲手順を示す処理フローである。
【図４３】本発明によるサイト管理者側システムにより提供されるランダムメールサービスを利用する際における、ランダムメールの配信のための課金登録手順を示す処理フローである。
【図４４】本発明によるサイト管理者側システムにより提供されるランダムメールサービスを利用する際における、ランダムメールの配信手順を示す処理フローである。
【図４５】本発明によるサイト管理者側システムにより提供されるランダムメールサービスにおいて、ユーザー側端末たる携帯電話の表示部に表示される画面の一例を示す説明図である。
【図４６】本発明によるサイト管理者側システムにより提供されるランダムメールサービスにおいて、ランダムメールの配信先を決定する処理に用いられるデータを示す説明図である。
【図４７】本発明によるサイト管理者側システムにより提供されるショップサービスの概要を示す説明図である。
【図４８】本発明によるサイト管理者側システムにより提供されるショップサービスにおいて、ユーザー側端末たる携帯電話の表示部に表示される画面の一例を示す説明図である。
【図４９】本発明によるサイト管理者側システムにより提供されるショップサービスにおいて、ユーザー側端末たる携帯電話の表示部に表示される画面の一例を示す説明図である。
【図５０】本発明によるサイト管理者側システムにより提供されるショップサービスにおいて、ユーザー側端末たる携帯電話の表示部に表示される画面の一例を示す説明図である。
【図５１】本発明によるサイト管理者側システムにより提供されるショップサービスにおいて、ユーザー側端末たる携帯電話の表示部に表示される画面の一例を示す説明図である。
【図５２】本発明によるサイト管理者側システムにより提供されるショップサービスにおいて、ユーザー側端末たる携帯電話の表示部に表示される画面の一例を示す説明図である。
【図５３】本発明によるサイト管理者側システムにより提供されるショップサービスにおいて、ユーザー側端末たる携帯電話の表示部に表示される画面の一例を示す説明図である。
【図５４】本発明によるサイト管理者側システムにより提供されるショップサービスにおいて、ユーザー側端末たる携帯電話の表示部に表示される画面の一例を示す説明図である。
【図５５】本発明によるサイト管理者側システムにより提供されるショップサービスにおいて、ユーザー側端末たる携帯電話の表示部に表示される画面の一例を示す説明図である。
【図５６】本発明によるサイト管理者側システムにより提供されるショップサービスにおけるデジタルデータの交換の概要を示す説明図である。
【図５７】本発明によるサイト管理者側システムにより提供されるショップサービスにおけるデジタルデータの交換の概要を示す説明図である。
【図５８】本発明によるサイト管理者側システムにより提供されるショップサービスにおけるデジタルデータの交換の概要を示す説明図である。
【図５９】本発明によるサイト管理者側システムにより提供されるプロフィールサービスにおける個人情報の構成の他の例を示す説明図である。
【符号の説明】１０  サイト管理者側システム
１２  サービス事業者側システム
１４  インフラ／課金事業者側システム
１６  ネットワーク
１８  ユーザー側端末
【図１】
2010097597.tif 000003
【図２】
2010097597.tif 000004
【図３】
2010097597.tif 000005
【図４】
2010097597.tif 000006
【図５】
2010097597.tif 000007
【図６】
2010097597.tif 000008
【図７】
2010097597.tif 000009
【図８】
2010097597.tif 000010
【図９】
2010097597.tif 000011
【図１０】
2010097597.tif 000012
【図１１】
2010097597.tif 000013
【図１２】
2010097597.tif 000014
【図１３】
2010097597.tif 000015
【図１４】
2010097597.tif 000016
【図１５】
2010097597.tif 000017
【図１６】
2010097597.tif 000018
【図１７】
2010097597.tif 000019
【図１８】
2010097597.tif 000020
【図１９】
2010097597.tif 000021
【図２０】
2010097597.tif 000022
【図２１】
2010097597.tif 000023
【図２２】
2010097597.tif 000024
【図２３】
2010097597.tif 000025
【図２４】
2010097597.tif 000026
【図２５】
2010097597.tif 000027
【図２６】
2010097597.tif 000028
【図２７】
2010097597.tif 000029
【図２８】
2010097597.tif 000030
【図２９】
2010097597.tif 000031
【図３０】
2010097597.tif 000032
【図３１】
2010097597.tif 000033
【図３２】
2010097597.tif 000034
【図３３】
2010097597.tif 000035
【図３４】
2010097597.tif 000036
【図３５】
2010097597.tif 000037
【図３６】
2010097597.tif 000038
【図３７】
2010097597.tif 000039
【図３８】
2010097597.tif 000040
【図３９】
2010097597.tif 000041
【図４０】
2010097597.tif 000042
【図４１】
2010097597.tif 000043
【図４２】
2010097597.tif 000044
【図４３】
2010097597.tif 000045
【図４４】
2010097597.tif 000046
【図４５】
2010097597.tif 000047
【図４６】
2010097597.tif 000048
【図４７】
2010097597.tif 000049
【図４８】
2010097597.tif 000050
【図４９】
2010097597.tif 000051
【図５０】
2010097597.tif 000052
【図５１】
2010097597.tif 000053
【図５２】
2010097597.tif 000054
【図５３】
2010097597.tif 000055
【図５４】
2010097597.tif 000056
【図５５】
2010097597.tif 000057
【図５６】
2010097597.tif 000058
【図５７】
2010097597.tif 000059
【図５８】
2010097597.tif 000060
【図５９】
2010097597.tif 000061
【手続補正書】
【提出日】平成21年12月28日(2009.12.28)
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明は、サイト管理者側システムならびにサイト管理方法およびそのプログラムに関し、さらに詳細には、例えば、インターネットなどのネットワークを介してユーザーがデジタルコンテンツを交換するウェブサイトや、電子掲示板（ＢＢＳ）が設置されているウェブサイトのような、ユーザー相互のコミュニケーションが可能でコミュニティスペースとして機能するコミュニティサイトを管理する管理者が用いて好適なサイト管理者側システムならびにサイト管理方法およびそのプログラムに関する。【０００２】ここで、「デジタルコンテンツ」とは、本明細書においては、ユーザーの各種端末、例えば、携帯電話から放音される着信メロディーなどの音系のデータや、ユーザーの各種端末、例えば、携帯電話の表示画面に表示される待ち受け画面のような静止画像やあるいは動画などの画像系のデータ、あるいはユーザーの各種端末の表示画面に表示されるメッセージ文などのテキスト系のデータなどのような、ユーザーの各種端末において送受信可能な各種のデジタルデータを意味するものとする。
【背景技術】
【０００３】従来より、インターネットなどのネットワークを利用した各種コミュニティサイトがコミュニティサイトの管理者によって管理運営されているが、こうしたコミュニティサイトにおいてユーザーは、ハンドルネームを使用したり、あるいは、簡単なプロフィールのみを公開して、当該コミュニティサイトに参加することが多い。【０００４】ところで、コミュニティサイトの管理者においては、管理しているコミュニティサイトのコミュニティスペースとして機能を十分に発揮させ、当該コミュニティサイト内におけるコミュニケーションを活性化させることができれば、当該コミュニティサイトを利用するユーザーは増加し、注目度の高いデジタルコンテンツを集めることも可能になって、高価値のデジタルコンテンツを管理し収益を確保することもできる。【０００５】しかしながら、従来のようにハンドルネームと簡単なプロフィールのみでユーザーがコミュニティサイトに参加しているだけでは、現実に人間が交流したときに生起されるようなコミュニケーションの活性化を、当該コミュニティサイト内で実現することが困難であるという問題点があった。【０００６】実際、コミュニティサイトにおいて互いに交流を深めたユーザー同士は、例えば、自分の電子メールアドレスを互いに交換するなどして、コミュニティサイト外でコミュニケーションを活性化していく傾向がある。【０００７】このため、コミュニティサイトの管理者側においては、管理しているコミュニティサイト内においてコミュニケーションの活性化を図ることのできる手法の提案が望まれていた。
【発明が解決しようとする課題】
【０００８】本発明は、上記したような従来の技術の有する種々の問題点に鑑みてなされたものであり、その目的とするところは、コミュニティサイト内においてコミュニケーションの活性化を図ることのできるサイト管理者側システムならびにサイト管理方法およびそのプログラムを提供しようとするものである。
【課題を解決するための手段】
【０００９】上記目的を達成するために、本発明のうち請求項１に記載の発明は、コンピュータネットワークを介して接続された端末から送信されたユーザーの複数の個人情報を記憶する個人情報記憶手段と、上記個人情報記憶手段に記憶された複数の個人情報のそれぞれの公開範囲が、閲覧を希望するユーザーの全員であるのか、または、閲覧を希望するユーザーのうち所定のユーザーであるのかを記憶する公開範囲記憶手段と、上記公開範囲記憶手段に公開範囲が閲覧を希望するユーザーのうち所定のユーザーと記憶された所定の個人情報の公開が、該個人情報のユーザーによって許可されたユーザーを管理する許可範囲管理手段と、コンピュータネットワークを介して接続された端末から送信され、上記個人情報記憶手段に記憶された所定のユーザーの所定の個人情報の閲覧を指定する閲覧指定情報を受信する閲覧指定情報受信手段と、上記閲覧指定情報受信手段が受信した閲覧指定情報の指定する所定のユーザーの所定の個人情報の公開範囲を、上記公開範囲記憶手段に基づいて判断処理する判断手段と、上記判断手段による判断処理の結果、上記閲覧指定情報受信手段が受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、上記閲覧指定情報受信手段が受信した閲覧指定情報の指定する所定のユーザーの所定の個人情報の公開範囲が、閲覧を希望するユーザーのうち所定のユーザーである場合には、上記管理手段によって公開が許可されたとして管理されているユーザーの閲覧指定情報のときに、閲覧指定情報の指定する個人情報をコンピュータネットワークを介して公開する第２の公開処理を行なう個人情報公開手段とを有するようにしたものである。
【００１０】また、本発明のうち請求項２に記載の発明は、コンピュータネットワークを介して接続された端末から送信された所定のメッセージを示すメッセージ情報と上記メッセージ情報の示すメッセージを公開する日時を示すスケジュール情報とを受け付ける受付手段と、上記受付手段が受け付けたスケジュール情報の示す日時に空きがあるか否かを判断する第１の判断手段と、上記受付手段が受け付けたメッセージ情報の示すメッセージに所定の文言が含まれているか否かを判断する第２の判断手段と、上記第１の判断手段によってスケジュール情報の示す日時に空きがあると判断され、かつ、上記第２の判断手段によってメッセージ情報の示すメッセージに所定の文言が含まれていないと判断された場合に、上記スケジュール情報ならびにメッセージ情報を送信した端末宛に、コンピュータネットワークを介して受付の完了を示す内容のメールを配信する受付完了メール配信手段と、上記受付完了メール配信手段によってメールが配信された後、上記スケジュール情報ならびにメッセージ情報を送信した端末に対する課金処理が完了したことを確認する課金確認手段と、上記課金確認手段によってスケジュール情報ならびにメッセージ情報を送信した端末に対する課金処理の完了が確認されると、メッセージ情報の示すメッセージをスケジュール情報の示す日時に、所定のサイトの所定のページで公開するメッセージ公開手段とを有するようにしたものである。
【００１１】また、本発明のうち請求項３に記載の発明は、コンピュータネットワークを介して接続された端末から送信された所定の背景音を指定する背景音指定情報を受信する背景音指定情報受信手段と、上記背景音指定情報受信手段が受信した背景音指定情報が指定する背景音を、上記背景音指定情報を送信した端末によって聴取可能なように再生する再生手段と、上記再生手段によって上記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する音声情報生成手段と、上記音声情報生成手段によって生成された音声情報を記憶する音声情報記憶手段と、コンピュータネットワークを介して接続された端末から送信され、上記音声情報記憶手段に記憶された音声情報の公開を指示する公開指定情報に従って、音声情報をコンピュータネットワークを介して公開する音声情報公開手段とを有するようにしたものである。
【００１２】また、本発明のうち請求項４に記載の発明は、コンピュータネットワークを介してメールを配信する宛先たるメールアドレスを記憶するメールアドレス記憶手段と、上記メールアドレス記憶手段に記憶されたメールアドレスの履歴を示す履歴情報を記憶する履歴情報記憶手段と、コンピュータネットワークを介して接続された端末から配信されたメールの本文を示すメール本文情報を記憶するメール本文情報記憶手段と、上記メール本文情報記憶手段にメール本文情報が記憶されると、上記履歴情報記憶手段に記憶された履歴に従って、上記メールアドレス記憶手段に記憶されたメールアドレスを選別し、上記メールアドレス記憶手段に記憶された複数のメールアドレスを配信先メールアドレスとして決定する配信先決定手段と、上記配信先決定手段によって決定された配信先メールアドレスに、上記メール本文情報記憶手段に記憶されたメール本文情報が示す本文のメールを配信するメール配信手段とを有するようにしたものである。
【００１３】また、本発明のうち請求項５に記載の発明は、所定の商品を示す商品情報を記憶する商品情報記憶手段と、上記商品情報記憶手段に記憶された商品情報の示す所定の商品の購入を、所定のユーザーにねだる内容を示すおねだりメールを、コンピュータネットワークを介して上記所定のユーザーに配信するおねだりメール配信手段と、上記おねだりメール配信手段によって配信されたおねだりメールを受信した所定のユーザーから、同意を示す内容の同意メールが受信されたことを確認すると、上記おねだりメールを受信した所定のユーザーに対する課金処理を行う課金手段とを有するようにしたものである。
【００１４】また、本発明のうち請求項６に記載の発明は、所定の商品を示す商品情報を記憶する商品情報記憶手段と、上記商品情報記憶手段に記憶された商品情報の示す所定の商品の購入を、所定のユーザーにおごる内容を示すおごりメールを、コンピュータネットワークを介して上記所定のユーザーに配信するおごりメール配信手段と、上記おごりメール配信手段によって上記おごりメールを配信したユーザーに対する課金処理を行う課金手段とを有するようにしたものである。
【００１５】また、本発明のうち請求項７に記載の発明は、所定の商品を示す商品情報を該商品情報を保有するユーザー毎に記憶する保有商品情報記憶手段と、コンピュータネットワークを介して接続された端末から送信され、上記保有商品情報記憶手段に記憶された所定の商品情報の示す商品を希望するユーザーからの商品希望情報を受信すると、該商品希望情報の示す商品の商品情報の属性を該商品希望情報のユーザーに変更する交換手段とを有するようにしたものである。
【００１６】また、本発明のうち請求項８に記載の発明は、コンピュータシステムにより所定のサイトの管理を行うサイト管理方法において、コンピュータネットワークを介して接続された端末から送信されたユーザーの複数の個人情報を記憶する第１の段階と、上記第１の段階で記憶された複数の個人情報のそれぞれの公開範囲が、閲覧を希望するユーザーの全員であるのか、または、閲覧を希望するユーザーのうち所定のユーザーであるのかを記憶する第２の段階と、上記第２の段階で公開範囲が閲覧を希望するユーザーのうち所定のユーザーと記憶された所定の個人情報の公開が、該個人情報のユーザーによって許可されたユーザーを管理する第３の段階と、コンピュータネットワークを介して接続された端末から送信され、上記第１の段階で記憶された所定のユーザーの所定の個人情報の閲覧を指定する閲覧指定情報を受信する第４の段階と、上記第４の段階で受信した閲覧指定情報の指定する所定のユーザーの所定の個人情報の公開範囲を、上記第２の段階で記憶された公開範囲に基づいて判断処理する第５の段階と、上記第５の段階の判断処理の結果、上記第４の段階で受信した閲覧指定情報の指定する所定のユーザーの所定の個人情報の公開範囲が、閲覧を希望するユーザーの全員である場合には、閲覧指定情報の指定する個人情報をコンピュータネットワークを介して公開する第１の公開処理を行ない、上記第４の段階で受信した閲覧指定情報の指定する所定のユーザーの所定の個人情報の公開範囲が、閲覧を希望するユーザーのうち所定のユーザーである場合には、上記第３の段階で公開が許可されたとして管理されているユーザーの閲覧指定情報のときに、閲覧指定情報の指定する個人情報をコンピュータネットワークを介して公開する第２の公開処理を行なう第６の段階とを有するようにしたものである。
【００１７】また、本発明のうち請求項９に記載の発明は、コンピュータシステムにより所定のサイトの管理を行うサイト管理方法において、コンピュータネットワークを介して接続された端末から送信された所定のメッセージを示すメッセージ情報と上記メッセージ情報の示すメッセージを公開する日時を示すスケジュール情報とを受け付ける第１の段階と、上記第１の段階で受け付けたスケジュール情報の示す日時に空きがあるか否かを判断する第２の段階と、上記第１の段階で受け付けたメッセージ情報の示すメッセージに所定の文言が含まれているか否かを判断する第３の段階と、上記第２の段階によってスケジュール情報の示す日時に空きがあると判断され、かつ、上記第３の段階によってメッセージ情報の示すメッセージに所定の文言が含まれていないと判断された場合に、上記スケジュール情報ならびにメッセージ情報を送信した端末宛に、コンピュータネットワークを介して受付の完了を示す内容のメールを配信する第４の段階と、上記第４の段階でメールが配信された後、上記スケジュール情報ならびにメッセージ情報を送信した端末に対する課金処理が完了したことを確認する第５の段階と、上記第５の段階でスケジュール情報ならびにメッセージ情報を送信した端末に対する課金処理の完了が確認されると、メッセージ情報の示すメッセージをスケジュール情報の示す日時に、所定のサイトの所定のページで公開する第６の段階とを有するようにしたものである。
【００１８】また、本発明のうち請求項１０に記載の発明は、コンピュータシステムにより所定のサイトの管理を行うサイト管理方法において、コンピュータネットワークを介して接続された端末から送信された所定の背景音を指定する背景音指定情報を受信する第１の段階と、上記第１の段階で受信した背景音指定情報が指定する背景音を、上記背景音指定情報を送信した端末によって聴取可能なように再生する第２の段階と、上記第２の段階で上記背景音指定情報を送信した端末において背景音指定情報が指定する背景音が再生されているときに該端末から入力された音を、背景音指定情報が指定する背景音と重ね合わせる処理を行なって、該端末から入力された音と背景音とが重ね合わされた音声情報を生成する第３の段階と、上記第３の段階で生成された音声情報を記憶する第４の段階と、コンピュータネットワークを介して接続された端末から送信され、上記第４の段階で記憶された音声情報の公開を指示する公開指定情報に従って、音声情報をコンピュータネットワークを介して公開する第５の段階とを有するようにしたものである。
【００１９】また、本発明のうち請求項１１に記載の発明は、コンピュータシステムにより所定のサイトの管理を行うサイト管理方法において、コンピュータネットワークを介してメールを配信する宛先たるメールアドレスを記憶する第１の段階と、上記第１の段階で記憶されたメールアドレスの履歴を示す履歴情報を記憶する第２の段階と、コンピュータネットワークを介して接続された端末から配信されたメールの本文を示すメール本文情報を記憶する第３の段階と、上記第３の段階でメール本文情報が記憶されると、上記第２の段階で記憶された履歴に従って、上記第１の段階で記憶されたメールアドレスを選別し、複数のメールアドレスを配信先メールアドレスとして決定する第４の段階と、上記第４の段階で決定された配信先メールアドレスに、上記第３の段階で記憶されたメール本文情報が示す本文のメールを配信する第５の段階とを有するようにしたものである。
【００２０】また、本発明のうち請求項１２に記載の発明は、コンピュータシステムにより所定のサイトの管理を行うサイト管理方法において、所定の商品を示す商品情報を記憶する第１の段階と、上記第１の段階で記憶された商品情報の示す所定の商品の購入を、所定のユーザーにねだる内容を示すおねだりメールを、コンピュータネットワークを介して上記所定のユーザーに配信する第２の段階と、上記第２の段階で配信されたおねだりメールを受信した所定のユーザーから、同意を示す内容の同意メールが受信されたことを確認すると、上記おねだりメールを受信した所定のユーザーに対する課金処理を行う第３の段階とを有するようにしたものである。
【００２１】また、本発明のうち請求項１３に記載の発明は、コンピュータシステムにより所定のサイトの管理を行うサイト管理方法において、所定の商品を示す商品情報を記憶する第１の段階と、上記第１の段階で記憶された商品情報の示す所定の商品の購入を、所定のユーザーにおごる内容を示すおごりメールを、コンピュータネットワークを介して上記所定のユーザーによって配信する第２の段階と、上記第２の段階で上記おごりメールを配信したユーザーに対する課金処理行う第３の段階とを有するようにしたものである。
【００２２】また、本発明のうち請求項１４に記載の発明は、コンピュータシステムにより所定のサイトの管理を行うサイト管理方法において、所定の商品を示す商品情報を該商品情報を保有するユーザー毎に記憶する第１の段階と、コンピュータネットワークを介して接続された端末から送信され、上記第１の段階で記憶された所定の商品情報の示す商品を希望するユーザーからの商品希望情報を受信すると、該商品希望情報の示す商品の商品情報の属性を該商品希望情報のユーザーに変更する第２の段階とを有するようにしたものである。
【００２３】また、本発明のうち請求項１５に記載の発明は、コンピュータシステムにより所定のサイトの管理を行うサイト管理方法において、ネットワークを介して接続されたユーザー側端末と上記ユーザー側端末のユーザーに所定のサイトを介して所定のサービスを提供するサービス事業者側システムとを有し、上記所定のサイトにネットワークを介して上記ユーザー側端末によりアクセスするユーザーに、上記所定のサイトのユーザーそれぞれのプロフィールを、閲覧を希望するユーザー毎に段階的に異なる内容で公開する第１のサービス、上記所定のサイトのトップページにおいて、ユーザーの個人的なメッセージを公開する第２のサービス、ユーザーが予め実際の生声で楽曲のサビ部分のみを歌唱しておくと、その後、上記所定のサイトのユーザーが聴取可能なようにその歌声を楽曲とともに公開する第３のサービス、ユーザーの音声のメッセージにＢＧＭを付加して配信する第４のサービス、ユーザーが作成した本文を不特定の複数のユーザーにランダムにメールで配信する第５のサービス、ユーザー自身が欲しいデジタルコンテンツのダウンロードを他のユーザーにねだったり、あるいは、自分で指定したユーザーにデジタルコンテンツのダウンロードをおごったりする第６のサービス、ならびに、自分が保有しているデジタルコンテンツを他のユーザーと交換する第７のサービスの７つのサービスのうちの少なくともいずれか１つのサービスが、ネットワークを介して上記サービス事業者側システムにより上記ユーザーに提供されるように上記所定のサイトを管理するものであるようにしたものである。
【００２４】また、本発明のうち請求項１６に記載の発明は、請求項１乃至請求項７のいずれか１項に記載のサイト管理者側システムとしてコンピュータを機能させるためのプログラムとしたものである。
【００２５】また、本発明のうち請求項１７に記載の発明は、請求項８乃至請求項１５のいずれか１項に記載のサイト管理方法をコンピュータに実行させるためのプログラムとしたものである。
【００２６】従って、本発明のうち請求項１乃至請求項１７に記載の発明によれば、コミュニティサイト内においてコミュニケーションの活性化を図ることができる。
【発明を実施するための形態】
【００２７】以下、添付の図面を参照しながら、本発明によるサイト管理者側システムならびにサイト管理方法およびそのプログラムの実施の形態の一例を詳細に説明する。
【００２８】まず、はじめに、本発明によるサイト管理者側システムの理解を容易にするために、図１を参照しながら、その概要について説明する。
【００２９】本発明によるサイト管理者側システム１０は、コミュニティサイトを介してデジタルコンテンツの配信などの各種サービスを行う事業者などのサービス事業者側システム１２と、課金処理などを行う基幹サービス事業者などのインフラ／課金事業者側システム１４とが、インターネットなどのネットワーク１６を介して接続されている。
【００３０】そして、このサイト管理者側システム１０には、ネットワーク１６を介して、コミュニティサイトの閲覧などが可能なユーザーのユーザー側端末１８が接続可能なものである。
【００３１】ここで、サービス事業者側システム１２とインフラ／課金事業者側システム１４とユーザー側端末１８とは、それぞれネットワーク１６を介して通信可能なコンピュータシステムにより構築されており、ネットワーク１６を介して各種のデジタルデータの送受信が可能となされている。
【００３２】そして、ユーザー側端末１８は、当然のことながら、ネットワーク１６に接続してサービス事業者側システム１２が配信するデジタルコンテンツを閲覧することが可能であるとともに、ネットワーク１６を介してサービス事業者側システム１２が配信するデジタルコンテンツをダウンロードすることが可能であり、ネットワーク１６を介してウェブサイトにデジタルコンテンツをアップロードすることが可能なものとする。
【００３３】こうしたユーザー側端末１８としては、例えば、携帯電話、パーソナルコンピュータ、ＰＤＡのような小型情報携帯端末、家庭用ゲーム端末あるいはその他家電タイプの端末などを用いることができる。
【００３４】なお、ユーザー側端末１８は、図１においては説明の都合上１台しか図示されていないが、後述するコミュニティサイト１０００の利用者の総数などに応じて、任意の数のユーザー側端末１８がサイト管理者側システム１０に接続可能なものである。
【００３５】また、サービス事業者側システム１２は、各種デジタルデータをそれぞれ記憶する複数のデータベースからなるデータベースサーバ１２−１と、電子メールの送受信を行うメールサーバー１２−２と、電話回線接続に対応するＣＴＩサーバーなどの音声サーバー１２−３と、ウェブメールの管理などを行なうウェブメールサーバ１２−４と、ウェブページの管理などを行うウェブサーバー１２−５とを有して構成されている。なお、音声サーバー１２−３には楽曲再生用の音声ボードと音声録音用の音声ボードとが備えられている。
【００３６】一方、インフラ／課金事業者側システム１４は、電子メールの送受信を行うメールサーバー１４−１と、課金処理などを行う課金サーバー１４−２とを有して構成されている。
【００３７】これらデータベースサーバ１２−１、メールサーバー１２−２、音声サーバー１２−３、ウェブメールサーバー１２−４、ウェブサーバー１２−５、メールサーバー１４−１ならびに課金サーバー１４−２はいずれも、他のサーバーやユーザー側端末１８とネットワーク１６を介して各種デジタルデータの送信ならびに受信を行なう通信手段と、通信手段によって送信ならびに受信された各種デジタルデータを記憶する記憶手段と、記憶手段にデジタルデータを記憶させる処理など全体の制御を行なう制御手段とを有して構成されている。
【００３８】以上の構成において、本発明によるサイト管理者側システム１０の動作について説明する。
【００３９】ここで、この実施の形態においては、サイト管理者側システム１０によって、図２に示すコミュニティサイトの運営が実現されるものとする。図２には、コミュニティサイト１０００のデジタルコンテンツの全体像を模式的に示した説明図が示されている。ユーザーはユーザー側端末１８を用いネットワーク１６を介してこのコミュニティサイト１０００にアクセスすることによって、サイト管理者側システム１０により提供されるプロフィールサービス１００２、電光掲示板サービス１００４、カラオケハウスサービス１００６、ボイスメールサービス１００８、ランダムメールサービス１０１０ならびにショップサービス１０１２を利用可能なものである。
【００４０】なお、この実施の形態においては、本発明の理解を容易にするために、ユーザー側端末１８として携帯電話を用いた場合を例にして説明する。
【００４１】また、上記したサイト管理者側システム１０により提供される各種サービス（図２参照）を利用可能なユーザーについては、ユーザー側端末１８としての携帯電話とサイト管理者側システム１０との間で、ネットワーク１６を介して各種デジタルデータや電子メールの送受信などを行うために必要な各種処理が既になされているものとする。
【００４２】即ち、ユーザーは予め、サイト管理者側システム１０により提供される各種サービスを利用可能な、サイト管理者側システム１０のデジタルコンテンツの配信サービスに加入する。そして、ユーザーはユーザー側端末１８たる携帯電話によってコミュニティサイト１０００にアクセスして所定の入力作業を行って入会し、その退会処理を行うまでの間は、所定の個別識別番号（ＩＤ）を有する会員として認証された状態でサイト管理者側システム１０により提供される各種サービスを利用可能なものである。
【００４３】以下、サイト管理者側システム１０により提供される（１）プロフィールサービス１００２、（２）電光掲示板サービス１００４、（３）カラオケハウスサービス１００６、（４）ボイスメールサービス１００８、（５）ランダムメールサービス１０１０、（６）ショップサービス１０１２を順次説明することとする。
【００４４】なお、ユーザー側端末１８とサイト管理者側システム１０との間のデジタルコンテンツの配信サービス、即ち、ユーザー側端末１８からサイト管理者側システム１０へのデジタルコンテンツの配信の要求に応じて、サイト管理者側システム１０からユーザー側端末１８にデジタルコンテンツをダウンロードして、ダウンロードしたデジタルコンテンツをユーザー側端末１８に保存する処理に関しては、従来より公知の技術を用いることができるので、その詳細な構成ならびに作用の説明は省略する。
【００４５】（１）プロフィールサービス１００２
図３乃至図１３を参照しながら、コミュニティサイト１０００（図２参照）を介して、サイト管理者側システム１０により提供されるプロフィールサービス１００２について説明する。
【００４６】このプロフィールサービス１００２は、ユーザーによって予め登録されたコミュニティサイト１０００において使用するユーザーそれぞれのプロフィールを、閲覧を希望するユーザー全員に一様に公開するのではなく、閲覧を希望するユーザー毎に段階的に異なる内容で公開するものである。
【００４７】なお、図９、図１０ならびに図１３には、プロフィールサービス１００２において、ユーザー側端末１８たる携帯電話の表示部に表示される画面の一例を示す説明図が示されている。
【００４８】（１−１）プロフィールサービスの利用登録手順
図３を参照しながら、プロフィールサービスの利用登録手順を説明すると、まず、既に会員としての地位を有し個別識別番号（ＩＤ）を有しているユーザーのユーザー側端末１８たる携帯電話とサイト管理者側システム１０のデータベースサーバ１２−１とを、ネットワーク１６を介して接続し（図３における矢印（Ａ１）参照）、携帯電話の表示部にプロフィールサービスの利用登録画面の表紙を表示し、プロフィールサービスの利用登録の確認を行う。
【００４９】そして、ユーザーが利用登録に同意しない場合には、プロフィールサービスの利用登録を中止し、携帯電話の表示部にはプロフィールサービスの利用登録不可能の案内画面１０１を表示する（図３における矢印（Ａ２）参照）。
【００５０】一方、ユーザーが利用登録に同意する場合には、利用登録に同意したユーザーの個別識別番号（ＩＤ）と利用同意の情報とをデータベースサーバ１２−１の利用者管理データベース１２ａに記録する（図３における矢印（Ａ３）参照）。ここで、利用者管理データベース１２ａは、所定のサービスを利用するユーザーの個別識別番号（ＩＤ）とその利用同意を示す情報とを記録して、サイト管理者側システム１０により提供される各種サービスを利用するユーザーに関する状況の管理を行うためのデータベースである。
【００５１】続いて、利用登録に同意したユーザーのユーザー側端末１８たる携帯電話の表示部に、電子メールの送信フォーム画面１０２を自動的に起動して表示する（図３における矢印（Ａ４）参照）。ここで表示される電子メールの送信フォーム画面１０２においては、既にサイト管理者側システム１０宛の電子メールアドレスが指定されており、ユーザーは送信を選択するだけでよい。
【００５２】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための利用同意確認電子メールを、インフラ／課金事業者側システム１４のメールサーバ１４−１に送信する（図３における矢印（Ａ５）参照）。この利用同意確認電子メールは、メールサーバー１４−１によってユーザー側端末１８たる携帯電話に送信される（図３における矢印（Ａ６）参照）。
【００５３】（１−２）テキスト系のデータからなる個人情報の登録手順
上記（１−１）に示したプロフィールサービスの利用登録手順に続いて、利用同意確認電子メールにより配信された指定ＵＲＬに、ユーザーが携帯電話をネットワーク１６を介して接続すると（図４における矢印（Ａ７）参照）、携帯電話の表示部にプロフィールサービスの利用登録完了画面１０３を表示し、個人情報の登録開始を行う。
【００５４】この個人情報の登録開始に際して、まず、サイト管理者側システム１０のデータベースサーバ１２−１は、利用者管理データベース１２ａに記録された利用者の個別識別番号（ＩＤ）を取得する。そして、取得した利用者の個別識別番号（ＩＤ）を、データベースサーバ１２−１の個人情報管理データベース１２ｂに記録する（レコード追加／登録する）。
【００５５】ここで、個人情報管理データベース１２ｂは、個人情報を記録して、プロフィールサービスを利用するユーザーの個別識別番号（ＩＤ）毎に１レコードの管理を行うためのデータベースである。従って、データベースサーバ１２−１により個人情報管理データベース１２ｂにレコード追加／登録がなされると、プロフィールサービスの利用登録が完了したユーザーに対応させて、そのユーザーの個人情報を記録するエリアが個人情報管理データベース１２ｂに確保されるものである。
【００５６】次に、データベースサーバ１２−１は、携帯電話の表示部の画面を、利用登録完了画面１０３から個人情報入力画面１０４へ切り換える（図４における矢印（Ａ８）参照）。そこで、携帯電話の表示部に表示された個人情報入力画面１０４を参照しながら、ユーザーがテキスト系のデータからなる個人情報の入力を行うと、テキスト系のデータからなる個人情報が、データベースサーバ１２−１によって個人情報管理データベース１２ｂに記録される。
【００５７】図９には、テキスト系のデータの個人情報を登録する処理のときに、ユーザー側端末１８たる携帯電話の表示部に表示される画面、即ち、個人情報入力画面の一例を示す説明図が示されている。この図に示す個人情報入力画面は、個人情報入力画面１０４ａ→個人情報入力画面１０４ｂ→個人情報入力画面１０４ｃと遷移する。そして、個人情報入力画面１０４ａ，１０４ｂ，１０４ｃにはそれぞれ、テキスト系のデータからなる個人情報を構成する各種の管理項目に対応するテキスト入力用エリアが設けられている。
【００５８】従って、ユーザーが個人情報入力画面１０４ａ，１０４ｂ，１０４ｃの各テキスト入力用エリアに文字や数字などのテキストを入力すると、図１１に示すようなテキスト系のデータからなる個人情報が個人情報管理データベース１２ｂに記録される。
【００５９】ここで、個人情報管理データベース１２ｂに記録されるテキスト系のデータからなる個人情報を構成する各種の管理項目データとしては、例えば、個別識別番号（ＩＤ）、ハンドルネーム、性別、生年月日、年齢、星座、血液型、性格、仕事・職業、所在地、体型、ライフスタイル、好きなもの、嫌いなもの、タバコ、お酒、好きなアーティスト、趣味、自己紹介、ＰＲ用メッセージなどがある。また、個人情報入力画面１０４ｂにおいて選択されたアバターに関する情報も、個人情報管理データベース１２ｂに記録される。
【００６０】（１−３）音系のデータからなる個人情報の登録手順
データベースサーバ１２−１により、テキスト系のデータからなる個人情報を登録する処理が終了すると、音系のデータからなる個人情報を登録する処理が行われる（図４における矢印（Ａ９）参照）。
【００６１】音系のデータからなる個人情報の登録に際して、まず、サイト管理者側システム１０のデータベースサーバ１２−１は、携帯電話の表示部にユーザーの電話番号を取得するための画面１０５を表示する（図５における矢印（Ａ１０）参照）。ここで、画面１０５の所定のエリアをユーザーが選択すると、音系のデータからなる個人情報の登録準備をするための電話番号を音声サーバー１２−３が選択決定して、携帯電話の表示部に選択決定された電話番号を通知する画面１０６を表示する（図５における矢印（Ａ１１）参照）。
【００６２】この後、音声サーバー１２−３は、ユーザーのユーザー側端末１８たる携帯電話とサイト管理者側システム１０のデータベースサーバ１２−１とのネットワーク１６を介した接続を終了させ（図５における矢印（Ａ１２）参照）、画面１０６に表示された音系のデータからなる個人情報の登録準備するための電話番号で携帯電話から自動的に電話回線接続を行う（図５における矢印（Ａ１３）参照）。
【００６３】そして、ユーザー側端末１８たる携帯電話からの着信を確認した音声サーバー１２−３は、着信番号の取得処理を行い（図５における矢印（Ａ１４）参照）、ユーザー側端末１８からのトーン発信を待ち（図５における矢印（Ａ１５）参照）、ユーザー側端末１８へ電話回線接続を行う（図５における矢印（Ａ１６）参照）。この後、ユーザー側端末１８からのトーン発信により電話回線接続が行われると（図５における矢印（Ａ１７）参照）、音声サーバー１２−３はトーン取得処理を行う。（図５における矢印（Ａ１８）参照）。
【００６４】こうして、トーン取得処理により音声サーバー１２−３がユーザーのユーザー側端末１８から着信番号とトーンとを取得すると、データベースサーバ１２−１の利用者管理データベース１２ａから取得した着信番号ならびにトーンに一致するレコードを検索し、さらに機能ＩＤを取得する（図５における矢印（Ａ１９）参照）。そして、取得した着信番号ならびにトーンに一致するレコードに、画面１０６に表示された音系のデータからなる個人情報を登録するための電話番号を示すデータを追加して、利用者管理データベース１２ａの記録内容を更新する（図５における矢印（Ａ２０）参照）。
【００６５】それから、音声サーバー１２−３は電話回線を通じて携帯電話に登録完了を伝える音声のガイダンスを流し（図５における矢印（Ａ２１）参照）、電話回線接続を終了させる（図５における矢印（Ａ２２）参照）。そして、データベースサーバ１２−１によりネットワーク１６を介して、ユーザーのユーザー側端末１８たる携帯電話とサイト管理者側システム１０のデータベースサーバ１２−１とを接続させ（図５における矢印（Ａ２３）参照）、携帯電話の表示部に、利用登録完了画面１０７を表示する。
【００６６】この利用登録完了画面１０７から、携帯電話の表示部は、音系のデータからなる個人情報を登録するために選択決定された電話番号を通知する画面１０８に切り換わる（図６における矢印（Ａ２４）参照）。
【００６７】この後、音声サーバー１２−３は、ユーザーのユーザー側端末１８たる携帯電話とサイト管理者側システム１０のデータベースサーバ１２−１とのネットワーク１６を介した接続を終了させ（図６における矢印（Ａ２５）参照）、画面１０８に表示された音系のデータからなる個人情報を登録するための電話番号で携帯電話から自動的に電話回線接続を行う（図６における矢印（Ａ２６）参照）。
【００６８】そして、ユーザー側端末１８たる携帯電話からの着信を確認した音声サーバー１２−３は、着信番号の取得処理を行う（図６における矢印（Ａ２７）参照）。それから、データベースサーバ１２−１の利用者管理データベース１２ａから、取得した着信番号に一致するレコードを検索し（図６における矢印（Ａ２８）参照）、さらに機能ＩＤを取得する（図６における矢印（Ａ２９）参照）。この後、音声サーバー１２−３は予め音声管理データベース１２ｃに記録されていたデータに基づいて、ユーザーに録音開始を伝えるガイダンスを音声で流す（図６における矢印（Ａ３０）参照）。
【００６９】この録音開始を伝える音声のガイダンスを聴取したユーザーは、ユーザー側端末１８たる携帯電話から音声を入力する（図６における矢印（Ａ３１）参照）。そして、入力されたユーザーの音声は、音声サーバー１２−３の音声録音用の音声ボードによって所定の形式の録音データに変換されて、音系のデータからなる個人情報として音声管理データベース１２ｃに記録される。
【００７０】ここで、音声管理データベース１２ｃは、音系のデータからなる個人情報や、各種ガイダンスの音声や楽曲などを記録して、音・音声・音楽など各種音系のデータの管理を行うためのデータベースである。
【００７１】この後、音声サーバー１２−３は携帯電話からの「♯」のプッシュ入力を確認すると、予め音声管理データベース１２ｃに記録されていたデータに基づいて、ユーザーに録音終了を伝えるガイダンスを音声で流す（図７における矢印（Ａ３２）参照）。一方、音声サーバー１２−３は携帯電話からの「♯」以外のプッシュ入力を確認すると、予め音声管理データベース１２ｃに記録されていたデータに基づいて、ユーザーに誤ったキー操作を伝えるアナウンスを音声で流す（図７における矢印（Ａ３３）参照）。
【００７２】ここで、音声サーバー１２−３により録音終了のガイダンスがなされた後、携帯電話からの「２」のプッシュ入力を確認した場合には、録音した音声を再生し（図７における矢印（Ａ３４）参照）、その後再び録音終了のガイダンスを行なう（図７における矢印（Ａ３５）参照）。また、ここで、音声サーバー１２−３により録音終了のガイダンスがなされた後、携帯電話からの「１」のプッシュ入力を確認した場合には、録音のやり直しのため再び録音開始のガイダンスを行なう（図７における矢印（Ａ３６）参照）。
【００７３】そして、音声サーバー１２−３により録音終了のガイダンスがなされた後、携帯電話からの「♯」のプッシュ入力を確認すると、予め音声管理データベース１２ｃに記録されていたデータに基づいて、ユーザーに録音終了を伝えるガイダンスを音声で流し（図７における矢印（Ａ３７）参照）、電話回線接続を終了させる（図７における矢印（Ａ３８）参照）。
【００７４】電話回線接続終了の後、ユーザーのユーザー側端末１８たる携帯電話とサイト管理者側システム１０のデータベースサーバ１２−１とをネットワーク１６を介して接続させ（図７における矢印（Ａ３９）参照）、データベースサーバー１２−１により、携帯電話の表示部には、録音完了画面１０９が表示される。
【００７５】なお、録音されたユーザーの音声、即ち、音系のデータからなる個人情報は音声管理データベース１２ｃに記録されているが、この音系のデータからなる個人情報に関しては、音声公開選択画面１１０において公開するか否かの選択がユーザーにより可能となされている（図７における矢印（Ａ４０）参照）。
【００７６】具体的には、ユーザーが音声公開選択画面１１０の「みんなに公開」のエリアを選択すると、音系のデータからなる個人情報の閲覧を希望するユーザーの全員に公開するためのフラグが個人情報管理データベース１２ｂに登録され、音系のデータからなる個人情報の公開範囲は、閲覧を希望するユーザーの全員となる。
【００７７】一方、ユーザーが音声公開選択画面１１０の「許可した人だけ」のエリアを選択すると、音系のデータからなる個人情報の閲覧を希望するユーザーのうち所定のユーザーに公開するためのフラグが個人情報管理データベース１２ｂに登録され、音系のデータからなる個人情報の公開範囲は、閲覧を希望するユーザーのうち所定のユーザーとなる。
【００７８】（１−４）画像系のデータからなる個人情報の登録手順
音系のデータからなる個人情報を登録する処理が終了すると、画像系のデータからなる個人情報の登録に関して、ユーザーの自動エントリー処理が行われる（図８における矢印（Ａ４１）参照）。
【００７９】そして、ユーザー側端末１８たる携帯電話の表示部に、電子メールの送信フォーム画面１１１を自動的に起動して表示する（図８における矢印（Ａ４２）参照）。ここで表示される電子メールの送信フォーム画面１１１においては、既にサイト管理者側システム１０宛の電子メールアドレスが指定されており、ユーザーは送信を選択するだけでよい。
【００８０】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための画像登録用電子メールを、インフラ／課金事業者側システム１４のメールサーバ１４−１に送信する（図８における矢印（Ａ４３）参照）。この画像登録用電子メールは、メールサーバー１４−１によってユーザー側端末１８たる携帯電話に送信される（図８における矢印（Ａ４４）参照）。
【００８１】ユーザーは、画像登録用電子メールにより配信された指定ＵＲＬ宛に、カメラ付き携帯電話などでユーザー自身を撮影した画像を送信する（図８における矢印（Ａ４５）参照）。すると、データベースサーバ１２−１は、送信された画像のデータを、画像系のデータからなる個人情報として個人情報管理データベース１２ｂに記録し、携帯電話の表示部に画像登録完了画面１１２を表示する（図８における矢印（Ａ４６）参照）。
【００８２】なお、登録されたユーザー自身を示す画像、即ち、画像系のデータからなる個人情報は個人情報管理データベース１２ｂに記録されているが、この画像系のデータからなる個人情報に関しては、音系のデータからなる個人情報と同様に、画像公開選択画面１１３において公開するか否かの選択がユーザーにより可能となされている（図８における矢印（Ａ４７）参照）。
【００８３】具体的には、ユーザーが画像公開選択画面１１３の「みんなに公開」のエリアを選択すると、画像系のデータからなる個人情報の閲覧を希望するユーザーの全員に公開するためのフラグが個人情報管理データベース１２ｂに登録され、画像系のデータからなる個人情報の公開範囲は、閲覧を希望するユーザーの全員となる。
【００８４】一方、ユーザーが画像公開選択画面１１３の「許可した人だけ」のエリアを選択すると、画像系のデータからなる個人情報の閲覧を希望するユーザーのうち所定のユーザーに公開するためのフラグが個人情報管理データベース１２ｂに登録され、画像系のデータからなる個人情報の公開範囲は、閲覧を希望するユーザーのうち所定のユーザーとなる。
【００８５】（１−５）個人情報の公開手順
上記（１−２）に記載したようにしてテキスト系のデータからなる個人情報が記録され、上記（１−３）に記載したようにして音系のデータからなる個人情報が記録され、上記（１−４）に記載したようにして画像系のデータからなる個人情報が記録されると、図１１に示すように、サイト管理者側システム１０には所定のユーザー（例えば、ユーザーＡ）の複数の個人情報が記憶されることになる。
【００８６】そして、個人情報管理データベース１２ｂによって、音系のデータからなる個人情報ならびに画像系のデータからなる個人情報の公開範囲が管理されている。例えば、図１１に示す個人情報のユーザーＡによって、音系のデータからなる個人情報ならびに画像系のデータからなる個人情報の公開範囲は、閲覧を希望するユーザーのうち所定のユーザーとなされている。なお、テキスト系のデータからなる個人情報の公開範囲は予め、閲覧を希望するユーザーの全員となされている。
【００８７】ここで、サイト管理者側システム１０により、コミュニティサイト１０００のユーザーＡは、コミュニティサイト１０００の他のユーザー、例えばユーザーＢ、ユーザーＣならびにユーザーＤとの間で、コミュニティサイト１０００内において電子メールやウェブメールを介して暗号化された公開鍵の授受が可能となされている（図１２参照）。
【００８８】例えば、ユーザーＡがユーザーＢに対して、ユーザーＡの音系のデータからなる個人情報の公開をユーザーＢに許可する公開鍵となる電子メールを、コミュニティサイト１０００内において送信する。そして、この電子メールを受信したユーザーＢから公開鍵の受信確認を示す電子メールがユーザーＡに対して返信される。こうしたユーザーＡとユーザーＢとの間の公開鍵の授受は、サービス事業者側システム１２により管理され、公開範囲が閲覧を希望するユーザーのうち所定のユーザーとなされているユーザーＡの音系のデータからなる個人情報の公開に関して、ユーザーＢはユーザーＡによって許可されたユーザーとして管理される。
【００８９】また、ユーザーＡがユーザーＣに対して、ユーザーＡの音系のデータからなる個人情報ならびに画像系のデータからなる個人情報の公開をユーザーＣに許可する公開鍵となる電子メールを、コミュニティサイト１０００内において送信する。そして、この電子メールを受信したユーザーＣから公開鍵の受信確認を示す電子メールがユーザーＡに対して返信される。こうしたユーザーＡとユーザーＣとの間の公開鍵の授受は、サービス事業者側システム１２により管理され、公開範囲が閲覧を希望するユーザーのうち所定のユーザーとなされているユーザーＡの音系のデータからなる個人情報ならびに画像系のデータからなる個人情報の公開に関して、ユーザーＣはユーザーＡによって許可されたユーザーとして管理される。
【００９０】そして、ユーザーＡとユーザーＤとの間では、公開鍵の授受がなされていない。こうした場合に、サービス事業者側システム１２によってユーザーＤに対するユーザーＡの個人情報の公開が制限され、ユーザーＡとの間で公開鍵が授受されていないユーザーＤには、ユーザーＡの個人情報のうちのテキスト系のデータからなる個人情報だけが公開可能であって（図１３に示す画面１１４参照）、ユーザーＡの音系のデータからなる個人情報ならびに画像系のデータからなる個人情報を公開することはできない（図１３に示す画面１１５ならびに画面１１６参照）。
【００９１】また、ユーザＢの場合には、ユーザーＡの個人情報のうちのテキスト系のデータからなる個人情報と音系のデータからなる個人情報とは公開可能であって（図１３に示す画面１１４ならびに画面１１７参照）、ユーザーＡの画像系のデータからなる個人情報を公開することはできない（図１３に示す画面１１６参照）。
【００９２】そして、ユーザＣの場合には、ユーザーＡの個人情報の全て、即ち、ユーザーＡのテキスト系のデータからなる個人情報と音系のデータからなる個人情報と画像系のデータからなる個人情報が公開可能である（図１３に示す画面１１８参照）。
【００９３】こうしてプロフィールサービス１００２によれば、コミュニティサイト１０００を利用するユーザーは、自身と同じくこのコミュニティサイト１０００を利用する他のユーザーのプロフィールを段階的に閲覧することができるので、公開鍵の授受が進むようにコミュニティサイト１００内でユーザー同士のコミュニケーションが活性化される。
【００９４】（２）電光掲示板サービス１００４
図１４乃至図２１を参照しながら、コミュニティサイト１０００（図２参照）を介して、サイト管理者側システム１０により提供される電光掲示板サービス１００４について説明する。
【００９５】この電光掲示板サービス１００４は、あたかも人通りの多い街頭の大型ビジョンで個人的なメッセージを公開するように、コミュニティサイト１０００にアクセスするユーザーの多くが閲覧するトップページにおいて、ユーザーの個人的なメッセージを公開するものである。
【００９６】なお、図２０ならびに図２１には、電光掲示板サービス１００４において、ユーザー側端末１８たる携帯電話の表示部に表示される画面の一例を示す説明図が示されている。
【００９７】（２−１）電光掲示板サービスの利用登録手順
図１４を参照しながら、電光掲示板サービスの利用登録手順を説明すると、まず、既に会員としての地位を有し個別識別番号（ＩＤ）を有しているユーザーのユーザー側端末１８たる携帯電話とサイト管理者側システム１０のデータベースサーバ１２−１とを、ネットワーク１６を介して接続し（図１４における矢印（Ｂ１）参照）、携帯電話の表示部に電光掲示板サービスの表紙画面２０１を表示する。
【００９８】ここで、電光掲示板サービスの表紙画面２０１のサービス説明のエリアをユーザーが選択すると、携帯電話の表示部の画面が電光掲示板サービスの表紙画面２０１からサービス説明の画面２０２に切り換わる（図１４における矢印（Ｂ２）参照）。また、電光掲示板サービスの表紙画面２０１のサービス予約のエリアをユーザーが選択すると、携帯電話の表示部の画面が電光掲示板サービスの表紙画面２０１からサービス予約の説明の画面２０３に切り換わる（図１４における矢印（Ｂ３）参照）。なお、サービス説明の画面２０２ならびにサービス予約の説明の画面２０３から再び電光掲示板サービスの表紙画面２０１に切り換えることも可能である（図１４における矢印（Ｂ４）（Ｂ５）参照）。
【００９９】そして、電光掲示板サービスの表紙画面２０１の利用規約のエリアをユーザーが選択した場合ならびにサービス予約の説明の画面２０３のサービス開始のエリアをユーザーが選択した場合には、携帯電話の表示部には利用規約に同意するか同意しないかの選択画面２０４が表示される（図１４における矢印（Ｂ６）（Ｂ７）参照）。
【０１００】そして、ユーザーが利用規約に同意しない場合には、電光掲示板サービスの利用登録を中止し、携帯電話の表示部には電光掲示板サービスの利用登録不可能の案内画面２０５を表示し（図１４における矢印（Ｂ８）参照）、その後、電光掲示板サービスの表紙画面２０１に戻る（図１４における矢印（Ｂ９）参照）。
【０１０１】一方、ユーザーが利用規約に同意する場合には、利用規約に同意したユーザーの個別識別番号（ＩＤ）と利用同意の情報とをデータベースサーバ１２−１の利用者管理データベース１２ａに記録する（図１４における矢印（Ｂ１０）参照）。
【０１０２】続いて、利用規約に同意したユーザーのユーザー側端末１８たる携帯電話の表示部に、電子メールの送信フォーム画面２０６を自動的に起動して表示する（図１４における矢印（Ｂ１１）参照）。ここで表示される電子メールの送信フォーム画面２０６においては、既にサイト管理者側システム１０宛の電子メールアドレスが指定されており、ユーザーは送信を選択するだけでよい。
【０１０３】そして、ユーザーの携帯電話によって電子メールの送信が選択されると、携帯電話からリターンメールがサービス事業者側システム１２のメールサーバ１２−２に送信される。このリターンメールを受信したメールサーバ１２−２は、指定ＵＲＬを配信するための利用同意確認電子メールを、インフラ／課金事業者側システム１４のメールサーバ１４−１に送信する（図１４における矢印（Ｂ１２）参照）。この利用同意確認電子メールは、メールサーバー１４−１によってユーザー側端末１８たる携帯電話に送信される（図１４における矢印（Ｂ１３）参照）。
【０１０４】（２−２）仮予約の手順
上記（２−１）に示した電光掲示板サービスの利用登録手順に続いて、利用同意確認電子メールにより配信された指定ＵＲＬに、ユーザーが携帯電話をネットワーク１６を介して接続すると（図１５における矢印（Ｂ１４）参照）、携帯電話の表示部に電光掲示板サービスの利用登録完了画面２０７が表示される。
【０１０５】そして、サイト管理者側システム１０のデータベースサーバ１２−１は、携帯電話の表示部の表示を利用登録完了画面２０７からスケジュール予約画面２０８に切り換える（図１５における矢印（Ｂ１５）参照）。
【０１０６】ここで、スケジュール予約画面２０８の所定のエリアに、ユーザーが特定の個人などに対して伝えたいメッセージの公開を希望する日付を西暦年月日で入力すると、データベースサーバ１２−１は、予約管理データベース１２ｄから対応する日付の予約状況を読み出して、携帯電話の表示部にユーザーが希望した日付の予約状況を示す予約状況画面２０９を表示する（図１５における矢印（Ｂ１６）参照）。なお、予約管理データベース１２ｄは、スケジュール情報やメッセージ情報を記録して、日付時間ごとに予約状況などの管理を行うためのデータベースである。
【０１０７】ユーザーが予約状況画面２０９の希望する日付の時間別予約状況を閲覧し、希望する時間を選択すると、データベースサーバ１２−１は、ユーザーのユーザー側端末１８たる携帯電話の表示部に、電子メールの送信フォーム画面２１０を自動的に起動して表示する（図１５における矢印（Ｂ１７）参照）。そして、ユーザーの携帯電話によって電子メールの送信が選択されると、携帯電話からリターンメールがサイト管理者側システム１０のメールサーバ１２−２送信される。
【０１０８】このリターンメールを受信したメールサーバ１２−２は、指定ＵＲＬを配信するためのメッセージ入力用電子メールを、インフラ／課金事業者側システム１４のメールサーバ１４−１に送信する（図１５における矢印（Ｂ１８）参照）。このメッセージ入力用電子メールは、メールサーバー１４−１によってユーザー側端末１８たる携帯電話に送信される（図１５における矢印（Ｂ１９）参照）。
【０１０９】そして、メッセージ入力用電子メールにより配信された指定ＵＲＬに、ユーザーが携帯電話をネットワーク１６を介して接続すると（図１５における矢印（Ｂ２０）参照）、携帯電話の表示部に電光掲示板サービスのメッセージ入力画面２１１が表示される。ユーザーはメッセージ入力画面２１１の所定のエリアにテキストでメッセージを入力し、所定のエリアを選択して入力内容を確定する（図１５における矢印（Ｂ２１）参照）。
【０１１０】すると、データベースサーバ１２−１は、ユーザーによって選択されたメッセージの公開を希望する日時を示すスケジュール情報と、メッセージ入力画面２１１で入力されたテキストのメッセージの内容を示すメッセージ情報とを、予約管理データベース１２ｄに記録する。そして、スケジュール情報の示す希望日時に空きがあるか否かを判断するマッチング処理を行なう（図１６における矢印（Ｂ２２）参照）。
【０１１１】このマッチング処理の結果、スケジュール情報の示す希望日時が既に仮予約済みであって、希望日時に空きがないと判断された場合には、データベースサーバ１２−１は、携帯電話の表示部に電光掲示板サービスの仮予約不可能の案内画面２１２を表示して（図１６における矢印（Ｂ２３）参照）、仮予約不可能処理を完了させる。そして、仮予約不可能の案内画面２１２をスケジュール予約画面２０８に戻す（図１６における矢印（Ｂ２４）参照）。
【０１１２】一方、マッチング処理の結果、スケジュール情報の示す希望日時には仮予約がなされておらず、希望日時に空きがあると判断された場合には、データベースサーバ１２−１は、携帯電話の表示部に電光掲示板サービスの仮予約完了の案内画面２１３を表示する（図１６における矢印（Ｂ２５）参照）。この仮予約完了の案内画面２１３の表示とともに、メールサーバ１２−２は、仮予約完了を通知するための仮予約完了電子メールを、インフラ／課金事業者側システム１４のメールサーバ１４−１に送信する（図１６における矢印（Ｂ２６）参照）。この仮予約完了電子メールは、メールサーバー１４−１によってユーザー側端末１８たる携帯電話に送信される（図１６における矢印（Ｂ２７）参照）。
【０１１３】なお、このマッチング処理の結果は、予約管理データベース１２ｄに記録された対応するスケジュール情報ならびにメッセージ情報に反映され、仮予約不可能の場合にはデータの削除などが行われ、仮予約完了の場合には仮予約完了を示すフラグの設定などがなされる。
【０１１４】（２−３）メッセージ情報の検閲手順
上記（２−２）に示した仮予約の手順に続いて、テータベースサーバ１２−１は、仮予約によって取得され予約管理データベース１２ｄに記録されたメッセージ情報の示すメッセージの内容を自動検閲する処理を行う（図１７における矢印（Ｂ２８）参照）。具体的には、データベースサーバ１２−１が保持するワードチェックプログラムの禁止ワード辞書を用いて、メッセージ情報の示すメッセージの内容たるテキストをワードチェックプログラムとマッチングさせる処理を行う。
【０１１５】こうしたデータベースサーバ１２−１による自動検閲処理の結果、メッセージ情報の示すメッセージの内容たるテキストに、禁止ワード辞書に対応する所定の文言が含まれていると判断された場合には（図１７における矢印（Ｂ２９）参照）、メールサーバ１２−２は、仮予約解除を通知するための仮予約解除電子メールを、メールサーバー１４−１を介してユーザー側端末１８たる携帯電話に送信する（図１７における矢印（Ｂ３０）（Ｂ３１）参照）。また、テータベースサーバ１２−１は、自動検閲処理の結果を予約管理データベース１２ｄに記録された対応するスケジュール情報ならびにメッセージ情報に反映し、データの削除などを行う（図１７における矢印（Ｂ２９）参照）。
【０１１６】一方、データベースサーバ１２−１による自動検閲処理の結果、メッセージ情報の示すメッセージの内容たるテキストに、禁止ワード辞書に対応する所定の文言が含まれていないと判断された場合には、メッセージ情報の示すメッセージの内容を作業者による有人検閲する（図１７における矢印（Ｂ３２）参照）。
【０１１７】こうした作業者による有人検閲の結果、メッセージ情報の示すメッセージの内容たるテキストに所定の文言が含まれているなどして、メッセージが公開不適格であると判断された場合には（図１８における矢印（Ｂ３３）参照）、メールサーバ１２−２によって、仮予約解除を通知するための仮予約解除電子メールを、メールサーバー１４−１を介してユーザー側端末１８たる携帯電話に送信する（図１８における矢印（Ｂ３４）（Ｂ３５）参照）。また、データベースサーバ１２−１によって、有人検閲の結果を予約管理データベース１２ｄに記録された対応するスケジュール情報ならびにメッセージ情報に反映し、データの削除などを行う（図１８における矢印（Ｂ３３）参照）。
【０１１８】一方、作業者による有人検閲の結果、メッセージ情報の示すメッセージの内容たるテキストに所定の文言が含まれておらず、メッセージが公開適格であると判断された場合には、メールサーバ１２−２によって、公開決定を通知するための公開決定電子メールを、メールサーバー１４−１を介してユーザー側端末１８たる携帯電話に送信する（図１８における矢印（Ｂ３６）（Ｂ３７）参照）。また、データベースサーバ１２−１によって、有人検閲の結果を予約管理データベース１２ｄに記録された対応するスケジュール情報ならびにメッセージ情報に反映し、公開決定を示すフラグの設定などを行う（図１８における矢印（Ｂ３８）参照）。
【０１１９】なお、メールサーバ１２−２によってユーザー側端末１８たる携帯電話に送信された公開決定電子メールは、既に予約管理データベース１２ｄに記録されたスケジュール情報の示す日時にメッセージ情報の示すメッセージを公開することを通知するとともに、データベースサーバ１２−１によって発行された本予約番号（図１８における矢印（Ｂ３９）参照）の通知や本申し込みならびに課金登録のための指定ＵＲＬの配信も兼ねている。
【０１２０】（２−４）公開の手順
上記（２−３）のメッセージ情報の検閲によって公開決定電子メールが送信されたユーザーは、公開決定電子メールにより配信された指定ＵＲＬに、ネットワーク１６を介して携帯電話を所定の期間内に接続する（図１９における矢印（Ｂ４０）参照）。すると、携帯電話の表示部には本予約画面２１４が表示され、ユーザーは予約内容の確認を行う。
【０１２１】それから、サイト管理者側システム１０のデータベースサーバ１２−１は、携帯電話の表示部に課金登録画面２１５を表示する（図１９における矢印（Ｂ４１）参照）。この課金登録画面２１５においてユーザーは課金処理のために必要なパスワードなどの各種情報の入力を行う。この際、データベースサーバ１２−１によって発行された本予約番号を誤るなどして入力した情報に間違いがある場合には、携帯電話の表示部には入力エラー画面２１６が表示され（図１９における矢印（Ｂ４２）参照）、その後、課金登録画面２１５に戻る（図１９における矢印（Ｂ４３）参照）。
【０１２２】そして、ユーザーにより課金登録画面２１５において入力された課金処理のための各種情報は、課金決済事業者側システム１４の課金処理などを行う課金サーバー１４−２に送信され（図１９における矢印（Ｂ４４）参照）、課金サーバー１４−２は課金管理データベース１４ａを用いて課金処理を行う。
【０１２３】この課金サーバー１４−２による課金管理データベース１４ａを用いた課金処理の結果は、課金サーバー１４−２からデータベースサーバ１２−１に送信される。そして、課金処理の結果が課金不可能であった場合には、データベースサーバ１２−１により、携帯電話の表示部には課金エラー画面２１７が表示され（図１９における矢印（Ｂ４５）参照）、その後、課金登録画面２１５に戻る（図１９における矢印（Ｂ４６）参照）。一方、課金処理の結果が課金可能で課金処理を終了した場合には、データベースサーバ１２−１により、携帯電話の表示部には課金登録完了画面２１８が表示される（図１９における矢印（Ｂ４７）参照）なお、公開決定電子メールが送信されたユーザーが、公開決定電子メールにより配信された指定ＵＲＬに、ネットワーク１６を介して携帯電話を所定の期間内に接続しなかった場合、即ち、当該所定の期間経過後に公開決定電子メールにより配信された指定ＵＲＬに接続した場合（図１９における矢印（Ｂ４８）参照）には、データベースサーバ１２−１により、携帯電話の表示部には期限切れ画面２１９が表示される。そして、データベースサーバ１２−１は、予約管理データベース１２ｄに記録された対応するスケジュール情報ならびにメッセージ情報の削除などを行う。つまり、本予約番号が発行されていても、ユーザーが所定の期間内に課金登録処理を行わないと、予約管理データベース１２ｄに記録された本予約日などは自動的に解除されるようになされている。
【０１２４】そして、スケジュール情報の示す日時になると、上記したようにして仮予約→本予約→課金処理終了となったユーザーのメッセージ、例えば、図２１に示す「すみれ、お誕生日おめでとう！慎吾より」は、データベースサーバ１２−１によって予約管理データベース１２ｄから読み出されて、コミュニティサイト１０００のトップページにおいて公開される。
【０１２５】こうして電光掲示板サービス１００４によれば、コミュニティサイト１０００のトップページに多くのユーザーにアピール可能な仕掛けが用意できるので、コミュニティサイト１０００に対する関心が高まって利用するユーザーが増加し、コミュニティサイト１００内でユーザー同士のコミュニケーションが活性化される。
【０１２６】（３）カラオケハウスサービス１００６
図２２乃至図３１を参照しながら、コミュニティサイト１０００（図２参照）を介して、サイト管理者側システム１０により提供されるカラオケハウスサービス１００６について説明する。
【０１２７】このカラオケハウスサービス１００６は、ユーザーが予め実際の生声で楽曲のサビ部分のみを歌唱しておくと、その後、コミュニティサイト１０００の多くのユーザーが聴取可能なようにその歌声を楽曲とともに公開するものである。
【０１２８】なお、図２８、図２９ならびに図３０には、カラオケハウスサービス１００６において、ユーザー側端末１８たる携帯電話の表示部に表示される画面の一例を示す説明図が示されている。
【０１２９】（３−１）カラオケハウスサービスの利用登録手順
図２２にはカラオケハウスサービスの利用登録手順を示す説明図が示されているが、このカラオケハウスサービス利用登録手順（図２２における矢印（Ｃ１）〜（Ｃ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１３０】そして、カラオケハウスサービスの利用登録をすると、ユーザーのユーザー側端末１８たる携帯電話には、メールサーバー１２−２からメールサーバー１４−１を介して利用同意確認電子メールが送信される（図２２における矢印（Ｃ１２）（Ｃ１３）参照）。
【０１３１】（３−２）歌唱準備の手順
上記（３−１）に示したカラオケハウスサービスの利用登録手順に続いて、ユーザーがカラオケで歌唱するための準備処理として、ユーザーの歌声である音系のデータをサイト管理者側システム１０が記録するための各種準備処理が行われる（図２３参照）。
【０１３２】ここで、この歌唱準備の手順（図２３における矢印（Ｃ１４）〜（Ｃ２７）参照）は、上記（１−３）音系のデータからなる個人情報の登録手順で記載した手順（図５における矢印（Ａ１０）〜（Ａ２３）参照）と対応する処理が行われるので、当該記載を援用し詳細な説明を省略することとする。
【０１３３】（３−３）楽曲の選択手順
上記（３−２）歌唱準備の手順によって携帯電話の表示部に利用登録完了画面３０９が表示されたユーザーはその後、ユーザー側端末１８たる携帯電話とサイト管理者側システム１０のデータベースサーバ１２−１とを、ネットワーク１６を介して接続し（図２４における矢印（Ｃ２８）参照）、携帯電話の表示部にサービス利用画面３１０を表示する。
【０１３４】ここで、データベースサーバ１２−１は、利用者管理データベース１２ａの記録に基づいて、個別識別番号（ＩＤ）などからカラオケハウスサービスの利用登録が完了したユーザーであるか否かの判断処理を行なう。この判断処理の結果、カラオケハウスサービスの利用登録が完了していないユーザーであると判断された場合には、携帯電話の表示部に利用未登録の案内画面３１１を表示し（図２４における矢印（Ｃ２９）参照）、その後、上記（３−１）カラオケハウスサービスの利用登録が可能なように画面を切り換える（図２４における矢印（Ｃ３０）参照）。
【０１３５】一方、カラオケハウスサービスの利用登録が完了しているユーザーであると判断された場合には、データベースサーバ１２−１は、楽曲管理データベース１２ｅに記憶されている種々の楽曲を示す楽曲データの一覧である楽曲名リストを、楽曲選択画面３１２においてユーザーに提示する（図２４における矢印（Ｃ３１）参照）。
【０１３６】そして、ユーザーは楽曲選択画面３１２において所定の楽曲を選択し（図２４における矢印（Ｃ３２）参照）、楽曲詳細画面３１３において楽曲の歌手名や歌詞などの詳細を確認した後、所定の楽曲を自分が歌唱するカラオケとして決定できる。こうしてユーザーによって楽曲が決定されると、データベースサーバ１２−１はユーザーの歌唱用のカラオケとなる楽曲を指定するデータを利用者管理データベース１２ａに記録して、利用者管理データベース１２ａの記録内容を更新する（図２４における矢印（Ｃ３３）参照）。
【０１３７】（３−４）カラオケの歌唱の登録手順
上記（３−３）楽曲の選択によってユーザーの歌唱用のカラオケとなる楽曲が決定すると、ユーザーの歌声を録音するカラオケの歌唱登録の処理のために、サイト管理者側システム１０のデータベースサーバ１２−１は、携帯電話の表示部に音系のデータからなるユーザーの歌声を登録するために選択決定された電話番号を通知する画面３１４を表示する（図２５における矢印（Ｃ３４）参照）。
【０１３８】この後、音声サーバー１２−３は、ユーザーのユーザー側端末１８たる携帯電話とサイト管理者側システム１０のデータベースサーバ１２−１とのネットワーク１６を介した接続を終了させ（図２５における矢印（Ｃ３５）参照）、画面３１４に表示された音系のデータからなるユーザーの歌声を登録するための電話番号で携帯電話から自動的に電話回線接続を行う（図２５における矢印（Ｃ３６）参照）。
【０１３９】そして、ユーザー側端末１８たる携帯電話からの着信を確認した音声サーバー１２−３は、着信番号の取得処理を行う（図２５における矢印（Ｃ２７）参照）。それから、データベースサーバ１２−１の利用者管理データベース１２ａから、取得した着信番号に一致するレコードを検索し（図２５における矢印（Ｃ３８）参照）、さらに機能ＩＤを取得する（図２５における矢印（Ｃ３９）参照）。
【０１４０】この後、音声サーバー１２−３は、上記（３−３）に記載したようにして楽曲選択時に楽曲管理データベース１２ｅから選択されたユーザーの歌唱用のカラオケとなる楽曲の楽曲データを楽曲管理データベース１２ｅから取得する（図２５における矢印（Ｃ４０）参照）。そして、音声サーバー１２−３は予め音声管理テータベース１２ｃに記録されていた楽曲データに基づいて、ユーザーに録音開始を伝えるガイダンスを音声で流す（図２５における矢印（Ｃ４１）参照）。
【０１４１】この録音開始を伝える音声のガイダンスを聴取したユーザーは、ユーザー側端末１８たる携帯電話で音声サーバー１２−３によって提供されたカラオケの楽曲を聴取しながら、この楽曲にあわせて歌唱してユーザーの歌声を入力する（図２５における矢印（Ｃ４２）参照）。
【０１４２】より詳細には、図３１に示すように、音声サーバー１２−３は利用者管理データベース１２ａの記録されているユーザーの歌唱用のカラオケとなる楽曲を指定するデータに基づいて、楽曲管理テータベース１２ｅから楽曲データを楽曲再生用の音声ボートへ呼び出す。
【０１４３】そして、ユーザーの歌声を登録するための電話番号で携帯電話から自動的に電話回線接続が行なわれ（図２５における矢印（Ｃ３６）参照）、音声録音のリクエストがなされると、音声サーバー１２−３は楽曲再生用の音声ボートによって、楽曲管理データベース１２ｅから呼び出して再生待ちとなっていた楽曲データの楽曲を再生する。こうして再生された楽曲に合わせて歌唱したユーザーの歌声は、音声サーバー１２−３の音声録音用の音声ボードによって録音される。
【０１４４】ここで、音声サーバー１２−３はサンプリングプログラムによって重ね合わせ処理を実行し、この重ね合わせ処理によって生成された音声データを録音用ワークディスクに書き込む。
【０１４５】より詳細には、重ね合わせ処理においては、楽曲再生用の音声ボートによって再生されている楽曲データに、音声録音用の音声ボードによって録音された音声のサンプリングデータを追加して、１つの録音データとしての音声データを生成するものである。ここで、楽曲データをベースになるデータとし、楽曲データのデータサンプリングや周波数に合わせて、音声録音のデータのボリュームや再生レベルを調整して楽曲データに追加している。このため、生成された音声データ（例えば、ｗａｖｅデータ）を音楽的にも高品質なデータとすることができ、後述するようにして公開するサービスレベルに耐えうるものになっている。
【０１４６】なお、こうした異なる２つの音声ボードの音系のデータを従来の手法で重ね合わせると、音楽再生の速度において位相のずれが発生してしまったり、それぞれの音のサンプリングレートが異なるために、バランスのとれた音楽的に品質の高いデータを得ることはできないものである。
【０１４７】そして、重ね合わせ処理によって生成され録音用ワークディスクに書き込まれた音声データは、重ね合わせ処理が終了した後、データベースサーバー１２−１の音声管理データベース１２ｃに音声情報として記録される。
【０１４８】この後、音声サーバー１２−３は携帯電話からの「♯」のプッシュ入力を確認すると、予め音声管理データベース１２ｃに記録されていたデータに基づいて、ユーザーに録音終了を伝えるガイダンスを音声で流す（図２６における矢印（Ｃ４３）参照）。一方、音声サーバー１２−３は携帯電話からの「♯」以外のプッシュ入力を確認すると、予め音声管理データベース１２ｃに記録されていたデータに基づいて、ユーザーに誤ったキー操作を伝えるアナウンスを音声で流す（図２６における矢印（Ｃ４４）参照）。
【０１４９】ここで、音声サーバー１２−３により録音終了のガイダンスがなされた後、携帯電話からの「２」のプッシュ入力を確認した場合には、録音した音声を再生し（図２６における矢印（Ｃ４５）参照）、その後再び録音終了のガイダンスを行なう（図２６における矢印（Ｃ４６）参照）。また、ここで、音声サーバー１２−３により録音終了のガイダンスがなされた後、携帯電話からの「１」のプッシュ入力を確認した場合には、録音のやり直しのため再び録音開始のガイダンスを行なう（図２６における矢印（Ｃ４７）参照）。
【０１５０】そして、音声サーバー１２−３により録音終了のガイダンスがなされた後、携帯電話からの「♯」のプッシュ入力を確認すると、予め音声管理データベース１２ｃに記録されていたデータに基づいて、ユーザーに録音終了を伝えるガイダンスを音声で流し（図２６における矢印（Ｃ４８）参照）、電話回線接続を終了させる（図２６における矢印（Ｃ４９）参照）。
【０１５１】電話回線接続終了の後、ユーザーのユーザー側端末１８たる携帯電話とサイト管理者側システム１０のデータベースサーバ１２−１とをネットワーク１６を介して接続させ（図２６における矢印（Ｃ５０）参照）、データベースサーバー１２−１により、携帯電話の表示部には、録音完了画面３１５が表示される。
【０１５２】そして、データベースサーバ１２−１は音声管理データベース１２ｃに記録されたユーザーのカラオケ歌唱を示す音声情報を、コミュニティサイト１０００を介して配信するための配信登録処理を行なう（図２６における矢印（Ｃ５１）参照）。
【０１５３】（３−５）カラオケの歌唱の公開手順
上記（３−４）カラオケの歌唱の登録によって、データベースサーバー１２−１の音声管理データベース１２ｃに記録されていたユーザーのカラオケ歌唱、即ち、楽曲と歌声とが重ね合わされた録音データたる音声情報の内容を作業者による有人検閲する（図２７における（Ｃ５２）参照）。
【０１５４】こうした作業者による有人検閲の結果、音声情報の示すユーザーの歌声に所定の言葉が含まれているなどして、ユーザーのカラオケ歌唱が公開不適格であると判断された場合には（図２７における矢印（Ｃ５３）参照）、メールサーバ１２−２によって、配信登録解除を通知するための配信登録解除電子メールを、メールサーバー１４−１を介して、ユーザー側端末１８たる携帯電話に送信する（図２７における矢印（Ｃ５４）（Ｃ５５）参照）。また、データベースサーバ１２−１によって、有人検閲の結果を音声管理データベース１２ｃに記録された音声情報に反映し、データの削除などを行う（図２７における矢印（Ｃ５３）参照）。
【０１５５】一方、作業者による有人検閲の結果、音声情報の示すユーザーの歌声に所定の言葉が含まれておらず、ユーザーのカラオケ歌唱が公開適格であると判断された場合には、メールサーバ１２−２によって、公開決定を通知するための公開決定電子メールを、メールサーバー１４−１を介してユーザー側端末１８たる携帯電話に送信する（図２７における矢印（Ｃ５６）（Ｃ５７）参照）。また、データベースサーバ１２−１によって、有人検閲の結果を音声管理データベース１２ｃに記録された音声情報に反映し、公開決定を示すフラグの設定などを行う（図２７における矢印（Ｃ５８）参照）。
【０１５６】そして、コミュニティサイト１０００を利用するユーザーが、例えば、図２８に示すサービス利用画面３１０の「カラオケを聴く」のエリアを選択すると、音声管理データベース１２ｃに記録された音声情報が配信されて、ユーザーのカラオケでの歌声を、携帯電話などのユーザー側端末１８で背景の楽曲とともに聴取することができる。
【０１５７】こうしてカラオケハウスサービス１００６によれば、コミュニティサイト１０００を利用するユーザーのカラオケでの歌声を、多くの他のユーザーが聴取でき、さらには、カラオケを聴取したユーザーによる人気投票やファンレターメールの送信などのコミュニケーションの拡大を図ることも可能であり、コミュニティサイト１０００内でユーザー同士のコミュニケーションが活性化される。
【０１５８】（４）ボイスメールサービス１００８
図３２乃至図３８を参照しながら、コミュニティサイト１０００（図２参照）を介して、サイト管理者側システム１０により提供されるボイスメールサービス１００８について説明する。
【０１５９】このボイスメールサービス１００８は、ユーザーの音声のメッセージにＢＧＭを付加して配信するものである。
【０１６０】なお、図３７ならびに図３８には、ボイスメールサービス１００８において、ユーザー側端末１８たる携帯電話の表示部に表示される画面の一例を示す説明図が示されている。
【０１６１】（４−１）ボイスメールサービスの利用登録手順
図３２にはボイスメールサービスの利用登録手順を示す説明図が示されているが、このボイスメールサービス利用登録手順（図３２における矢印（Ｄ１）〜（Ｄ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１６２】そして、ボイスメールサービスの利用登録をすると、ユーザーのユーザー側端末１８たる携帯電話には、メールサーバー１２−２からメールサーバー１４−１を介して利用同意確認電子メールが送信される（図３２における矢印（Ｄ１２）（Ｄ１３）参照）。
【０１６３】（４−２）ボイスメール作成準備の手順
上記（４−１）に示したボイスメールサービスの利用登録手順に続いて、ユーザーがボイスメールを作成するための準備処理として、ユーザーの声である音系のデータをサイト管理者側システム１０が記録するための各種準備処理が行われる（図３３参照）。
【０１６４】ここで、このボイスメール作成準備の手順（図３３における矢印（Ｄ１４）〜（Ｄ２７）参照）は、上記（１−３）音系のデータからなる個人情報の登録手順で記載した手順（図５における矢印（Ａ１０）〜（Ａ２３）参照）と対応する処理が行われるので、当該記載を援用し詳細な説明を省略することとする。
【０１６５】（４−３）ボイスメールの配信先の決定手順
上記（４−１）ならびに（４−２）によって、ボイスメールサービスの利用登録が完了すると、ユーザー側端末１８たる携帯電話とサイト管理者側システム１０のデータベースサーバ１２−１とを、ネットワーク１６を介して接続し（図３４における矢印（Ｄ２８）参照）、携帯電話の表示部に送信先入力画面４１０を表示する。そして、ユーザーはこの送信先入力画面４１０の所定のエリアに、ボイスメールを配信する相手としてコミュニティサイト１０００を利用するユーザーを入力する。
【０１６６】すると、こうしたボイスメールサービス１００８に際してのユーザー間の電子メールの送受信はサービス事業者側システム１２によって管理され、データベースサーバー１２−１は、送信先入力画面４１０においてボイスメールの配信先として設定されたユーザーを示すデータを、メール管理データベース１２ｆに記録する（図３４における矢印（Ｄ２９）参照）。
【０１６７】ここで、メール管理データベース１２ｆは、コミュニティサイト１０００における各種サービスに際して、ユーザーのメールアドレスと対応させてユーザー間で送受信される電子メールやウェブメールの管理を行なうためのデータベースである。
【０１６８】（４−４）ボイスメールのＢＧＭの選択手順
上記（４−３）によってボイスメールの配信先を決定すると、ユーザーの携帯電話の表示部にサービス利用画面４１１を表示する。
【０１６９】ここで、データベースサーバ１２−１は、利用者管理データベース１２ａの記録に基づいて、個別識別番号（ＩＤ）などからボイスメールサービスの利用登録が完了したユーザーであるか否かの判断処理を行なう。この判断処理の結果、ボイスメールサービスの利用登録が完了していないユーザーであると判断された場合には、携帯電話の表示部に利用未登録の案内画面４１２を表示し（図３４における矢印（Ｄ３０）参照）、その後、上記（４−１）ボイスメールサービスの利用登録が可能なように画面を切り換える（図３４における矢印（Ｄ３１）参照）。
【０１７０】一方、ボイスメールサービスの利用登録が完了しているユーザーであると判断された場合には、データベースサーバ１２−１は、楽曲管理データベース１２ｅに記憶されている種々の楽曲を示す楽曲データの一覧である楽曲名リストを、楽曲選択画面４１３においてユーザーに提示する（図３４における矢印（Ｄ３２）参照）。
【０１７１】そして、ユーザーは楽曲選択画面４１３において所定の楽曲を選択し（図３４における矢印（Ｄ３３）参照）、楽曲詳細画面４１４において楽曲の歌手名や歌詞などの詳細を確認した後、所定の楽曲を自分の音声メッセージのＢＧＭとして決定できる。こうしてユーザーによって楽曲が決定されると、データベースサーバ１２−１はユーザーの音声メッセージのＢＧＭとなる楽曲を指定するデータを利用者管理データベース１２ａに記録して、利用者管理データベース１２ａの記録内容を更新する（図３４における矢印（Ｄ３４）参照）。
【０１７２】（４−５）ボイスメールの音声メッセージの登録手順
上記（４−４）ボイスメールのＢＧＭとなる楽曲が決定すると、ユーザーの音声メッセージを録音するボイスメールの音声メッセージの登録の処理が行なわれる（図３５ならびに図３６参照）。
【０１７３】ここで、このボイスメールの音声メッセージの登録の手順（図３５における矢印（Ｄ３５）〜図３６における矢印（Ｄ５１）参照）は、上記（３−４）カラオケの歌唱の登録手順で記載した手順（図２５における矢印（Ｃ３４）〜図２６における矢印（Ｃ５０）参照）と対応する処理が行われるので、当該記載を援用し詳細な説明を省略することとする。
【０１７４】ユーザーが、ユーザー側端末１８たる携帯電話で音声サーバー１２−３によって提供されたＢＧＭを聴取しながら、このＢＧＭを背景に話をしてユーザーの音声のメッセージを入力すると（図３５における矢印（Ｄ４３）参照）、図３１に示した重ね合わせ処理によって、データベースサーバー１２−１の音声管理データベース１２ｃには、ＢＧＭ付きの音声メッセージ、即ち、楽曲と音声とが重ね合わされた録音データたる音声情報が記録される。
【０１７５】（４−６）ボイスメールの配信手順
上記（４−５）ボイスメールの音声メッセージの登録によって、データベースサーバー１２−１の音声管理データベース１２ｃに記録された音声情報の内容は作業者によって有人検閲なされる。なお、この音声情報の有人検閲に関する手順は、上記（３−５）カラオケの歌唱の公開手順で記載した手順（図２７における矢印（Ｃ５２）〜（Ｃ５８）参照）と対応する処理が行われるので、当該記載を援用し詳細な説明を省略することとする。
【０１７６】そして、作業者による有人検閲の結果、音声情報の示すユーザーのＢＧＭ付きの音声メッセージに所定の言葉が含まれていない場合には、メール管理データベース１２ｆに記録されたユーザーに、ＢＧＭ付きの音声メッセージが配信される（図３８に示す画面４１７→画面４１８→画面４１９参照）。
【０１７７】こうしてボイスメールサービス１００８によれば、コミュニティサイト１０００を利用するユーザーはＢＧＭ付きの音声メッセージの配信が受けられるので、単なるテキストだけでの電子メールとは異なり、コミュニティサイト１００内でユーザー同士のコミュニケーションが活性化される。
【０１７８】（５）ランダムメールサービス１０１０
図３９乃至図４６を参照しながら、コミュニティサイト１０００（図２参照）を介して、サイト管理者側システム１０により提供されるランダムメールサービス１０１０について説明する。
【０１７９】このランダムメールサービス１０１０は、ユーザーが作成したテキスト系のデータ（このランダムメールサービス１０１０においては本文と称する。）を、不特定の複数のユーザーにランダムに電子メールやウェブメールとして配信するものである。
【０１８０】なお、図４５には、ランダムメールサービス１０１０において、ユーザー側端末１８たる携帯電話の表示部に表示される画面の一例を示す説明図が示されている。
【０１８１】（５−１）ランダムメールサービスの利用登録手順
図３９にはランダムメールサービスの利用登録手順を示す説明図が示されているが、このランダムメールサービス利用登録手順（図３９における矢印（Ｅ１）〜（Ｅ１３）参照）は、上記（２−１）電光掲示板サービスの利用登録手順で記載した手順（図１４における矢印（Ｂ１）〜（Ｂ１３）参照）と対応する処理が行われるので、当該記載を援用し詳細な説明を省略することとする。
【０１８２】そして、ランダムメールサービスの利用登録をすると、ユーザーのユーザー側端末１８たる携帯電話には、メールサーバー１２−２からメールサーバー１４−１を介して、指定ＵＲＬを配信するための利用同意確認電子メールが送信される（図３９における矢印（Ｅ１２）（Ｅ１３）参照）。
【０１８３】（５−２）ランダムメールの本文の登録手順
上記（５−１）に示したランダムメールサービスの利用登録手順に続いて、利用同意確認電子メールにより配信された指定ＵＲＬに、ユーザーが携帯電話をネットワーク１６を介して接続すると（図４０における矢印（Ｅ１４）参照）、携帯電話の表示部にランダムメールサービスの利用登録完了画面５０７が表示される。
【０１８４】そして、サイト管理者側システム１０のデータベースサーバ１２−１は、携帯電話の表示部の表示を利用登録完了画面５０７からメール作成画面５０８に切り換える（図４０における矢印（Ｅ１５）参照）。
【０１８５】ここで、メール作成画面５０８の所定のエリアに、ユーザーがランダムメールによって他のユーザーに伝えたい内容を、即ち、本文をテキストで入力すると、データベースサーバ１２−１によって、本文を示すテキスト系のデータがメール管理データベース１２ｆに記録される（図４０における矢印（Ｅ１６）参照）。
【０１８６】この後、データベースサーバ１２−１は、メール管理データベース１２ｆに記録された本文でランダムにメールを配信するための配信登録処理を行なう（図４０における矢印（Ｅ１７）参照）。そして、携帯電話の表示部に配信登録完了画面５０９が表示されるとともに、メールサーバ１２−２は配信登録完了を通知するための配信登録完了電子メールを、インフラ／課金事業者側システム１４のメールサーバ１４−１に送信する（図４０における矢印（Ｅ１８）参照）。この配信登録完了電子メールは、メールサーバー１４−１によってユーザー側端末１８たる携帯電話に送信される（図４０における矢印（Ｅ１９）参照）。
【０１８７】（５−３）ランダムメールの本文の検閲手順
上記（５−２）ランダムメールの本文の登録によって、メール管理データベース１２ｆに記録された電子メールなどの本文の内容は自動検閲処理がなされる（図４１参照）。
【０１８８】ここで、この電子メールの本文の内容を自動検閲する手順（図４１における矢印（Ｅ２１）〜（Ｅ２４）参照）は、上記（２−３）メッセージ情報の検閲手順で記載した手順（図１７における矢印（Ｂ２９）〜（Ｂ３２）参照）と対応する処理が行われるので、当該記載を援用し詳細な説明を省略することとする。
【０１８９】そして、データベースサーバ１２−１による自動検閲処理の結果、メール管理データベース１２ｆに記録された電子メールの本文の内容たるテキストに、禁止ワード辞書に対応する所定の文言が含まれていないと判断された場合には、電子メールの本文の内容を作業者による有人検閲する（図４１における矢印（Ｅ２４）参照）。
【０１９０】ここで、この電子メールの本文の内容を有人検閲する手順（図４２における矢印（Ｅ２５）〜（Ｅ３０）参照）は、上記（２−３）メッセージ情報の検閲手順で記載した手順（図１８における矢印（Ｂ３３）〜（Ｂ３８）参照）と対応する処理が行われるので、当該記載を援用し詳細な説明を省略することとする。
【０１９１】そして、メールサーバ１２−２によって、メールサーバー１４−１を介してユーザー側端末１８たる携帯電話に送信された配信確定電子メール（図４２における矢印（Ｅ２８）（Ｅ２９）参照）は、既にメール管理データベース１２ｆに記録された本文でランダムに電子メールなどを配信することを通知するとともに、データベースサーバ１２−１によって発行された配信確定番号（図４２における矢印（Ｅ３１）参照）の通知や課金登録のための指定ＵＲＬの配信も兼ねている。
【０１９２】（５−４）ランダムメールの配信のための課金登録手順
上記（５−３）のランダムメールの本文の検閲によって配信確定電子メールが送信されたユーザーは、配信確定電子メールにより配信された指定ＵＲＬにおいて課金登録を行なう（図４３参照）。
【０１９３】ここで、この課金登録の手順（図４３における矢印（Ｅ３２）〜（Ｅ４０）参照）は、上記（２−４）公開の手順で記載した手順（図１９における矢印（Ｂ４０）〜（Ｂ４８）参照）と対応する処理が行われるので、当該記載を援用し詳細な説明を省略することとする。
【０１９４】（５−５）ランダムメールの配信手順
上記（５−４）によって課金処理を終了し課金登録完了画面５１４が表示されると（図４３における矢印（Ｅ３９）参照）、データベースサーバ１２−１により、ランダムメールの配信先を決定する処理が行なわれる（図４４における矢印（Ｅ４１）参照）。
【０１９５】まず、データベースサーバ１２−１は属性・条件抽出プログラムを実行して、利用者管理データベース１２ａの記録内容に基づき、コミュニティサイト１０００を利用するユーザーの属性などのデータを抽出する。例えば、図４６（ａ）に示すようなユーザーのプロフィールなどが、個人情報管理データベース１２ｂから抽出される。
【０１９６】また、データベースサーバ１２−１は利用履歴抽出プログラムを実行して、メール管理データベース１２ｆの記録内容に基づき、コミュニティサイト１０００を利用するユーザーのコミュニティサイト１０００における電子メールやウェブメールに関するデータを抽出する。例えば、図４６（ｂ）（ｃ）に示すようなユーザーの電子メールやウェブメールの利用履歴や利用履歴のログなどが、個人情報管理データベース１２ｂから抽出される。
【０１９７】こうして属性・条件抽出プログラムによって抽出されたユーザーの属性などの情報と、利用履歴抽出プログラムによって抽出された電子メールやウェブメールの利用履歴などの情報とをデータベースサーバ１２−１はマージして、複数のメールの配信先を示すメール配信先情報を生成する。この際、例えば、ユーザーの属性に基づいてサイト管理者側システム１０のデジタルコンテンツの配信サービスに加入して間もない新規加入のユーザーを選択すれば、新規加入のユーザーにランダムメールを優先的に配信することができる。また、利用履歴に基づいて累積でのメール配信数が所定の数値以下のユーザーを選択すれば、コミュニティサイト１０００における電子メールなどの送受信機会の少ないユーザーにランダムメールを優先的に配信することができる。
【０１９８】そして、生成されたメール配信先情報は、データベースサーバ１２−１によってメール管理データベース１２ｆに記録される（図４４における矢印（Ｅ４２）参照）。この後、メールサーバー１２−２は、メール管理データベース１２ｆに記録されたメール配信先情報の示す複数の配信先に、メール管理データベース１２ｆに記録された本文の内容の電子メール（以下「誰か読んで電子メール」と称する。）を送信する（図４４における矢印（Ｅ４３）（Ｅ４４）参照）。この誰か読んで電子メールを受信したユーザーは、携帯電話にメール管理データベース１２ｆに記録された本文の電子メールを表示できる（図４５に示す画面５１６参照）。
【０１９９】なお、メールサーバー１２−２は、メール管理データベース１２ｆに記録されたメール配信先情報の示す複数の配信先に、ランダムメールの配信先として決定したことを通知し指定ＵＲＬの配信するための誰か読んでメール配信通知電子メールを送信する（図４４における矢印（Ｅ４５）（Ｅ４６）参照）。この誰か読んでメール配信通知電子メールを受信したユーザーは、誰か読んでメール配信通知電子メールにより配信された指定ＵＲＬに携帯電話をネットワーク１６を介して接続すると（図４４における矢印（Ｅ４７）参照）、ウェブメールサーバ１２−４によって、携帯電話の表示部にメール管理データベース１２ｆに記録された本文の内容を閲覧することがきる。
【０２００】こうしてランダムメールサービス１０１０によれば、コミュニティサイト１０００を利用するユーザーは１通のメールを作成する手順で、コミュニティサイト１０００を利用する複数のユーザーに、同じ内容の電子メールやウェブメールをランダムに配信できるので、送信先を予め設定して行う通常の電子メールのやりとりとは異なり、コミュニティサイト１００内でユーザー同士のコミュニケーションが活性化される。
【０２０１】（６）ショップサービス１０１２
図４７乃至図５８を参照しながら、コミュニティサイト１０００（図２参照）を介して、サイト管理者側システム１０により提供されるショップサービス１０１２について説明する。
【０２０２】このショップサービス１０１２は、ユーザー自身が欲しい商品、例えば、携帯電話の着信メロディーをダウンロードできるだけでなく、他のユーザーに自分の欲しい着信メロディーのダウンロードをねだったり、あるいは、自分で指定したユーザーに着信メロディーのダウンロードをおごったりすることができるものである。
【０２０３】なお、図４８乃至図５５には、ショップサービス１０１２において、ユーザー側端末１８たる携帯電話の表示部に表示される画面の一例を示す説明図が示されている。
【０２０４】例えば、既に会員としての地位を有し個別識別番号（ＩＤ）を有しているユーザーが、ユーザー側端末１８たる携帯電話とサイト管理者側システム１０のサービス事業者側システム１２とを、ネットワーク１６を介して接続し、携帯電話からサービス事業者側システム１２に対して、ユーザ自身が欲しい商品、即ち、デジタルコンテンツである着信メロディーのダウンロードの要求をする（図４８に示す画面６０１→画面６０２→画面６０３→画面６０４→画面６０５→画面６０６→画面６０７参照）。すると、サイト管理者側システム１０によって管理可能なデータベースに記録されている種々の商品を示す商品情報に基づいて、サービス事業者側システム１２からユーザーの携帯電話へ着信メロディーがダウンロードされて保存される。
【０２０５】また、ユーザーはネットワーク１６を介して各種占いを利用することもでき（図４９乃至図５２参照）、こうしたコミュニティサイト１０００におけるデジタルコンテンツの閲覧やダウンロードをユーザー自身が行なった場合には、インフラ／課金事業者側システム１４によってユーザー自身に課金処理がなされる（図４７のステップＦ１，Ｆ２，Ｆ３参照）。
【０２０６】ここで、ユーザーＡがコミュニティサイト１０００におけるデジタルコンテンツの閲覧やダウンロードを希望するときに、当該デジタルコンテンツの閲覧やダウンロードをコミュニティサイト１０００の他のユーザーＢにねだる、即ち、デジタルコンテンツの閲覧やダウンロードはユーザーＡ自身が行なうが、インフラ／課金事業者側システム１４による課金処理はユーザーＢになされるようにすることができる。
【０２０７】具体的は、コミュニティサイト１０００内において、所定のユーザーＡがねだる内容を示すおねだり電子メール（図５３における画面６０８参照）をユーザーＢに送信し（図４７のステップＦ１，Ｆ４，Ｆ５，Ｆ６，Ｆ７参照）、おねだり電子メールを受信したユーザーＢは（図４７のステップＦ８参照）、ユーザーＡにおねだり許可の電子メール（図４７のステップＦ１１参照）かあるいはおねだり拒否の電子メール（図４７のステップＦ９参照）を返信する。すると、こうしたショップサービス１０１２に際してのユーザー間の電子メールの送受信はサービス事業者側システム１２によって管理され、サービス事業者側システム１２はおねだり許可の電子メールの送信によって、ユーザーＡのユーザーＢに対するおねだりが成立したと判断し、インフラ／課金事業者側システム１４によってユーザーＢに対する課金処理を実行させる（図４７のステップＦ１２参照）。
【０２０８】また、コミュニティサイト１０００におけるデジタルコンテンツの閲覧やタウンロードがユーザーＢによって行なわれることをユーザーＡが希望するときに、当該デジタルコンテンツの閲覧やダウンロードをコミュニティサイト１０００のユーザーＢにユーザーＡがおごる、即ち、デジタルコンテンツの閲覧やダウンロードはユーザーＢが行なうが、インフラ／課金事業者側システム１４による課金処理はユーザーＡ自身になされるようにすることができる。
【０２０９】具体的は、ショップサービス１０１２においてユーザーＡがユーザーＢにおごる商品として、例えば、着信メロディーを選択すると（図４７のステップＦ１，Ｆ１８，Ｆ１９，Ｆ２０参照）、サービス事業者側システム１２はユーザーＡのユーザーＢに対するおごりが成立したと判断し、インフラ／課金事業者側システム１４によってユーザーＡに対する課金処理を実行させる（図４７のステップＦ２１参照）。
【０２１０】それから、コミュニティサイト１０００内において、ユーザーＡがおごる内容を示すおごり電子メール（図５４における画面６０９参照）をユーザーＢに送信し（図４７のステップＦ２２参照）、おごり電子メールをユーザーＢが受信する（図４７のステップＦ２３参照）。すると、こうしたショップサービス１０１２に際してのユーザー間の電子メールの送受信はサービス事業者側システム１２によって管理され、おごり電子メールを受信したユーザーＢは、ユーザーＡによっておごられたデジタルコンテンツの閲覧やダウンロードを行なえる（図４７のステップＦ２４，Ｆ２５ならびに図５５に示す画面６１０→画面６１１参照）。
【０２１１】さらに、サービス事業者側システム１２は、このショップサービス１０１２によって、コミュニティサイト１０００のユーザーがデジタルコンテンツをダウンロードした履歴などを含む利用状況を管理するためのパーソナルデータベース１２ｇを有している。そして、こうしたサービス事業者側システム１２の管理のもと、ショップサービス１０１２によってユーザーが既にダウンロードしたデジタルコンテンツを、ユーザー同士が互いに交換するサービスがコミュニティサイト１０００において提供される（図５６参照）。
【０２１２】より詳細には、サービス事業者側システム１２は、コミュニティサイト１０００内に、ユーザーが保有するデジタルコンテンツであって他のユーザーに譲ってもよいデジタルコンテンツを保管する保管エリア１０００ａを設置し、一方で、コミュニティサイト１０００のユーザー同士がデジタルコンテンツを交換する交換エリア１０００ｂを設置する。また、保管エリア１０００ａに保管されているデジタルコンテンツの一覧をユーザーに公開するための一覧エリア１０００ｃも設置する（図５７参照）。
【０２１３】そして、デジタルコンテンツとして所定の着信メロディーＭが欲しいユーザーＡは、一覧エリア１０００ｃを閲覧して着信メロディーＭがあるか否かを確認する。ここで、ユーザーＡが欲しい着信メロディーＭを保管エリア１０００ａに保管しているユーザーＢがいれば、交換エリア１０００ｂにおいてユーザーＡとユーザーＢとが着信メロディーＭの交換を行う。
【０２１４】こうしてコミュニティサイト１０００内においてユーザー同士でデジタルコンテンツの交換が成立すると、サービス事業者側システム１２は、保管エリア１０００ａに保管されていたデジタルコンテンツの属性を変更するとともに、デジタルコンテンツの交換を成立させたユーザー同士に対して、ショップサービス１０１２において利用可能なポイントを付与する。
【０２１５】こうして、ユーザーは、欲しいデジタルデータを新たにコミュニティサイト１０００を介してダウンロードするのではなく、既にダウンロードして保管しているユーザーから譲り受けることができる。
【０２１６】なお、図５８に示すように、サービス事業者側システム１２によって、ユーザーＡのデジタルコンテンツの取得を希望する内容に基づいてマッチング処理を行い、そのマッチング処理の結果に基づいて自動的に、ユーザーＡとユーザーＢとの交換を成立させるようにしてもよい。さらには、このショップサービス１０１２において利用可能なポイントを、交換エリア１０００ｂにおいてユーザー同士で授受することも可能である。
【０２１７】こうしてショップサービス１０１２によれば、コミュニティサイト１０００を利用するユーザー同士が、欲しいデジタルデータを他のユーザーにねだったり、あるいは、デジタルデータを他のユーザーにおごったりすることができ、さらに、ユーザー自身が保有しているデジタルデータの交換を行ったりできるので、コミュニティサイト１００内でユーザー同士のコミュニケーションが活性化される。
【０２１８】なお、上記した実施の形態は、以下に示す（１）乃至（５）のように変形してもよい。
【０２１９】（１）上記した実施の形態においては、本発明によるサイト管理者側システム１０により提供される各種サービス（図２参照）を利用可能なユーザーについては、ユーザーは予め、サイト管理者側システム１０のデジタルコンテンツの配信サービスに加入するようにしたが、これに限られるものではないことは勿論であり、加入制ではなく、全てのユーザー側端末１８が、本発明によるサイト管理者側システム１０により提供される各種サービス（図２参照）を利用可能な環境である場合には、全てのユーザー側端末１８を保有するユーザーに対して、サイト管理者側システム１０により各種サービスを提供するようにしてもよい。
【０２２０】また、サイト管理者側システム１０によりサービス毎に加入制であったり、あるいは、全てのユーザーに提供可能としてもよい。
【０２２１】（２）上記した実施の形態においては、本発明によるサイト管理者側システム１０のサービス事業者側システム１２とインフラ／課金事業者側システム１４とが、それぞれ個別の事業者によって構築されるように図示されているが、これに限られるものではないことは勿論であり、サービス事業者側システム１２とインフラ／課金事業者側システム１４とが同一の事業者によって構築されるようにしてもよいことは勿論である。さらに、サービス事業者側システム１２とインフラ／課金事業者側システム１４との関係は、各種処理を連携して自動的に行うようにしてもよい。
【０２２２】（３）上記した実施の形態においては、プロフィールサービス１００２において、テキスト系のデータからなる個人情報の公開範囲は予め、閲覧を希望するユーザーの全員となされているようにしたが、これに限られるものではないことは勿論であり、例えば、図５９に示すようにして、テキスト系のデータからなる個人情報を構成する各種の管理項目データ毎に公開範囲を設定可能なようにしてもよい。
【０２２３】（４）上記した実施の形態においては、例えば、電光掲示板サービス１００４において、コミュニティサイト１０００のトップページで公開されるのは、テキストのメッセージであるようにしたが、これに限られるものではないことは勿論であり、静止画像やあるいは動画などの画像がコミュニティサイト１０００のトップページで公開されるようにしてもよい。
【０２２４】このように、本発明によるサイト管理者側システム１０におけるサデジタルコンテンツは、音系のデータや画像系のデータ、あるいはテキスト系のデータなどをそれぞれ相互に変更して使用可能なものである。
【０２２５】（５）上記した実施の形態ならびに上記した（１）乃至（４）に示す変形例は、適宜に組み合わせるようにしてもよい。
【発明の効果】
【０２２６】本発明は、以上説明したように構成されているので、コミュニティサイト内においてコミュニケーションの活性化を図ることができるようになるという優れた効果を奏する。
【図面の簡単な説明】
【図１】本発明によるサイト管理者側システムの実施の形態の一例の全体の構成を表すブロック図である。
【図２】コミュニティサイトのデジタルコンテンツの全体像を模式的に示した説明図である。
【図３】本発明によるサイト管理者側システムにより提供されるプロフィールサービスを利用する際における、プロフィールサービスの利用登録手順を示す処理フローである。
【図４】本発明によるサイト管理者側システムにより提供されるプロフィールサービスを利用する際における、テキスト系のデータからなる個人情報の登録手順を示す処理フローである。
【図５】本発明によるサイト管理者側システムにより提供されるプロフィールサービスを利用する際における、音系のデータからなる個人情報の登録手順を示す処理フローである。
【図６】本発明によるサイト管理者側システムにより提供されるプロフィールサービスを利用する際における、音系のデータからなる個人情報の登録手順を示す処理フローである。
【図７】本発明によるサイト管理者側システムにより提供されるプロフィールサービスを利用する際における、音系のデータからなる個人情報の登録手順を示す処理フローである。
【図８】本発明によるサイト管理者側システムにより提供されるプロフィールサービスを利用する際における、画像系のデータからなる個人情報の登録手順を示す処理フローである。
【図９】本発明によるサイト管理者側システムにより提供されるプロフィールサービスにおいて、ユーザー側端末たる携帯電話の表示部に表示される画面の一例を示す説明図である。
【図１０】本発明によるサイト管理者側システムにより提供されるプロフィールサービスにおいて、ユーザー側端末たる携帯電話の表示部に表示される画面の一例を示す説明図である。
【図１１】本発明によるサイト管理者側システムにより提供されるプロフィールサービスにおける個人情報の構成の一例を示す説明図である。
【図１２】本発明によるサイト管理者側システムにより提供されるプロフィールサービスの概要を示す説明図である。
【図１３】本発明によるサイト管理者側システムにより提供されるプロフィールサービスにおいて、ユーザー側端末たる携帯電話の表示部に表示される画面の一例を示す説明図である。
【図１４】本発明によるサイト管理者側システムにより提供される電光掲示板サービスを利用する際における、電光掲示板サービスの利用登録手順を示す処理フローである。
【図１５】本発明によるサイト管理者側システムにより提供される電光掲示板サービすを利用する際における、仮予約の手順を示す処理フローである。
【図１６】本発明によるサイト管理者側システムにより提供される電光掲示板サービスを利用する際における、仮予約の手順を示す処理フローである。
【図１７】本発明によるサイト管理者側システムにより提供される電光掲示板サービスを利用する際における、メッセージ情報の検閲手順を示す処理フローである。
【図１８】本発明によるサイト管理者側システムにより提供される電光掲示板サービスを利用する際における、メッセージ情報の検閲手順を示す処理フローである。
【図１９】本発明によるサイト管理者側システムにより提供される電光掲示板サービスを利用する際における、公開の手順を示す処理フローである。
【図２０】本発明によるサイト管理者側システムにより提供される電光掲示板サービスにおいて、ユーザー側端末たる携帯電話の表示部に表示される画面の一例を示す説明図である。
【図２１】本発明によるサイト管理者側システムにより提供される電光掲示板サービスにおいて、ユーザー側端末たる携帯電話の表示部に表示される画面の一例を示す説明図である。
【図２２】本発明によるサイト管理者側システムにより提供されるカラオケハウスサービスを利用する際における、カラオケハウスサービスの利用登録手順を示す処理フローである。
【図２３】本発明によるサイト管理者側システムにより提供されるカラオケハウスサービスを利用する際における、歌唱準備の手順を示す処理フローである。
【図２４】本発明によるサイト管理者側システムにより提供されるカラオケハウスサービスを利用する際における、楽曲の選択手順を示す処理フローである。
【図２５】本発明によるサイト管理者側システムにより提供されるカラオケハウスサービスを利用する際における、カラオケの歌唱の登録手順を示す処理フローである。
【図２６】本発明によるサイト管理者側システムにより提供されるカラオケハウスサービスを利用する際における、カラオケの歌唱の登録手順を示す処理フローである。
【図２７】本発明によるサイト管理者側システムにより提供されるカラオケハウスサービスを利用する際における、カラオケの歌唱の公開手順を示す処理フローである。
【図２８】本発明によるサイト管理者側システムにより提供されるカラオケハウスサービスにおいて、ユーザー側端末たる携帯電話の表示部に表示される画面の一例を示す説明図である。
【図２９】本発明によるサイト管理者側システムにより提供されるカラオケハウスサービスにおいて、ユーザー側端末たる携帯電話の表示部に表示される画面の一例を示す説明図である。
【図３０】本発明によるサイト管理者側システムにより提供されるカラオケハウスサービスにおいて、ユーザー側端末たる携帯電話の表示部に表示される画面の一例を示す説明図である。
【図３１】本発明によるサイト管理者側システムにより提供されるカラオケハウスサービスにおける重ね合わせ処理を示す説明図である。
【図３２】本発明によるサイト管理者側システムにより提供されるボイスメールサービスを利用する際における、ボイスメールサービスの利用登録手順を示す処理フローである。
【図３３】本発明によるサイト管理者側システムにより提供されるボイスメールサービスを利用する際における、ボイスメール作成準備の手順を示す処理フローである。
【図３４】本発明によるサイト管理者側システムにより提供されるボイスメールサービスを利用する際における、ボイスメールの配信先の決定手順ならびにボイスメールのＢＧＭの選択手順を示す処理フローである。
【図３５】本発明によるサイト管理者側システムにより提供されるボイスメールサービスを利用する際における、ボイスメールの音声メッセージの登録手順を示す処理フローである。
【図３６】本発明によるサイト管理者側システムにより提供されるボイスメールサービスを利用する際における、ボイスメールの音声メッセージの登録手順を示す処理フローである。
【図３７】本発明によるサイト管理者側システムにより提供されるボイスメールサービスにおいて、ユーザー側端末たる携帯電話の表示部に表示される画面の一例を示す説明図である。
【図３８】本発明によるサイト管理者側システムにより提供されるボイスメールサービスにおいて、ユーザー側端末たる携帯電話の表示部に表示される画面の一例を示す説明図である。
【図３９】本発明によるサイト管理者側システムにより提供されるランダムメールサービスを利用する際における、ランダムメールサービスの利用登録手順を示す処理フローである。
【図４０】本発明によるサイト管理者側システムにより提供されるランダムメールサービスを利用する際における、ランダムメールの本文の登録手順を示す処理フローである。
【図４１】本発明によるサイト管理者側システムにより提供されるランダムメールサービスを利用する際における、ランダムメールの本文の検閲手順を示す処理フローである。
【図４２】本発明によるサイト管理者側システムにより提供されるランダムメールサービスを利用する際における、ランダムメールの本文の検閲手順を示す処理フローである。
【図４３】本発明によるサイト管理者側システムにより提供されるランダムメールサービスを利用する際における、ランダムメールの配信のための課金登録手順を示す処理フローである。
【図４４】本発明によるサイト管理者側システムにより提供されるランダムメールサービスを利用する際における、ランダムメールの配信手順を示す処理フローである。
【図４５】本発明によるサイト管理者側システムにより提供されるランダムメールサービスにおいて、ユーザー側端末たる携帯電話の表示部に表示される画面の一例を示す説明図である。
【図４６】本発明によるサイト管理者側システムにより提供されるランダムメールサービスにおいて、ランダムメールの配信先を決定する処理に用いられるデータを示す説明図である。
【図４７】本発明によるサイト管理者側システムにより提供されるショップサービスの概要を示す説明図である。
【図４８】本発明によるサイト管理者側システムにより提供されるショップサービスにおいて、ユーザー側端末たる携帯電話の表示部に表示される画面の一例を示す説明図である。
【図４９】本発明によるサイト管理者側システムにより提供されるショップサービスにおいて、ユーザー側端末たる携帯電話の表示部に表示される画面の一例を示す説明図である。
【図５０】本発明によるサイト管理者側システムにより提供されるショップサービスにおいて、ユーザー側端末たる携帯電話の表示部に表示される画面の一例を示す説明図である。
【図５１】本発明によるサイト管理者側システムにより提供されるショップサービスにおいて、ユーザー側端末たる携帯電話の表示部に表示される画面の一例を示す説明図である。
【図５２】本発明によるサイト管理者側システムにより提供されるショップサービスにおいて、ユーザー側端末たる携帯電話の表示部に表示される画面の一例を示す説明図である。
【図５３】本発明によるサイト管理者側システムにより提供されるショップサービスにおいて、ユーザー側端末たる携帯電話の表示部に表示される画面の一例を示す説明図である。
【図５４】本発明によるサイト管理者側システムにより提供されるショップサービスにおいて、ユーザー側端末たる携帯電話の表示部に表示される画面の一例を示す説明図である。
【図５５】本発明によるサイト管理者側システムにより提供されるショップサービスにおいて、ユーザー側端末たる携帯電話の表示部に表示される画面の一例を示す説明図である。
【図５６】本発明によるサイト管理者側システムにより提供されるショップサービスにおけるデジタルデータの交換の概要を示す説明図である。
【図５７】本発明によるサイト管理者側システムにより提供されるショップサービスにおけるデジタルデータの交換の概要を示す説明図である。
【図５８】本発明によるサイト管理者側システムにより提供されるショップサービスにおけるデジタルデータの交換の概要を示す説明図である。
【図５９】本発明によるサイト管理者側システムにより提供されるプロフィールサービスにおける個人情報の構成の他の例を示す説明図である。
【符号の説明】１０  サイト管理者側システム
１２  サービス事業者側システム
１４  インフラ／課金事業者側システム
１６  ネットワーク
１８  ユーザー側端末